(57)【要約】  印刷紙を、配布・複製等が制限される機密情報と、機密でない情報とを、その情報の機密度に応じて、安全かつ便利に扱いうるものとする。ＩＣタグが設けられたのに加え、そのタグの記憶情報へのアクセスに必要な鍵としての情報を機械識別可能な形態で表した模様が付加されて紙面上に印刷された印刷紙とする。これにより、機密情報を、ＩＣタグにて安全に保管させつつ、印刷による開示情報と一体に簡便に配布することができ、かつ、その印刷紙がなければ機密情報にアクセスできないものにできる。さらに、その模様の表わす情報が機密情報へのアクセスのレベルを有することで、機密情報へのアクセスを機密度に応じたものにできる。
2008081886.tif 000002
【特許請求の範囲】
【請求項１】
表面に印刷がされた紙、フィルムその他の印刷媒体であって、
情報の記憶ができる超小型集積回路（ＩＣ）タグを含み備え、
前記印刷には、前記ＩＣタグに対するその記憶情報へのアクセスに必要な鍵としての情報であるアクセス情報を機械識別可能な形態で表した模様が含まれていることを特徴とする印刷媒体。
【請求項２】
前記アクセス情報を表す前記形態は、機械では識別が可能であるが人の視覚では識別が困難なものであることを特徴とする請求項１記載の印刷媒体。
【請求項３】
前記ＩＣタグは、電力が外部の機器から無線で供給され、かつ、電磁誘導又は電波で外部の機器とデータ通信を行うことを特徴とする請求項１記載の印刷媒体。
【請求項４】
当該媒体の内部又は表面上にアンテナが導電性インクで描画されて形成されていることを特徴とする請求項３記載の印刷媒体。
【請求項５】
入力された画像情報その他の情報に基づいてその可視画像を印刷用の紙、フィルムその他の媒体上に印刷して出力する画像形成装置であって、
印刷用前記媒体上に可視画像を形成して印刷を行う印刷部と、
印刷用前記媒体に設けられ情報の記憶ができる超小型集積回路（ＩＣ）タグとの間でデータ通信が行え、前記ＩＣタグが記憶する情報である記憶情報、その他のタグ情報をやりとりするＩＣタグリーダと、
を含み備え、
前記ＩＣタグに対する前記記憶情報へのアクセスに必要な鍵としての情報であるアクセス情報を機械識別可能な形態で表した模様を、入力された前記画像情報に基づく画像に重乗してそのＩＣタグが設けられた前記媒体上に印刷し、かつ、そのＩＣタグにその記憶情報を記憶させることを特徴とする画像形成装置。
【請求項６】
前記模様は、機械では識別が可能であるが人の視覚では識別が困難なものであることを特徴とする請求項５記載の画像形成装置。
【請求項７】
前記形態は、微細な形状又は人の視覚では感知しにくい色彩であることを特徴とする請求項６記載の画像形成装置。
【請求項８】
前記模様は、係るアクセス情報が、所定のキー情報により復号できる暗号化がされて前記形態で表されたものであることを特徴とする請求項５記載の画像形成装置。
【請求項９】
前記記憶情報は、当該装置外の記憶装置に記憶された情報を指し示すものであることを特徴とする請求項５記載の画像形成装置。
【請求項１０】
当該装置は、当該装置に入力された情報のうち、自らの部分へのアクセスが制限された機密情報について、その機密情報自体又はそれに基づく情報の少なくとも一部を前記ＩＣタグに記憶させることを特徴とする請求項５記載の画像形成装置。
【請求項１１】
前記ＩＣタグリーダは、無線で、前記ＩＣタグへその電力を供給でき、かつ、そのＩＣタグとデータ通信が行えるものであることを特徴とする請求項５記載の画像形成装置。
【請求項１２】
当該装置は、前記印刷部での印刷の際にその印刷が行われる前記媒体に対してＩＣタグの検出を行い、その後、前記ＩＣタグリーダが、その検出されたＩＣタグを特定してそのＩＣタグに対し、前記記憶情報の記憶を行わせ又は前記記憶情報を有効とさせることを特徴とする請求項５記載の画像形成装置。
【請求項１３】
当該装置は、さらに、印刷用前記媒体に印刷がされた印刷紙を排出しそしてその排出を検知する排紙部を含み備えており、
前記アクセス情報を示す画像の印刷を行い、その印刷紙を前記排紙部が排紙したことを検知した後に、前記ＩＣタグに前記記憶情報の記憶を行わせ又は前記記憶情報を有効とさせることを特徴とする請求項５記載の画像形成装置。
【請求項１４】
当該装置は、印刷の際、前記印刷紙の前記ＩＣタグに対し、前記記憶情報の記憶をその印刷紙が前記排紙部に排紙されるまでの間に行わせ、かつ、その記憶された記憶情報を、その印刷紙が前記排紙部に排紙されるまでは無効のままとし、その印刷紙が前記排紙部に排紙されたことを検知後に有効とさせることを特徴とする請求項１３記載の画像形成装置。
【請求項１５】
前記ＩＣタグリーダは、そのやりとり可能な範囲を少なくとも前記排紙部を除いた範囲に限ることができる指向性その他の範囲限定手段を有したことを特徴とする請求項１３記載の画像形成装置。
【請求項１６】
紙、フィルムその他の媒体上にある図形・写真等を画像として読み取ってその画像データを生成して情報処理装置などへ入力させる画像情報入力装置であって、
前記媒体を撮像してそこに記録されている図形・写真等を画像として直接読み取るイメージセンサ部と、
印刷用前記媒体に設けられ情報の記憶ができる超小型集積回路（ＩＣ）タグとの間でデータ通信が行え、前記ＩＣタグが記憶する情報である記憶情報、その他のタグ情報をやりとりするＩＣタグリーダと、
を含み備え、
前記媒体に設けられた前記ＩＣタグを検知し、かつ、その媒体上の図形・写真等を前記イメージセンサ部が撮像したその画像内から機械識別可能な所定の形態で表された模様を抽出し、その模様を識別して得られた情報を鍵として、その鍵をもとに前記ＩＣタグの前記記憶情報へアクセスすることを特徴とする画像情報入力装置。
【請求項１７】
前記模様は、機械では識別が可能であるが人の視覚では識別が困難なものであることを特徴とする請求項１６記載の画像情報入力装置。
【請求項１８】
前記形態は、微細な形状又は人の視覚では感知しにくい色彩であることを特徴とした請求項１６記載の画像情報入力装置。
【請求項１９】
前記模様は、係るアクセス情報が、所定のキー情報により復号できる暗号化がされて前記形態で表されたものであることを特徴とする請求項１６記載の画像情報入力装置。
【請求項２０】
前記記憶情報は、当該装置外の記憶装置に記憶された情報を指し示すものであることを特徴とする請求項１６記載の画像情報入力装置。
【請求項２１】
前記ＩＣタグリーダは、無線で、前記ＩＣタグへその電力を供給でき、かつ、そのＩＣタグとデータ通信が行えるものであることを特徴とする請求項１６記載の画像情報入力装置。
【請求項２２】
前記ＩＣタグリーダは、そのやりとり可能な範囲を少なくとも前記排紙部を除いた範囲に限ることができる指向性その他の範囲限定手段を有したことを特徴とする請求項１６記載の画像情報入力装置。
【請求項２３】
入力された画像情報その他の情報に基づいてその可視画像を印刷用の紙、フィルムその他の媒体上に印刷して出力機能と、媒体上に記録されている図形・写真等を画像として読み取ってその画像データを生成して入力する画像情報入力機能とを有したデジタル複合機であって、
印刷用前記媒体上に可視画像を形成して印刷を行う印刷部と、
前記媒体を撮像してそこに記録されている図形・写真等を画像として直接読み取るイメージスキャナ部と、
印刷用前記媒体に設けられ情報の記憶ができる超小型集積回路（ＩＣ）タグとの間でデータ通信が行え、前記ＩＣタグが記憶する情報である記憶情報、その他のタグ情報をやりとりするＩＣタグリーダと、
を含み備え、
入力された前記画像情報に基づく画像の印刷の際には、前記ＩＣタグに対する前記記憶情報へのアクセスに必要な鍵としての情報であるアクセス情報を機械識別可能な形態で表した模様を、画像情報に基づく前記画像に重乗してそのＩＣタグが設けられた前記媒体上に印刷し、かつ、そのＩＣタグにその記憶情報を記憶させ、一方、前記媒体上の図形・写真等の読み取りの際には、前記媒体に設けられた前記ＩＣタグを検知し、かつ、その媒体上の図形・写真等を前記イメージスキャナが撮像したその画像内から識別が可能な所定の形態で表された模様を抽出し、その模様を識別して得られた情報を鍵として、その鍵をもとに前記ＩＣタグの前記記憶情報へアクセスすることを特徴とするデジタル複合機。
【発明の詳細な説明】
【技術分野】
【０００１】
本発明は、書類などを原稿として、その紙面上の図形・写真等を別の紙などに複写するデジタル複写機又はデジタル複合機、及び、入力された画像情報その他の情報に基づいてその可視画像を印刷用紙（記録用紙とも呼ぶ）などに印刷して出力する画像形成装置（印刷装置又はプリンタとも呼ぶ）、並びに、紙面上にある図形・写真等を画像として読み取り、その画像データを生成して情報処理装置などへ入力させる画像情報入力装置（イメージスキャナ、又は単にスキャナとも呼ぶ）に関する。
【背景技術】
【０００２】
紙、フィルムなど（以下、単に紙とも呼ぶ）を記録の媒体とした書類などを原稿としてその紙面上の図形・写真等の画像を別の紙に複写する複写機は、コンピュータの普及と共にプリンタ機能や、さらにファクシミリ機能などを合わせたデジタル複合機へと多機能化されている。また、それら印刷装置は、メモリカードなどの情報交換メディアや外部機器などとのインタフェースも備え、情報交換メディアや外部機器を通して装置の制御情報などを取出し又は入換えできるような操作性の向上も図られてきている。【０００３】
そして、さらに、特許文献１に示されるデジタル複写機では、読み取った原稿画像の画像データをメモリカードに記憶させることができ、このように、メモリカードを紙に代わるメディアとしてメモリカードの新しい用途も開発されてきている。今日、インターネットの普及、及び携帯電話やデジタルカメラなどの個人が占有でき携帯が可能な情報機器の浸透により、テキストに限らず、音楽・画像・映像なども含めた種々の情報がデジタル化され、いわゆるマルチメディアが広く日常の様々な場面で利用できるようになっている。ユーザーは、目前にある情報のみならず、世界中の様々なところにある種々の情報が情報機器の表示画面や音響出力を通して得られるようになってきており、メモリカードは、そのような種々のデジタル情報に対する媒体、いわゆるマルチメディアとして極めて有用である。【０００４】
一方、紙は、情報を人に対し視覚的に直接伝える極めて簡便な媒体であり、そのような使途については、メモリカードでは依然代わり難いものである。このようなことから、メモリと紙とは、将来的にも、それぞれの特質に応じた形態において共に利用され続けていくものと思われる。【０００５】
このような中、近年、集積回路（ＩＣ）カードなど、微小なＩＣメモリチップを含んでデータを非接触でやりとりできるものが一般に広く普及し、さらに、カードの形態に限らず、その微少なＩＣメモリチップ自体が無線ＩＣタグなどの形で日常の様々な物に付けられるようになってきている。【０００６】
そして、印刷用の紙に関しても、昨今のいわゆる情報セキュリティへの関心の高まりもあって、例えば、特許文献２では、無線ＩＣタグである非接触型超小型ＩＣチップを内蔵し、そこに偽造防止情報を保持させて偽造の防止を図った印刷媒体が開示されている。【０００７】
また、例えば、特許文献３では、無線ＩＣタグである無線周波（ＲＦ）識別子（ＩＤ）タグが設けられた紙などの記録体が示され、その記録体には文字・写真・絵等の非電子的な情報が印刷されるほか、さらにその二次的情報として映像・音声等をＲＦＩＤに記録できる旨が開示されており、これによって紙をベースとした記録体にて映像・音声をも併せて記録できるので密度の濃い情報伝達を図ることができるとしている。【０００８】
さらに、無線ＩＣタグが設けられた紙を使用する装置やシステムとして、例えば、特許文献４では、無線ＩＣタグであるＲＦＩＤタグが取付けられた印刷用紙への印刷時にその印刷情報をＲＦＩＤタグに又はそのＲＦＩＤタグとネットワークを介して通信し得るデータベースに書込み、そして、印刷物を配布する際に配布情報をＲＦＩＤ又はデータベースに追記して、それらの印刷情報や配布情報に基づいた印刷物の検索を可能にする技術が開示されている。【０００９】
また、例えば、特許文献５では、無線ＩＣタグである無線タグが埋め込まれた用紙に文書の印刷を行ったとき、その無線タグと印刷したその文書データとを対応付けて記憶しておき、その後、その印刷がされた文書を複製する際には、読出した無線タグの内容と、先の記憶とを比較判断して、その複製の禁止や配布先の管理を行うことができる文書管理システムが示されている。【００１０】
また、例えば、特許文献６では、無線ＩＣタグであるＲＦＩＤチップが付いた紙の文書を原稿として読取る際、先ずそのＲＦＩＤに記録された付加情報を読取り、その付加情報が文書の複製を許可する条件を満たす場合にのみ原稿を複製する画像形成装置が示されている。
【特許文献１】特開２００４−７２７６２号公報
【特許文献２】特開２００３−５８８５６号公報
【特許文献３】特開２００６−１０３１０９号公報
【特許文献４】特開２００４−３１０２３９号公報
【特許文献５】特開２００５−３５０９５号公報
【特許文献６】特開２００５−３０５６６２号公報
【発明の開示】
【発明が解決しようとする課題】
【００１１】
しかしながら、上記従来の構成に係る、特許文献２では、その印刷媒体に設けられた超小型ＩＣチップによってその媒体が偽造物でないことが示せるという技術が開示されているにとどまり、それは超小型ＩＣチップの機能を印刷媒体の使用者に利用させようとするものではない。【００１２】
また、特許文献３に示されたものでは、非電子的な情報が印刷される記録体に設けられたＲＦＩＤによって、電子的な情報であって印刷された情報の二次的情報である映像・音声等が伝達できるものの、その機能にとどまり、同文献は、その二次的情報を機密情報（開示伝達が特定の者に対してのみされるべき情報）として扱うための技術を開示するものではなく、その構成自体で機密情報を効果的に扱いうるものではない。【００１３】
また、無線ＩＣタグが設けられた紙を使用する上記従来の構成の、特許文献４又は５に示されたシステム及び特許文献５に示された装置では、いずれも、メモリである無線ＩＣタグを、それが設けられている紙の面上に図形・写真等の形態で記録された情報の複製の禁止若しくは制限又はその記録がされた文書の管理（印刷情報・配布情報）の用途に使うにとどまっている。【００１４】
すなわち、特許文献４に示された技術は、ＲＦＩＤに記録した印刷情報や配布情報に基づいてその検索を行うものであり、印刷物の検索・管理をその目的としている。【００１５】
また、特許文献５及び６に示された技術は、人に対する本来の情報が紙面上の図形・写真等に存在しており、その情報が例えば機密情報などであってその配布・複製等が制限されるべきときに、無線ＩＣタグの機能を利用しようとするものである。換言すれば、機密情報といえども紙面上の図形・写真等に表されており、従って、例えば複写機にその無線ＩＣタグが有する配布・複製等の制限に係る情報に従う機能が備わっていない場合には、そのような制限が無視され、機密情報である紙面上の図形・写真等が難なく複写されてしまい、期待されている功を全く奏しない。そして、実際には、このような場合が殆どであり、特許文献５又は６に示されたものは、ともに、機密情報などについて情報の機密を保持する手段としては使えない。【００１６】
一方、特許文献１に示されたようなメモリカードに情報を記録するものでは、記録データの暗号化などによってその機密性を確保することはできるが、その情報にアクセスできる権限を有した本来の利用者にとっては、情報を人に対し視覚的に直接伝えるものではないので、また、物理的に紙とは異なる物である以上、紙と同じような使用ができるものではない。【００１７】
本発明は、このような従来の課題を解決するものであり、極めて簡便な紙などの媒体をベースにしたものであって、無線ＩＣタグが設けられたものを使用し、配布・複製等が制限される機密情報と、機密でない情報とを、その情報の機密度に応じて、安全かつ便利に扱いうる画像形成装置、画像情報入力装置、デジタル複合機等を提供するものである。
【課題を解決するための手段】
【００１８】
本発明は、上記目的を達成するために、表面に印刷がされた紙、フィルムその他の印刷媒体を、情報の記憶ができる超小型集積回路（ＩＣ）タグを含み備え、前記印刷には、前記ＩＣタグに対するその記憶情報へのアクセスに必要な鍵としての情報であるアクセス情報を機械識別可能な形態で表した模様が含まれていることを特徴としたものとする。【００１９】
また、入力された画像情報その他の情報に基づいてその可視画像を印刷用の紙、フィルムその他の媒体上に印刷して出力する画像形成装置を、印刷用前記媒体上に可視画像を形成して印刷を行う印刷部と、印刷用前記媒体に設けられ情報の記憶ができる超小型集積回路（ＩＣ）タグとの間でデータ通信が行え、前記ＩＣタグが記憶する情報である記憶情報、その他のタグ情報をやりとりするＩＣタグリーダとを含み備え、前記ＩＣタグに対する前記記憶情報へのアクセスに必要な鍵としての情報であるアクセス情報を機械識別可能な形態で表した模様を、入力された前記画像情報に基づく画像に重乗してそのＩＣタグが設けられた前記媒体上に印刷し、かつ、そのＩＣタグにその記憶情報を記憶させることを特徴としたものとする。【００２０】
また、紙、フィルムその他の媒体上にある図形・写真等を画像として読み取ってその画像データを生成して情報処理装置などへ入力させる画像情報入力装置を、前記媒体を撮像してそこに記録されている図形・写真等を画像として直接読み取るイメージスキャナ部と、印刷用前記媒体に設けられ情報の記憶ができるＩＣタグとの間でデータ通信が行え、前記ＩＣタグが記憶する情報である記憶情報、その他のタグ情報をやりとりするＩＣタグリーダとを含み備え、前記媒体に設けられた前記ＩＣタグを検知し、かつ、その媒体上の図形・写真等を前記イメージスキャナが撮像したその画像内から機械識別可能な所定の形態で表された模様を抽出し、その模様を識別して得られた情報を鍵として、それをもとに前記ＩＣタグの前記記憶情報へアクセスすることを特徴としたものとしてもよい。【００２１】
また、入力された画像情報その他の情報に基づいてその可視画像を印刷用の紙、フィルムその他の媒体上に印刷して出力機能と、媒体上に記録されている図形・写真等を画像として読み取ってその画像データを生成して入力する画像情報入力機能とを有したデジタル複合機であって、印刷用前記媒体上に可視画像を形成して印刷を行う印刷部と、前記媒体を撮像してそこに記録されている図形・写真等を画像として直接読み取るイメージスキャナ部と、印刷用前記媒体に設けられ情報の記憶ができるＩＣタグとの間でデータ通信が行え、前記ＩＣタグが記憶する情報である記憶情報、その他のタグ情報をやりとりするＩＣタグリーダとを含み備え、入力された前記画像情報に基づく画像の印刷の際には、前記ＩＣタグに対する前記記憶情報へのアクセスに必要な鍵としての情報であるアクセス情報を識別が可能な形態で表した模様を、画像情報に基づく前記画像に重乗してそのＩＣタグが設けられた前記媒体上に印刷し、かつ、そのＩＣタグにその記憶情報を記憶させ、一方、前記媒体上の図形・写真等の読み取りの際には、前記媒体に設けられた前記ＩＣタグを検知し、かつ、その媒体上の図形・写真等を前記イメージスキャナが撮像したその画像内から機械識別可能な所定の形態で表された模様を抽出し、その模様を識別して得られた情報を鍵として、それをもとに前記ＩＣタグの前記記憶情報へアクセスすることを特徴としたものとしてもよい。
【発明の効果】
【００２２】
本発明は、ＩＣタグを含み備えた紙などの印刷媒体であって、その表面には機密を要しない情報（便宜的に開示情報と呼ぶ）が印刷によって記録されていると共に、そのＩＣタグ内には機密情報が記録（記憶）されていることで、機密情報の提供のためのフレキシブルディスク、ファイルサーバー等の別途の手段を不要とし、機密情報を、ＩＣタグにて安全に保管させつつ、開示情報と一体に簡便に配布することができる。さらに、その表面への印刷に、そのＩＣタグの記憶情報へのアクセスに必要となる鍵情報を機械識別可能な形態で表した模様を含めることで、機密情報と開示情報との一体性をより確実にさせてそれらの保管・利用を容易にさせることができつつ、その印刷物（印刷媒体）を所持した者でなければその機密情報にアクセスできないものにできるので、ＩＣタグ内の機密情報が印刷媒体から離れて単独で漏えいすることが防げ、機密情報の安全性をより高めることができる。【００２３】
すなわち、一般に、関連しあった情報は、その実体の所在が分離されていると、実際上、管理及び取扱いが不便である。例えば、関連しあった情報であるにもかかわらず、その情報の一部（例えば画像情報）が紙に、他の一部（例えば機密情報）がメモリカードに、それぞれ別物に記録されていると、それらの物の関連付けについても別途管理が必要とされ、しかも、このような管理は往々にして人為的なミスを伴いやすいものである。また、その機密情報の実体だけをファイルサーバーなどに保管しておきネットワークなどを通してその実体にアクセスする構成も考えられようが、このような構成をとると、そのためのオンラインの環境が構築できない場面では、結局、機密情報たるその実体部分へのアクセスができず、そのような構成は利用者にとって決して利用しやすいものではない。それらに対し、本発明は、情報の機密性の有無にかかわりなくそれらの実体すべてをまとめて、つまり、機密情報とそのアクセス情報とが共に、物理的に一の物に記録されるので、関連しあった情報を散逸させず、かつ、機密情報の印刷などの利用時にファイルサーバーなどを必要とすることなく、利用者にとってその管理及び取扱いを簡便にさせることができ、情報の配布元にとっても機密情報をサーバなどにて配布後も管理し続ける必要がなくせる。【００２４】
そして、機密情報自体については、その記録先（媒体）をＩＣタグとして、情報の漏えい・改ざんに対して高い安全性を確保した記録・配布を行える。さらに、ＩＣタグに記録した機密情報へのアクセスに必要な鍵となる情報を画像として記録（印刷）するので、ＩＣタグに記録する機密に係る電子情報を、ＩＣタグに対する記憶情報、その他のタグ情報をやりとりするＩＣタグリーダ（タグへの情報の書込み機能も含む）で読取って電子的に複製されたとしてもそれだけではその機密情報の内容にアクセスできないデータにして、その機密情報へのアクセスがより困難なものにできる。つまり、機密情報の提供において、その機密情報へのアクセスに係る情報のデータを普通には視認できないいわゆる透かし画像として印刷紙面上に含ませて、そのデータの秘匿性を取ることができる。そして、万一、ＩＣタグが印刷紙から取り外されて取り扱われたときにはＩＣタグに記憶された機密情報の読出しを不能にして、機密情報のその印刷紙との一体性を確実にさせることもできる。【００２５】
このとき、アクセス情報を表わすための形態についての仕様を一般に対しては秘密とすることでアクセス情報についても一種の暗号化が図れ、機密の安全性をより高めることができ、また、アクセス情報が記録された画像を光学的に複写されたときに正確に複写されにくいものとしておけば、アクセス情報を複写による拡散が抑えられたものにすることができる。【００２６】
例えば、印刷紙面上の画像に透かし画像として、ＩＣタグ内に記憶された機密情報の読出しを可能とするためのいわゆるパスワード（データ）を表す微細な模様を黄色などで重乗しておくことで、その透かし画像（パスワード）を読取って解読することができる機械において、その解読したパスワードをＩＣタグに与えることによってＩＣタグが記憶している機密情報の読出しが可能となるようにできる。逆に、ＩＣタグが印刷紙から取り外されて透かし画像によってのみ得られるパスワードを知り得ないときには、ＩＣタグからの機密情報の読出しが不可能にできる。このように、制限情報に係るデータを透かし画像として印刷紙面上に含ませることで、ＩＣタグ内の機密情報の安全性をより高めることができると共に、機密情報とその印刷紙との一体性を確実にさせることができ、保管・利用上の間違いも防止できる。【００２７】
つまり、本発明に係る印刷物には、機密情報であってもその実体がそこに記録されており、利用者にとって便利なものでありながら、かつ、その機密情報は、記録形態が電子的なものなので従来の複写機では複製できず、また、アクセス情報が画像とされてその印刷物に記録されているので、ＩＣタグリーダを備えただけの装置では結局その必要な情報が複製できず、漏えいすることはない。【００２８】
このように、一つの印刷物にて開示情報と共にそれに関連した機密情報についても、その印刷物のオリジナルを有した者でなければ機密情報へのアクセスをより困難として、機密情報の実体自体を安全かつ便利に配布できるという効果を奏する。【００２９】
また、本発明は、機密情報をＩＣタグに記憶させ、かつ、それに対するアクセス情報を識別が可能な形態で表した模様を、入力された画像情報に基づく画像に重乗してそのＩＣタグが設けられた用紙上に印刷する画像形成装置とすることで、前述のような、一つの印刷物にて開示情報と共にそれに関連した機密情報についても、その印刷物のオリジナルを有した者でなければ機密情報へのアクセスをより困難として、機密情報の実体自体を安全かつ便利に配布できる印刷物の作成が容易に行える。【００３０】
また、本発明は、印刷物に設けられたＩＣタグを検知し、かつ、その紙面上の図形・写真等を撮像したその画像内から所定の形態で表された模様部分を抽出して、その形態を識別して得られた情報をもとにＩＣタグの記憶情報へアクセスする画像情報入力装置としたときにも、また、そのような画像情報入力装置と前述の画像形成装置とを複合したデジタル複合機としたときにも、そのような印刷物を媒介として上述と同様の効果を奏する。
【図面の簡単な説明】
【００３１】
【図１】図１は印刷がされた本発明に係る印刷紙を印刷面側から見た模式図である。
【図２】図２（ａ）はＩＣタグが設けられた本発明に係る印刷用紙を示す模式図、図２（ｂ）はＩＣタグが設けられた部分の断面を示す模式図である。
【図３】図３は模様印刷の形状（ドットの配置）を説明するための模式図であり、図３（ａ）は模様とその模様が表わす情報（値、文字）の例を示す図、図３（ｂ）文字（数字）列を図３（ａ）に示した模様で表わした例を示す図である。
【図４】図４は模様印刷におけるデータの構造を説明するデータ構造図であり、図４（ａ）は模様印刷におけるデータの構造を示す図、図４（ｂ）模様印刷における表現データについての構造を示す図である。
【図５】図５は本発明に係る画像形成装置の全体構成の概略を示す図で、図５は（ａ）は背面側から見た外観の斜視図、図５（ｂ）は横断面図である。
【図６】図６は画像形成装置のデータ処理・装置制御に係るブロック構成を示す図である。
【図７】図７は画像形成装置の印刷・記録の基本的な動作を示すフローチャートである。
【図８】図８は画像形成装置へ入力されるデータを、機密情報を含んだ文書を例に、マークアップ表現にて模式的に示した図である。
【図９】図９は本発明に係る画像情報入力装置の全体構成の概略を示す横断面図である。
【図１０】図１０は画像情報入力装置のデータ処理・装置制御に係るブロック構成を示す図である。
【図１１】図１１は画像情報入力装置から出力するデータの形式を、原稿（記録紙）を例に模式的に示した図である。
【図１２】図１２は画像情報入力装置での画像・記憶情報についての読取りの基本的な動作を示すフローチャートである。
【図１３】図１３は本発明に係るデジタル複合機の構成及び構造を説明するための模式的な正面断面図である。
【図１４】図１４はデジタル複合機のデータ処理・装置制御に係るブロック構成を示す図である。
【図１５】図１５は機密情報を含めた印刷がなされた印刷紙を印刷面側から見た模式図である。
【発明を実施するための最良の形態】
【００３２】
本発明の実施の第１の形態は、表面に印刷がされた紙、フィルムその他の印刷媒体であって、情報の記憶ができる超小型集積回路（ＩＣ）タグを含み備え、前記印刷には、前記ＩＣタグに対するその記憶情報へのアクセスに必要な鍵としての情報であるアクセス情報を識別が可能な形態で表した模様が含まれていることを特徴としたものである。【００３３】
このような構成によって、ＩＣタグを含み備えた紙などの印刷媒体であって、その表面には開示情報が印刷によって記録されていると共に、そのＩＣタグ内には機密情報（情報には文字、図形、写真、文書、音、映像などのデータも含まれる）が記録（記憶）されていることで、機密情報の提供のためのフレキシブルディスク、ファイルサーバー等の別途の手段を不要とし、機密情報を、ＩＣタグにて安全に保管させつつ、開示情報と一体に簡便に配布することができる。さらに、その表面への印刷に、そのＩＣタグの記憶情報へのアクセスに必要となる鍵情報を機械識別可能な形態で表した模様を含める。これにより、機密情報と開示情報との一体性をより確実にさせてそれらの保管・利用を容易にさせることができつつ、その印刷物（印刷媒体）を所持した者でなければその機密情報にアクセスできないものにできるので、ＩＣタグ内の機密情報が印刷媒体から離れて単独で漏えいすることが防げ、機密情報の安全性をより高めることができる。【００３４】
すなわち、本発明に係る記録紙は、情報の機密性の有無にかかわりなくそれらの実体すべてをまとめて、つまり、機密情報とそのアクセス情報とが共に、物理的に一の物に記録されるので、関連しあった情報を散逸させず、かつ、機密情報の印刷などの利用時にファイルサーバーなどを必要とすることなく、利用者にとってその管理及び取扱いを簡便にさせることができ、情報の配布元にとっても機密情報をサーバなどにて配布後も管理し続ける必要がなくせる。【００３５】
そして、機密情報自体については、その記録先を印刷紙内のＩＣタグとして、情報の漏えい・改ざんに対して高い安全性を確保した記録・配布を行える。さらに、ＩＣタグに記録した機密情報へのアクセスに必要な鍵となる情報を画像として記録（印刷）するので、ＩＣタグに記録する機密に係る電子情報を、ＩＣタグに対する記憶情報、その他のタグ情報をやりとりするＩＣタグリーダ（単にリーダーとも呼ぶ。なお、本明細書においては、タグからの情報の読取りに限らずタグに対する情報の書込みの機能を含んだ物についても、単に「リーダ」又は「リーダー」の語を用いる。また、「やりとり」の語はその読取り及び書込みの総称として用いる。）で読取って電子的に複製されたとしてもそれだけではその機密情報の内容にアクセスできないデータにして、その機密情報へのアクセスがより困難なものにできる。つまり、機密情報の提供において、その機密情報へのアクセスに係る情報のデータを普通には視認できないいわゆる透かし画像として印刷紙面上に含ませて、そのデータの秘匿性を取ることができる。そして、万一、ＩＣタグが印刷紙から取り外されて取り扱われたときにはＩＣタグに記憶された機密情報の読出しを不能にして、機密情報のその印刷紙との一体性を確実にさせることもできる。【００３６】
このとき、アクセス情報を表わすための形態についての仕様を一般に対しては秘密とすることでアクセス情報についても一種の暗号化が図れ、機密の安全性をより高めることができ、また、アクセス情報が記録された画像を光学的に複写されたときに正確に複写されにくいものとしておけば、アクセス情報を複写による拡散が抑えられたものにすることができる。【００３７】
例えば、印刷紙面上の画像に透かし画像として、ＩＣタグ内に記憶された機密情報の読出しを可能とするためのいわゆるパスワード（データ）を表す微細な模様を黄色などで重乗しておくことで、その透かし画像（パスワード）を読取って解読することができる機械において、その解読したパスワードをＩＣタグに与えることによってＩＣタグが記憶している機密情報の読出しが可能となるようにできる。逆に、ＩＣタグが印刷紙から取り外されて透かし画像によってのみ得られるパスワードを知り得ないときには、ＩＣタグからの機密情報の読出しが不可能にできる。このように、制限情報に係るデータを透かし画像として印刷紙面上に含ませることで、ＩＣタグ内の機密情報の安全性をより高めることができると共に、機密情報とその印刷紙との一体性を確実にさせることができ、保管・利用上の間違いも防止できる。【００３８】
つまり、本発明に係る印刷物には、機密情報であってもその実体がそこに記録されており、利用者にとって便利なものでありながら、かつ、その機密情報は、記録形態が電子的なものなので従来の複写機では複製できず、また、アクセス情報が画像とされてその印刷物に記録されているので、ＩＣタグリーダを備えただけの装置では結局その必要な情報が複製できず、漏えいすることはない。このように、一つの印刷物にて開示情報と共にそれに関連した機密情報についても、その印刷物のオリジナルを有した者でなければ機密情報へのアクセスをより困難として、機密情報の実体自体を安全かつ便利に配布できる。【００３９】
本発明の実施の第２の形態は、実施の第１の形態において、前記アクセス情報を表す前記形態は、機械では識別が可能であるが人の視覚では識別が困難なものであることを特徴とするものである。【００４０】
このような構成によって、アクセス情報を表す形態を、機械では識別が可能であるが人の視覚では識別が困難なものとすることで、印刷画像におけるアクセス情報の所在を分かりにくくできるので、入力された画像情報に基づく本来の画像を実用上の損失なく印刷でき、かつ、アクセス情報の検知及び表示形態への改ざんを困難にして、機密情報の安全性をより高めることができる。【００４１】
本発明の実施の第３の形態は、実施の第１の形態において、前記ＩＣタグは、電力が外部の機器から無線で供給され、かつ、電磁誘導又は電波で外部の機器とデータ通信を行うことを特徴とするものである。【００４２】
このような構成によって、ＩＣタグを、その電力が外部の機器から無線で供給され、かつ、電磁誘導又は電波で外部の機器とデータ通信を行うものとすることで、自らが電池などの電源を備えずとも、さらに機械的な接触を伴うことなくデータ通信を行って情報のやりとりをすることができる。【００４３】
本発明の実施の第４の形態は、実施の第３の形態において、当該媒体の内部又は表面上にアンテナが導電性インクで描画されて形成されていることを特徴とするものである。【００４４】
このような構成によって、当該媒体の内部又は表面上にアンテナが導電性インクで描画されて形成されることで、アンテナに掛るコストを抑え、かつ機械的部材が排され信頼性を向上することができる。【００４５】
本発明の実施の第５の形態は、入力された画像情報その他の情報に基づいてその可視画像を印刷用の紙、フィルムその他の媒体（便宜上、この媒体を単に紙とも呼び、また、印刷用媒体を単に用紙又は印刷紙若しくは印刷物とも呼ぶ）上に印刷して出力する画像形成装置であって、印刷用前記媒体上に可視画像を形成して印刷を行う印刷部と、印刷用前記媒体に設けられ情報の記憶ができる超小型集積回路（ＩＣ）タグとの間でデータ通信が行え、前記ＩＣタグが記憶する情報である記憶情報、その他のタグ情報をやりとりするＩＣタグリーダとを含み備え、前記ＩＣタグに対する前記記憶情報へのアクセスに必要な鍵としての情報であるアクセス情報を機械識別可能な形態で表した模様（本明細書において模様とは色彩・濃度を含む。例えば、同じ形であっても色彩が異なれば別の模様と考える。）を、入力された前記画像情報に基づく画像に重乗してそのＩＣタグが設けられた前記媒体上に印刷し、かつ、そのＩＣタグにその記憶情報を記憶させることを特徴としたものである。【００４６】
このような構成によって、本発明は、機密情報をＩＣタグに記憶させ、かつ、それに対するアクセス情報を機械識別可能な形態で表した模様を、入力された画像情報に基づく画像に重乗してそのＩＣタグが設けられた用紙上に印刷する画像形成装置とすることで、前述のような、一つの印刷物にて開示情報と共にそれに関連した機密情報についても、その印刷物のオリジナルを有した者でなければ機密情報へのアクセスをより困難として、機密情報の実体自体を安全かつ便利に配布できる印刷物の作成が容易に行える。【００４７】
本発明の実施の第６の形態は、実施の第５の形態において、前記模様は、機械では識別が可能であるが人の視覚では識別が困難なものであることを特徴とするものである。【００４８】
このような構成によって、アクセス情報を表す形態を、機械では識別が可能であるが人の視覚では識別が困難なものとすることで、印刷画像におけるアクセス情報の所在を分かりにくくできるので、入力された画像情報に基づく本来の画像を実用上の損失なく印刷でき、かつ、アクセス情報の検知及び表示形態への改ざんを困難にして、機密情報の安全性をより高めることができる。【００４９】
本発明の実施の第７の形態は、実施の第６の形態において、前記形態は、微細な形状又は人の視覚では感知しにくい色彩であることを特徴とするものである。【００５０】
このような構成によって、アクセス情報を表す模様を、微細な形状又は人の視覚では感知しにくい色彩で構成されたものとすることで、機械では識別が可能であるが人の視覚では識別が困難な形態を容易に実現できる。【００５１】
本発明の実施の第８の形態は、実施の第５の形態において、前記模様は、係るアクセス情報が、所定のキー情報により復号できる暗号化がされて前記形態で表されたものであることを特徴とするものである。【００５２】
このような構成によって、アクセス情報を、所定のキー情報により復号できる暗号化がされた符号にすることで、アクセス情報自体の機密の安全性を高めることができると共に、さらに、複数のキー情報によって、かつ、キー毎に異なる復号が行える暗号化とすれば、印刷物の配布相手先毎に機密情報へのアクセス権限レベルを異なるものとする使い分けを可能にできる。例えば、配布相手先Ａにはキー情報ａを与えて機密情報αへのアクセスを可能とさせるが、配布相手先Ｂにはキー情報ｂを与えて機密情報α及びβへのアクセスを可能とさせる、というような使い分けを可能にできる。【００５３】
本発明の実施の第９の形態は、実施の第５の形態において、前記記憶情報は、当該画像形成装置外の記憶装置に記憶された情報を指し示すものであることを特徴とするものである。【００５４】
このような構成によって、記憶情報を、当該画像形成装置の外部に置かれたファイルサーバーなどの記憶装置に記憶された情報を指し示すものとすることで、その記憶装置へのアクセス手段が必要ではあるが、そのような場面にあっては、ＩＣタグの容量を超えるような大容量の情報であっても利用者への提供を可能にできる。このとき、本発明に係る形態では、ＩＣタグが有する一般的な安全機能に加え、前述したように、さらにそのＩＣタグへのアクセスするために必要なアクセス情報についても画像（模様）を媒介することで一種の暗号化が図られており、ファイルサーバーなどへのアクセスは、それらのより強化された安全手段を経た上でなされるものである。【００５５】
本発明の実施の第１０の形態は、実施の第５の形態において、当該装置は、当該装置に入力された情報のうち、自らの部分へのアクセスが制限された機密情報について、その機密情報自体又はそれに基づく情報の少なくとも一部を前記ＩＣタグに記憶させることを特徴とするものである。【００５６】
このような構成によって、当該装置に入力された情報のうち、自らの情報部分へのアクセスが制限された機密情報について、その機密情報自体又はそれに基づく情報の少なくとも一部をＩＣタグに記憶させることで、当該装置に入力された情報について、機密でない情報が視認できる画像として媒体（紙）面上に印刷された一方、機密に係る情報も同一の媒体（紙）内に視認できずかつアクセスが困難に記録された、そのような情報記録物としての印刷物を作成することができる。【００５７】
本発明の実施の第１１の形態は、実施の第５の形態において、前記ＩＣタグリーダは、無線で、前記ＩＣタグへその電力を供給でき、かつ、そのＩＣタグとデータ通信が行えるものであることを特徴とするものである。【００５８】
このような構成によって、ＩＣタグリーダを、無線（例えば、電磁誘導、電波等）で、ＩＣタグへその電力を供給でき、そのＩＣタグとデータ通信が行えるものとすることで、無線ＩＣタグなどの非接触型のＩＣタグが利用できる。【００５９】
本発明の実施の第１２の形態は、実施の第５の形態において、当該装置は、前記印刷部での印刷の際にその印刷が行われる前記媒体に対してＩＣタグの検出を行い、その後、前記ＩＣタグリーダが、その検出されたＩＣタグを特定してそのＩＣタグに対し、前記記憶情報の記憶を行わせ又は前記記憶情報を有効とさせることを特徴とするものである。【００６０】
このような構成によって、印刷部での印刷の際にその印刷が行われる用紙に対してＩＣタグの検出を行い、その後、非接触型のＩＣタグリーダが、その検出されたＩＣタグを特定してそのＩＣタグに対し、記憶情報の記憶を行わせ又は記憶情報を有効とさせることで、非接触型のＩＣタグリーダが通信可能な範囲内に印刷紙が複数存在しても、特定の一の印刷紙を選んで、そこに記録されるべき記憶情報についてそのＩＣタグにその記憶を行わせ又はその記憶情報を有効とさせることができる。【００６１】
本発明の実施の第１３の形態は、実施の第５の形態において、当該装置は、さらに、印刷用前記媒体に印刷がされた印刷紙を排出しそしてその排出を検知する排紙部を含み備えており、前記アクセス情報を示す画像の印刷を行い、その印刷紙を前記排紙部が排紙したことを検知した後に、前記ＩＣタグに前記記憶情報の記憶を行わせ又は前記記憶情報を有効とさせることを特徴とするものである。【００６２】
このような構成によって、アクセス情報を示す画像の印刷を行い、その印刷紙を排紙部が排紙したことを検知した後に、ＩＣタグに記憶情報の記憶を行わせ又は記憶情報を有効とさせることで、紙詰まりなどの印刷エラーが発生したときには、記憶情報をＩＣタグに有効には存在させず、ＩＣタグに記録される機密情報の不要な書出しを控えることができるので、ひいては機密情報の漏えいとなる可能性を抑えることができる。また、画像形成装置におけるいわゆる紙詰まりや紙ジャムなどの印刷エラーに対しての再印刷に関し、印刷及び印刷紙の排出が正しく完了していなかったことを検知しており、かつ、タグ情報における少なくとも機密情報に係るデータを未だ有効としていなかった場合に限ってその再印刷を可能として、正規の印刷物が存するにもかかわらずさらにその再印刷が行われるようなことを避けることができる。これによって、例えば、切符などの印刷において、一の課金のみでの同一複数の発行がなされるようなことを避けることができ、画像形成装置において、その印刷物が唯一であることを確実にできる。このことは、例えば、ホストコンピュータに対し通信回線などを通して接続された遠隔地のエンドユーザーなどの側において発券などを行うような場合、とりわけ有用である。【００６３】
本発明の実施の第１４の形態は、実施の第１３の形態において、印刷の際、前記印刷紙の前記ＩＣタグに対し、前記記憶情報の記憶をその印刷紙が前記排紙部に排紙されるまでの間に行わせ、かつ、その記憶された記憶情報を、その印刷紙が前記排紙部に排紙されるまでは無効のままとし、その印刷紙を前記排紙部が排紙したことを検知後に有効とさせることを特徴とするものである。【００６４】
このような構成によって、印刷の際、印刷紙のＩＣタグに対し、記憶情報の記憶をその印刷紙が排紙部に排紙されるまでの間に行わせ、かつ、その記憶された記憶情報を、その印刷紙が排紙部に排紙されるまでは無効のままとし、排紙されたことを検知後に有効とさせることで、記憶情報が大量であっても、印刷紙が排紙部に排紙されるまでの比較的長い時間において記憶させることができるので、また、記憶情報の有効無効についてはごくわずかの情報量によってその状態を示すことができ、排紙後の極めて短時間にその制御が行えるので、排紙後直ちにユーザーがその印刷紙を取るようなことがあっても問題ないものにできる。【００６５】
本発明の実施の第１５の形態は、実施の第１３の形態において、前記ＩＣタグリーダは、そのやりとり可能な範囲を少なくとも前記排紙部を除いた範囲に限ることができる指向性その他の範囲限定手段を有したことを特徴とするものである。【００６６】
このような構成によって、ＩＣタグリーダを、そのやりとり可能な範囲を少なくとも排紙部を除いた範囲に限ることができる指向性その他の範囲限定手段を有したものとすることで、一の無線ＩＣタグリーダであっても、印刷がされて排紙部に排紙された印刷紙を検知することなく印刷部に存する（印刷中の）記録用紙のみを検出することができる。【００６７】
本発明の実施の第１６の形態は、紙、フィルムその他の媒体上にある図形・写真等を画像として読み取ってその画像データを生成して情報処理装置などへ入力させる画像情報入力装置であって、前記媒体を撮像してそこに記録されている図形・写真等を画像として直接読み取るイメージセンサ部と、印刷用前記媒体に設けられ情報の記憶ができる超小型集積回路（ＩＣ）タグとの間でデータ通信が行え、前記ＩＣタグが記憶する情報である記憶情報、その他のタグ情報をやりとりするＩＣタグリーダとを含み備え、前記媒体に設けられた前記ＩＣタグを検知し、かつ、その媒体上の図形・写真等を前記イメージセンサ部が撮像したその画像内から機械識別可能な所定の形態で表された模様を抽出し、その模様を識別して得られた情報を鍵として、それをもとに前記ＩＣタグの前記記憶情報へアクセスすることを特徴とするものである。【００６８】
このような構成によって、媒体（紙）に設けられたＩＣタグを検知し、かつ、その紙面上の図形・写真等をイメージセンサ部が撮像したその画像内から機械識別可能な所定の形態で表された模様を抽出し、その模様を識別して得られた情報を鍵として、それをもとにＩＣタグの記憶情報（情報には文字、図形、写真、文書、音、映像などのデータも含まれる）へアクセスできる、すなわち、イメージスキャナが撮像した画像内から所定の模様を抽出し、その模様に表されたデータが示す情報（後述するように、この情報に基づいて機密情報へのアクセスが可能ともなるのでこの情報をアクセス情報と呼ぶ）に基づいてＩＣタグの記憶情報へのアクセスが可能であると判断できたときにのみ、その記憶情報にアクセスできる（このようにアクセスが制限されているので、その記憶情報を機密情報とも呼ぶ）ので、紙面上を直接読取って得た図形・写真等と共に、ＩＣタグの機能によってそのデータの安全性が保たれた記憶情報へもアクセスして読み出した機密情報を、当該装置に接続された情報装置へ入力させることができる。このように、機密情報のみをフレキシブルディスク、ファイルサーバー等から別途取得することなどが不要にでき、機密情報と画像情報との一体性を確実に取った利用を容易なものとすることができる。【００６９】
本発明の実施の第１７の形態は、実施の第１６の形態において、前記模様は、機械では識別が可能であるが人の視覚では識別が困難なものであることを特徴とするものである。【００７０】
このような構成によって、ＩＣタグの記憶情報へのアクセスに必要な鍵となる情報を得るために識別される模様を、機械では識別が可能であるが人の視覚では識別が困難なものとすることで、機密情報の読出しにおいて、ＩＣタグの記憶情報へのアクセスに係る情報のデータが普通には視認できないいわゆる透かし画像として印刷紙面上に含まれてそのデータの秘匿性が取られたものについても、印刷紙面上の模様からその機密情報へのアクセスに係る情報のデータが抽出されて、そのデータによって機密情報へのアクセスが可能とされるので、ユーザーは、機密情報のその印刷紙との一体性がとれている（つまり、印刷物が改ざんなどされていない）ものについては、機密情報のアクセス及び読出しが手間なく行える。逆に、機密情報のその印刷紙との一体性が取れていない（つまり、印刷物が改ざんされている）ものについては、このとき、その機密情報の読出しを不可として、さらにはユーザーに対し機密情報の存在をも知り得ないものにすることができる。【００７１】
例えば、印刷紙面上の画像に透かし画像として、ＩＣタグ内に記憶された機密情報の読出しを可能とするためのいわゆるパスワード（データ）を表す微細な模様を黄色などで重乗しておくことで、その透かし画像（パスワード）を読取って解読することができる機械において、その解読したパスワードをＩＣタグに与えることによってＩＣタグが記憶している機密情報の読出しが可能となるようにできる。逆に、ＩＣタグが印刷紙から取り外されて透かし画像によってのみ得られるパスワードを知り得ないときには、ＩＣタグからの機密情報の読出しが不可能にできる。このように、制限情報に係るデータを透かし画像として印刷紙面上に含ませることで、ＩＣタグ内の機密情報の安全性をより高めることができると共に、機密情報とその印刷紙との一体性を確実にさせることができ、保管・利用上の間違いも防止できる。【００７２】
本発明の実施の第１８の形態は、実施の第１６の形態において、前記形態を、微細な形状又は人の視覚では感知しにくい色彩であることを特徴としたものである。【００７３】
このような構成によって、アクセス情報を表す模様を、微細な形状又は人の視覚では感知しにくい色彩で構成されたものとすることで、人の視覚では識別が困難な形態であるが、機械では識別が可能であり容易に行える。【００７４】
本発明の実施の第１９の形態は、実施の第１６の形態において、前記模様は、係るアクセス情報が、所定のキー情報により復号できる暗号化がされて前記形態で表されたものであることを特徴とするものである。【００７５】
このような構成によって、アクセス情報を、所定のキー情報により復号できる暗号化がされた符号とすることで、複数のキー情報によってかつキー毎に異なる暗号化がされたアクセス情報について、キー毎に異なる符号に復号化して、機密情報の読出しを、印刷物の配布を受けた者のアクセス権限レベルに応じたものにできる。例えば、キー情報ａを与えられた者Ａは機密情報αへのアクセスが可能だが、キー情報ｂを与えられた者Ｂは機密情報α及びβへのアクセスが可能、というような使い分けを可能にできる。【００７６】
本発明の実施の第２０の形態は、実施の第１６の形態において、当該装置外の記憶装置に記憶された情報を指し示すものであることを特徴とするものである。【００７７】
このような構成によって、当該装置の外部に置かれたファイルサーバーなどの記憶装置に記憶された情報を指し示す記憶情報に対応することで、その記憶装置へのアクセス手段が必要ではあるが、そのような場面にあっては、ＩＣタグの容量を超えるような大容量の情報であっても利用者への提供を可能にできる。このとき、本発明に係る形態では、ＩＣタグが有する一般的な安全機能に加え、前述したように、さらにそのＩＣタグへのアクセスするために必要なアクセス情報についても画像（模様）を媒介することで一種の暗号化が図られており、ファイルサーバーなどへのアクセスは、それらのより強化された安全手段を経た上でなされるものである。【００７８】
本発明の実施の第２１の形態は、実施の第１６の形態において、前記ＩＣタグリーダは、無線で、前記ＩＣタグへその電力を無線で供給でき、かつ、そのＩＣタグとデータ通信が行えるものであることを特徴とするものである。【００７９】
このような構成によって、ＩＣタグリーダを、無線（例えば、電磁誘導、電波等）で、ＩＣタグへその電力を供給でき、そのＩＣタグとデータ通信が行えるものとすることで、無線ＩＣタグなどの非接触型のＩＣタグが利用できる。【００８０】
本発明の実施の第２２の形態は、実施の第１６の形態において、前記ＩＣタグリーダは、そのやりとり可能な範囲を少なくとも前記排紙部を除いた範囲に限ることができる指向性その他の範囲限定手段を有したことを特徴とするものである。【００８１】
このような構成によって、ＩＣタグリーダを、そのやりとり可能な範囲を少なくとも排紙部を除いた範囲に限ることができる指向性などを有したものとすることで、印刷中であって未だ排紙部に至る途中の搬送経路内にある用紙を検出することができる。例えば、画像情報入力装置は、このような構成によって印刷情報に基づく印刷を行っている時にその対象の用紙を検出して、そのタグ情報を取得する。そして印刷を終えて排紙を完了した後、既にタグ情報を取得しているその印刷紙に向けて記憶情報を書込み又は有効にする。このような動作により、記憶情報の書込み又は有効化がその印刷紙とは異なる他の印刷紙に対して行われることなく、印刷情報と記憶情報との一体性を確かなものとすることができる。【００８２】
本発明の実施の第２３の形態は、入力された画像情報その他の情報に基づいてその可視画像を印刷用の紙、フィルムその他の媒体上に印刷して出力機能と、媒体上に記録されている図形・写真等を画像として読み取ってその画像データを生成して入力する画像情報入力機能とを有したデジタル複合機であって、印刷用前記媒体上に可視画像を形成して印刷を行う印刷部と、前記媒体を撮像してそこに記録されている図形・写真等を画像として直接読み取るイメージスキャナ部と、印刷用前記媒体に設けられ情報の記憶ができる超小型集積回路（ＩＣ）タグとの間でデータ通信が行え、前記ＩＣタグが記憶する情報である記憶情報、その他のタグ情報をやりとりするＩＣタグリーダとを含み備え、入力された前記画像情報に基づく画像の印刷の際には、前記ＩＣタグに対する前記記憶情報へのアクセスに必要な鍵としての情報であるアクセス情報を機械識別可能な形態で表した模様を、画像情報に基づく前記画像に重乗してそのＩＣタグが設けられた前記媒体上に印刷し、かつ、そのＩＣタグにその記憶情報を記憶させ、一方、前記媒体上の図形・写真等の読み取りの際には、前記媒体に設けられた前記ＩＣタグを検知し、かつ、その媒体上の図形・写真等を前記イメージスキャナが撮像したその画像内から機械識別可能な所定の形態で表された模様を抽出して、その模様を識別して得られた情報を鍵として、それをもとに前記ＩＣタグの前記記憶情報へアクセスすることを特徴とするものである。【００８３】
このような構成によって、入力された画像情報に基づく画像の印刷の際には、ＩＣタグに対するその記憶情報へのアクセスに必要な情報であるアクセス情報を機械識別可能な形態で表した模様を、画像情報に基づく画像に重乗してそのＩＣタグが設けられた媒体上に印刷し、かつ、そのＩＣタグにその記憶情報を記憶させ、一方、媒体上の図形・写真等の読み取りの際には、媒体に設けられたＩＣタグを検知し、かつ、その媒体上の図形・写真等をイメージスキャナが撮像したその画像内から機械識別可能な所定の形態で表された模様を抽出し、その模様を識別して得られた情報を鍵として、それをもとにＩＣタグの記憶情報へアクセスすることで、一の媒体に記録された機密でない情報（印刷された図形・写真等）と機密情報（ＩＣタグに記憶された情報）とを、それらの情報の別にかかわらず、機密情報についてはその機密性及び安全性を保った上で、簡便に複写などを行うことができる。
【実施例】
【００８４】
以下、本発明の実施例について図面を用いて説明する。【００８５】
（実施例１）
本実施例は、印刷媒体である印刷用紙に印刷がされた印刷紙であって、情報が記憶された超小型集積回路（ＩＣ）タグを含み備えており、そのＩＣタグの記憶情報へのアクセスに必要な情報であるアクセス情報が表わされた模様を、当該紙面上の印刷に含むものである。【００８６】
図１は、本実施例の一例としての印刷紙を印刷面側から見て模式的に示したものである。【００８７】
図１において、印刷紙（記録紙とも呼ぶ）１は、印刷用紙２の紙面上に印刷３及び４並びに模様印刷５から７がされたものである。ここで、印刷３及び４は、機密を要しない情報（開示情報）として人が読める普通の形態に印刷されたもの（図示した例では文章）である。【００８８】
模様印刷５〜７は、後述するように、色が黄色の微小な（人の普通の視覚では認識しにくい）ドットによる模様が印刷されたものである。これらの印刷模様５〜７は、後述する実施例３の画像情報入力装置（イメージスキャナ）、実施例４のデジタル複合機などにてその画像の読取りを、さらにはその処理を行うことができる。【００８９】
図２は、その印刷（印刷３及び４並びに模様印刷５〜７）がされる前の印刷用紙（記録用紙とも呼ぶ。また単に紙又は用紙とも呼ぶ）２であって、ＩＣタグ８が設けられたものであり、（ａ）はその紙面（１面）の全体を示し、（ｂ）はそのＩＣタグ８が設けられた部分についてそのＡ１における断面を示す。【００９０】
図２において、ＩＣタグ８は、紙２の厚み内に設けられたＩＣメモリチップであって、情報の記憶ができると共に、後述するＩＣタグリーダ（２９）と無線電波によって非接触で電力が供給されかつ記憶情報、識別情報（個々のＩＣタグ８毎に付されたそれぞれに固有な符号）その他のタグ情報についてデータのやりとり（送受信）ができるものである。ただし、その記憶する情報である記憶情報が機密情報としてＩＣタグに記憶されているときには、その機密情報のアクセス（読出し。すなわち、ＩＣタグからの送信）にはそのための特別な情報であって機密情報毎に固有な（ユニークな）内容を有したアクセス情報（後述する広義のアクセス情報を区別するために狭義のアクセス情報とも呼ぶ。また、本実施例ではこのアクセス情報として番号を用いているのでアクセス番号とも呼ぶ）を必要とする。すなわち、ＩＣタグ８は、機密情報と共にそのアクセス情報も記憶され、そのような記憶情報の記録（記憶）後、ＩＣタグリーダ（２９）から記憶情報の読出し要求を受けた際、その記憶情報が機密情報であるときには、その機密情報に対応したアクセス番号がその読出し要求に含まれているかどうかをチェックして、含まれているときにのみ、その機密情報の送信（読出し）を行う。従って、読出し要求にアクセス番号が含まれていないときや、読出し要求におけるアクセス番号が記憶したものにないときには、機密情報の送信（読出し）は行わない。【００９１】
ここで、アクセス番号とは、前述のとおり狭義のアクセス情報であり、ＩＣタグ８に対しその記憶情報へのアクセスに必要な情報であって、記憶情報のＩＣタグ８における管理情報（各記憶情報をＩＣタグ８が特定できるための情報。例えば、データテーブルに対するポインタ、ロケーション符号、縦列番号等）、若しくは機密情報としての管理情報（各記憶情報をＩＣタグ８及びタグリーダ（２９）が特定できるための情報。例えば、機密情報毎に固有な識別符号など）、又はこれらの組合わせである。【００９２】
次に、紙２の厚み内のＩＣタグ８の周りにあってその無線電波を受発信するアンテナ９は、そのパターンが紙２内に導電性インクで印刷されて含まれている。本明細書では、単にＩＣタグと呼ぶとき、特に断りない限り、アンテナ９も含まれたものを指す。【００９３】
なお、ＩＣタグ８は、必ずしも、紙２の厚み内に設けられる必要はなく、紙面上に貼付されたものであっても構わないが、紙２の厚み内に設けることでその存在を目立たなくできるので、機密情報が記録される物の形態としては紙２の厚み内に設けるのが好ましい。【００９４】
また、ＩＣタグ８を、紙２（ＩＣタグ８）の面の裏表（８ａ、８ｂ）の別に応じたタグ情報をやりとりするものとすれば、タグ情報を、紙の裏表の各面上に印刷された図形・写真等に応じたものとすることができるので、ユーザーにおいて情報の選択の手間が省け便利であると共に、タグ情報のやりとりが必要な情報に限られて機密情報の扱いとしても好ましい。【００９５】
表１及び表２は、ＩＣタグ８に記録（記憶）された記憶情報（一例）とその構造を示す表であり、表１は文書ＩＤ（番号）について、表２は機密情報について示す。ＩＣタグ８は、一の文書ＩＤ（番号）及び一又は複数の機密情報を、記憶情報として記憶している。【００９６】
【表１】
2008081886.tif 000003
【００９７】
【表２】
2008081886.tif 000004
【００９８】
表１において、文書ＩＤ（番号）は、文書固有の識別子（ＩＤ。本実施例では番号を用いている）であり、これによって当該文書を特定できうる。なお、この文書ＩＤ（番号）の情報は、記録紙１が配布されるとき、配布先へ、その記録紙１とは別の媒体又は手段（例えば、口頭、電気通信手段などの情報伝達手段）によっても伝達される。【００９９】
表２において、機密情報について、狭義のアクセス情報であるアクセス番号は、当該文書における当該機密情報へのアクセスに必要な情報（いわゆる鍵又はパスワード）である。【０１００】
本実施例では機密情報毎に生成された乱数による数値を基にしたものであり、文書ＩＤ（番号）と組合わせたとき、その内容がユニークになるものとしている。従って、特定の文書情報の記録がされた記録紙１に対してそのＩＣタグ８の記憶する機密情報（特定の文書の特定の機密情報）へアクセスするためには、そのアクセス番号（情報）と共に、文書を特定できうる文書ＩＤ（情報）も必要であり、このアクセスに必要な情報を特に広義のアクセス情報と呼ぶ。ユーザ（機器・装置・システム等）は、この広義のアクセス情報によって、特定の文書におけるその機密情報の存在を知りかつアクセス情報を知り得たときのみＩＣタグリーダ（２９）を介してその機密情報にアクセスでき、逆に、機密情報に対応した正しいそのアクセス情報を知り得ないときには、その機密情報の読出しがまず不可能である。このように、広義のアクセス情報は、特定の文書における特定の機密情報の読出しのためのいわゆるパスワード（鍵）であり、そして、文書ＩＤが第一の鍵、狭義のアクセス情報（アクセス番号）が第二の鍵に当たる。【０１０１】
機密レベルは、機密情報の機密の度合いを示す値（本実施例ではその度合いが高いほどより大きな値としている）である。【０１０２】
内容の欄は、記憶情報（機密情報）自体の内容を示す。【０１０３】
再び図１において、模様印刷５〜７は、先に触れたように、色が黄色の微小なドットによる模様が印刷されたものであり、模様の形状（ドットの配置）によって所定の情報（データ）を表わす。【０１０４】
図３は、模様印刷（５〜７）の形状（ドットの配置）について説明するための模式図であり、（ａ）は模様とその模様が表わす情報（値、文字）とを例示しており、（ｂ）は値の並びである情報（データ）の一例として文字（数字）列を（ａ）に示した模様で表わした例を示している。【０１０５】
ここで、（ａ）は、縦８ます、横８ますの計６４のますで成る方形領域１０における模様（図中の黒いますの配置。図中の波線はますを示すための便宜上のもので、波線自体は模様ではない）が、その上に掲げた値又はその値を符号（いわゆるＡＳＣＩＩコード）値とする文字（０ｘ００（１６進数表記での００）、０ｘ３０‘０’（値０ｘ３０、文字‘０’）、０ｘ４１（値０ｘ４１、文字‘Ａ’）等）を表わす（本明細書において、「文字」には制御文字（０ｘ００〜０ｘ１Ｆ）、空白（０ｘ２０）なども含まれる）。本実施例では、値０ｘ００から値０ｘ７Ｆ（１０進数の１２７）までの各値についてこのような模様を規定している。【０１０６】
また、（ｂ）は、文字（数字）列“８４７３”についての例である。本実施例において、番号などの数値は、その数値の１０進数表記での数字（文字）の並び（列）（例えば、数値８，４７３であれば文字（数字）列”８４７３”）として扱うものとしている。数字（文字）列における各数字（文字）（位に当たる）「桁」と呼び、先頭を第１桁とする。【０１０７】
図３において、（ａ）に示した各模様は、印刷された記録紙１の紙面上では、その１つのますが３００ドット／インチ［ｄｐｉ］に相当する大きさ（微小である）であり、図中の黒いますの部分（ドット）のみが黄色にてマーキング（印刷）されている。そして、例えば、数字‘８’（値０ｘ３８）、数字‘４’（値０ｘ３４）、数字‘７’（値０ｘ３７）又は数字‘３’（値０ｘ３３）を表わす各模様が、（ｂ）に示したように、記録紙１の印刷面に向かって左から右へ順に詰めて並べられて文字（数字）列 “８４７３”を表わす。従って、第１桁１１（第１桁を表わす方形領域１０）が、その模様の並びにおいて、紙面に向かって左端となる。【０１０８】
ここで、値又は文字を表わす（ａ）に示したような模様は、（ｂ）のような文字列として印刷されたときも含め、マーキングされるが２以上が連なることがないように各模様（ドットの配置）を規定しており、そして、ドットが黄色の微小なものであることと相まって、イメージスキャナなどの機械では識別可能であるが人の肉眼では普通には認識しがたいものとなっている。【０１０９】
本実施例では、（ａ）に示した模様が一の方向・向きに２以上並んだ（ｂ）のような模様を模様印刷（図１における模様印刷５〜７））として、記録紙１に印刷がされる本来の文書情報（機密情報でない文書情報）に基づく印刷画像（図１における印刷３及び４）のマーキング部分を避けて、原則として、記録紙１の左上部に印刷されるものとしている。このとき、各模様印刷における桁の並びの方向に隣接し合った模様印刷間には１桁分以上の空白が設けられている。【０１１０】
図４は、模様印刷（５〜７）におけるデータの構造を説明するデータ構造図であり、（ａ）は模様印刷（５〜７）におけるデータ（後述する表現データ１２とチェックデジット１３とで成る）の構造を示し、そして、その表現データ１２について、（ｂ）は模様印刷５〜７における構造を示す。【０１１１】
図４（ａ）において、第１〜８桁は当該模様印刷による伝達対象のデータ（表現データ１２と呼ぶ）を表わし、続く第９桁はチェックデジット１３を表わす。模様印刷（５〜７）は、値又は文字を表わす図３（ａ）に示したような模様が図３（ｂ）に示したように並べられて、文字（数字）列などの値の並びである情報（データ）を表すが、一の印刷模様における表現データ１２は８桁（すなわち、８文字の文字列）とされており、それに続く１桁（第９桁）はチェックデジット１３とされている。ここで、チェックデジット１３は、それを含む９桁の一連の値（文字）について、各値（文字の符号値）を７桁の２進数として排他的論理和をとった結果の値が０（ゼロ）となるようにする値と規定している。【０１１２】
そして、表現データ１２については、図１における模様印刷５〜７は、機密情報であってＩＣタグ８に記録（記憶）された記憶情報（データ）の一つへのアクセス番号を表わすためのものであり、図４（ｂ）において、文字‘Ａ’（値０ｘ４１）を表わした第１桁は、当該模様印刷が暗号化されていないアクセス番号を表わすものであることを示し、第２〜８桁は、アクセス番号を数字列で示す。例えば、アクセス番号が８，４７３，５９２のときには、チェックデジット１３（０ｘ０９の制御文字となる）を含む模様印刷は文字列 “Ａ８４７３５９２”の末尾に続いてチェックデジット１３して値０ｘ０９の制御文字が連結されたものとなる。【０１１３】
なお、アクセス番号は、ここでは説明の便宜上、暗号化がされていない（図４（ｂ）における第１桁が文字’Ａ’）ものとしているが、暗号化がされた数字列であってもよい。そのときには図４（ｂ）における第１桁は、’Ａ’以外の文字（値）が用いられて暗号の種別を表わすものとすればよい。【０１１４】
また、アクセス情報（アクセス番号）は、一の文書におけるいずれの機密情報に対しても同じ情報（番号）としてもよいが、本実施例では、機密情報毎に異なるものとして、機密情報毎にそれぞれのアクセス情報（アクセス番号）を表わす模様印刷が記録紙１上に印刷れている。【０１１５】
再び図１において、既に述べたように、ＩＣタグ８には、機密情報とされた記憶情報毎に、表１及び表２に掲げたような記憶情報番号、アクセス番号、機密レベル及びその内容（機密情報自体）が記録されている。そして、模様印刷５には記憶情報番号１の記憶情報に対するアクセス番号８４７３５９２を、模様印刷６には記憶情報番号２の記憶情報に対するアクセス番号６７９２１５７を、模様印刷７には記憶情報番号３の記憶情報に対するアクセス番号３９２７５８１を、それぞれ図４（ａ）及び（ｂ）に示したデータ構造にて表わす模様が記録されている。【０１１６】
なお、以上に述べたような模様は、各模様におけるドット配置の規則、その模様が表わす文字との対応の規則、データ構造についての規則等を特定の者以外には非公開とし、さらにそれらの規則を複数用意してそれらの一を選択して使用するなどすることによって、仮にそれが可視化されたとしても、その情報の秘匿性を依然維持することができる。【０１１７】
以上のように構成された本発明に係る印刷紙１は、ＩＣタグ８を含み備えた紙２の表面への印刷に、そのＩＣタグ８の記憶情報へのアクセス情報を機械識別可能な形態で表した模様（模様印刷５〜７）を含めることで、機密を要しない開示情報が印刷によって記録されていると共に、機密情報も印刷紙１内に（ＩＣタグ８内に）記録（記憶）されているので、機密情報の提供のためのフレキシブルディスク、ファイルサーバー等の別途の手段を不要とし、機密情報を、ＩＣタグにて安全に保管させつつ、開示情報と共に簡便に配布することができ、かつ、機密情報と開示情報との関係性を確実にさせてそれらの保管・利用を容易にさせることができる。さらに、その機密情報へのアクセスに必要な情報（の一部）をその用紙上に印刷するので、その印刷物を所持した者でなければその機密情報にアクセスできないものにできる。【０１１８】
すなわち、本発明に係る記録紙１は、情報の機密性の有無にかかわりなくそれらの実体すべてをまとめて、つまり、機密情報とそのアクセス情報とを共にして、物理的に一の物に記録されるので、関連しあった情報を散逸させず、かつ、機密情報の印刷などの利用時にファイルサーバーなどを必要とすることなく、利用者にとってその管理及び取扱いを簡便にさせることができ、情報の配布元にとっても機密情報をサーバなどにて配布後も管理し続ける必要がなくせる。【０１１９】
そして、機密情報自体については、その記録先（媒体）をＩＣタグ８として、情報の漏えい・改ざんに対して高い安全性を確保した記録・配布を行える。さらに、ＩＣタグ８に記録した機密情報へのアクセスに係る情報を画像として記録（印刷）するので、ＩＣタグ８に記録する機密に係る電子情報を、ＩＣタグリーダ（２９）で読取って電子的に複製されたとしてもそれだけではその機密情報の内容にアクセスできないデータにして、その機密情報へのアクセスがより困難なものにできる。つまり、機密情報の提供において、その機密情報へのアクセスに係る情報のデータを普通には視認できないいわゆる透かし画像として印刷紙１面上に含ませているので、そのデータの秘匿性を取ることができる。そして、万一、ＩＣタグ８が印刷紙１から取り外されて取り扱われたときにはＩＣタグ８に記憶された機密情報の読出しが不能になり、機密情報のその印刷紙１との一体性を確実にさせている。【０１２０】
このとき、さらに、アクセス情報を表わすための形態についての仕様を一般に対しては秘密とすることでアクセス情報についても一種の暗号化が図れ、機密の安全性をより高めることができ、また、アクセス情報が記録された画像を光学的に複写されたときに正確に複写されにくいので、アクセス情報を複写による拡散が抑えられたものにすることができる。【０１２１】
このように、制限情報に係るデータを透かし画像として印刷紙１面上に含ませることで、ＩＣタグ８内の機密情報の安全性をより高めることができると共に、機密情報とその印刷紙１との一体性を確実にさせることができ、保管・利用上の間違いも防止できる。【０１２２】
つまり、本発明に係る印刷紙１には、機密情報であってもその実体がそこに記録されており、利用者にとって便利なものでありながら、かつ、その機密情報は、記録形態が電子的なものなので従来の複写機では複製できない。また、アクセス情報が画像とされてその印刷物に記録されているので、ＩＣタグリーダ（２９）を備えただけの装置では結局その必要な情報が複製できず、漏えいすることはない。このように、一つの印刷紙１にて開示情報と共にそれに関連した機密情報についても、その印刷紙１のオリジナルを有した者でなければ機密情報へのアクセスをより困難として、機密情報の実体自体を安全かつ便利に配布できる。【０１２３】
なお、アクセス情報（アクセス番号）を表わした模様印刷は、上述の説明では、便宜上、記録用紙の左上部にあるものとしたが、現実的には、その部分に本来の文書情報による印刷画像があって、それ（そのマーキング部分）とアクセス情報の模様とが重なるようなときには、他の位置に印刷されており、さらに、一のアクセス情報についてその文字列全体の模様が一の箇所では本来の印刷画像と重ならずに収まらないようなときには、その文字列全体の模様を本来の印刷画像における非マーキング部分の適当な複数箇所に印刷されている。このように、アクセス情報の模様印刷は、必ずしもその印刷位置が固定されてはおらず、また複数ありうるが、アクセス情報には、前述したとおり、記憶情報番号が含まれているので、その後、アクセス情報を読取って利用する際に、同一の記憶情報に対してアクセス情報の模様印刷が複数あることによる支障はなく、むしろ、模様印刷の一つが紙面の汚れなどによって読取りエラーを起こすような場合には他の箇所での読取りが可能となって、信頼性を上げることができる。【０１２４】
また、模様印刷は、その模様を成す微小なドットの配置を、特に隣接するドットの関係を、それが光学的に複写されたときに、すなわち、光学的な画像として読取られ、さらにトナーやインクなどの色材で印刷されたときに、隣接するドットが連結しやすい、又は離れやすいものとしておくことで、正確に複写されないようにでき、このような模様とすることで、模様印刷を有した印刷紙が仮に光学的に複写されても、その模様印刷が表わすデータを異常とさせて、その模様印刷が有した情報の複写（すなわち、その後の機密情報漏えい）の防止を可能にし得る。【０１２５】
また、本実施例ではアクセス情報を、図３に示したような模様で成る模様印刷（５〜７）にて示すものとしたが、本来の情報の印刷である印刷３又は４の印刷中にいわゆる透かし画像として埋め込む手法を取ってもよい。すなわち、印刷３又は４の印刷を、人が視認できる本来の文字・図形・写真等であることを大きく損なうことなく、それらを変形させ、又はその印刷中に微小な点（の印刷）を所定の規則に従って入れる（空白領域内に点の印刷を行う）若しくは抜く（トナーなどの色材が付けられるべき領域内に印刷をしない空白の点の設ける）こと、その他によって情報を表わす手法である。このような手法をとれば、アクセス情報の印刷紙における存在自体をより秘匿することができる。さらに模様印刷はカラー印刷である必要はなく、モノクロ印刷であってもよい。【０１２６】
（実施例２）
本実施例は、ＩＣタグが設けられた紙を記録用紙として、外部のコンピュータなどから入力された情報について、機密でない画像情報についてはその画像情報に基づいて記録用紙の紙面上に印刷を行うと共に、機密を要する情報（開示伝達が特定の者に対してのみされるべき情報。機密情報と呼ぶ）についてはそれをその記録用紙に設けられたＩＣタグに記録して記憶をさせる画像形成装置（印刷装置／プリンタ）である。つまり、実施例１で述べたような記録紙１を作成する（記録用紙２に記録を行う）装置である。ここで、記録用紙及び印刷がされた結果の記録紙は実施例１におけるものと同じであるので、図１から４まで、並びに表１及び表２、並びに関連する説明を本実施例においても援用する。【０１２７】
図５は、本実施例の画像形成装置（本実施例において、以下、本装置と呼ぶ）の全体構成の概略を示す図で、（ａ）は背面側から見た外観の斜視図、（ｂ）は横断面図である。【０１２８】
図５において、プリンタエンジン（本装置のうちから後述するプリンタ制御部（２７）及びＩＣタグリーダ（２９）を除いた部分。単にエンジンとも呼ぶ）１４は、電子写真方式のいわゆるレーザープリンタで、その画像形成を行うプロセス部は、円筒状で外周表面が積層型有機感光体の感光体ドラム１５、感光体ドラム１５の表面を帯電させる帯電器１６、後述するプリンタ制御部（２７）からの画像信号に従って感光体ドラム１５の表面に静電潜像を形成するためのレーザー（図示せず）を具備した露光装置１７、トナーを含む現像剤が内填され、静電潜像をトナー像に現像する現像ローラ１８を具備した現像器１９、及び、金属シャフトを軸とし導電性ウレタンスポンジで形成されたもので、現像されたトナー像を記録紙上に転写するための転写ローラ２０を主な構成要素としている。そして、プリンタエンジン１４は、そのプロセス部と、記録用紙１が装填される用紙カセット２１、用紙カセット２１から記録用紙２を１枚ずつ給紙する給紙部２２、記録紙１上に転写されたトナー像を定着させるための定着器２３、定着後の記録紙１を排出するための排紙部２４、及び印刷（画像形成）された記録紙１が排出されるところの排紙カバー２５を含む筐体・カバーとで機構が構成されており、後述するエンジンコントローラ（２６）がその機構の動作制御（機器制御）を行う。【０１２９】
ここで、感光体ドラム１５は、周速度１００ｍｍ／ｓで回転する。露光装置１７におけるレーザーのパワーは２８０μＷで、帯電器１６には１．２ｋＶのＤＣ電圧を印加して、感光体ドラム１５の帯電電位と露光後電位は、それぞれ−６５０Ｖと−１００Ｖとしている。現像器１９における現像ローラ１８には、−５００ＶのＤＣ電圧に、周波数が３ｋＨｚの矩形波でピーク・トゥ・ピーク電圧が１．５ｋＶのＡＣ電圧を重畳したバイアス電圧を印加している。転写ローラ２０には＋６００Ｖの電圧を印加している。【０１３０】
また、現像剤に含まれるトナーは、ポリエステル樹脂８６重量％に顔料を５重量％、離型剤カルナウバワックス６重量％、及び、サルチル酸系亜鉛からなる電荷制御剤３重量％を予備混合して溶融混練し、そして、それを粗粉砕後に微粉砕し、分級して体積平均粒径が７．１μｍの非磁性のトナー母体粒子を得、さらに、このトナー母体粒子９８．５重量％に、外添剤として疎水性シリカ１．０重量％と疎水性のチタニア０．５重量％とを外添（混合）処理したものである。【０１３１】
エンジンコントローラ２６は、プリンタエンジン（機構）の動作を制御（機器制御）するいわゆるマイクロコンピュータ・システムであり、デジタルデータを演算処理する中央処理ユニット（ＭＰＵ又はＣＰＵ）、その処理プログラムが格納された読出し専用メモリ（ＲＯＭ）、及び処理の際に必要な一時記憶が行われるランダムアクセスメモリ（ＲＡＭ）、並びに、機構におけるソレノイド、モータなどの電気駆動又はスイッチ、センサなどの電気信号入力を行う入出力（ＩＯ）レジスタ（ポートとも呼ぶ）、後述するプリンタ制御部（２７）との間でデータ通信を行うインタフェース（Ｉ／Ｆ）及び画像信号をプリンタ制御部（２７）から受けて露光装置１７へ伝えるインタフェース（ビデオＩ／Ｆと呼ぶ）で構成されている。【０１３２】
このような画像形成装置において、画像形成は、次のように行われる。【０１３３】
露光装置１７のレーザーには、後述するプリンタ制御部（２７）からの画像信号が入力される。感光体ドラム１５は、その外周表面が帯電器１６により前述の帯電電位に一様に帯電され、その後、露光装置１７が、感光体ドラム１５の表面に、入力された画像信号に従ってレーザー光を照射して前述の露光後電位を有する静電潜像を形成する。そして、現像器１９における現像ローラ１８は、現像域（現像ローラ１８と感光体ドラム１５との間）に供給された現像剤で磁気ブラシを形成しており、感光体ドラム１５の表面上に、その磁気ブラシを摺擦することで、静電潜像にトナーのみを移行させてトナー像を形成する。そして、感光体ドラム１５上に形成されたトナー像は、転写ローラ２０によって記録紙表面上へ転写され、さらに、定着器２３において、熱と圧力等により記録紙表面に定着される。定着後の記録紙は、排紙部２４によって排紙カバー２５の上に排出される。一方、トナー像の転写が終了した後の感光体ドラム１５は、その表面上に残存するトナーが、ウレタンゴムでシート状に成形されたクリーニングブレードにより除去されて、これで、プリンタエンジン１４は、画像形成の１サイクルを完了する。【０１３４】
以上、プリンタエンジン１４について述べた。【０１３５】
次に、用紙カセット２１に装填される記録用紙は、実施例１の図２に掲げた、情報の記憶ができるＩＣタグ８が設けられた紙２である。【０１３６】
プリンタ制御部２７は、本装置の機能・動作を制御（装置制御）するいわゆるマイクロコンピュータ・システムである（詳細は後述）。【０１３７】
操作部２８は、プリンタ制御部２７に制御されて、操作者に対して装置情報を表示素子に表示し、また、操作者のキー（操作素子）操作によって情報をプリンタ制御部２７へ入力する。【０１３８】
ＩＣタグリーダ（単にタグリーダとも呼ぶ）２９は、プリンタ制御部２７に制御されて、紙２に設けられ情報の記憶ができるＩＣタグ８に対して、無線電波によって非接触で電力を供給しかつデータ通信を行ってＩＣタグ８が記憶する情報である記憶情報、その他のタグ情報のやりとり（送受信）を行う。ここで、ＩＣタグリーダ２９は、発射する無線電波についてその指向性及び強度を切換えて、やりとりできる紙２の位置範囲を限定することができる。本装置では、その切換えを方向Ｄ１としたときには、このときの無線電波が排紙カバー２５にある他の紙２には届かないよう調整されており、給紙部２２から排紙部２４までの間にある紙２のみとやりとりが行える。このことで、印刷がなされる用紙２を用紙カセット２１又は排紙部２４に存する他の紙２から区別して検出し、その用紙２のＩＣタグ８が特定されるタグ識別情報を検知できるので、その後、ＩＣタグリーダ２９はその検出された用紙２のＩＣタグ８とのみタグ情報をやりとりすることができる。【０１３９】
図６は、本装置のデータ処理・装置制御に係るブロック構成を示す。【０１４０】
図６において、プリンタ制御部２７は、デジタルデータを演算処理する中央処理ユニット（ＭＰＵ又はＣＰＵ）、その処理プログラムが格納された読出し専用メモリ（ＲＯＭ）、及び処理の際に必要な一時記憶が行われるランダムアクセスメモリ（ＲＡＭ）、印刷画像（ビットマップ画像）を一時記憶する画像メモリ（３１）（後述）、並びに、外部のコンピュータなどとの間でデータ通信を行う外部インタフェース（外部Ｉ／Ｆ）（３０）（後述）、操作部を制御する操作部インタフェース（操作部Ｉ／Ｆ）、プリンタエンジン１４の機能又は動作を制御するためのエンジンインタフェース（エンジンＩ／Ｆ）３２、及び、ＩＣタグリーダ２９の機能又は動作を制御するためのリーダインタフェース（リーダＩ／Ｆ）、その他で構成されている。そして、プリンタ制御部２７は、外部インタフェース部（３０）で入力された文書情報、印刷情報等の文書印刷情報を処理して印刷画像（ビットマップ画像）を画像メモリ（３１）内に生成し、さらにそのビットマップ画像を基にその画像信号をエンジンＩ／Ｆ３２にて発生させてプリンタエンジン１４（エンジンコントローラ２６を介して露光装置１７）へ出力させる（このようなことから、プリンタ制御部２７を文書印刷コントローラ又は単に印刷コントローラとも呼ぶ）。【０１４１】
なお、エンジンコントローラ２６もマイクロコンピュータでの構成をとっているが、本装置の全体構成においては、エンジンコントローラ２６は一つの制御回路モジュールとして扱い、本実施例についての以降の説明では、「マイクロコンピュータ」、「ＭＰＵ」、「ＲＡＭ」等の語は、プリンタ制御部２７に係るものを指す。【０１４２】
外部インタフェース部（外部Ｉ／Ｆ部と略す）３０は、ファクシミリ装置などのデータ通信装置がつながる通信回線、コンピュータなどのデータ処理装置がつながるＵＳＢ（Ｕｎｉｖｅｒｓａｌ  Ｓｅｒｉａｌ  Ｂｕｓ）などのローカルインタフェース、及び、メモリカードなどがつながる外部入出力ポート（外部ＩＯポートと略す）を通して、それらの外部装置に対してデータ通信を行って文書情報（画像情報、図形情報、文情報等）、印刷情報（印刷コマンド、印刷データ等）その他制御情報の情報を入出力する。【０１４３】
ここで、本装置は、外部インタフェース部３０を介して外部装置から入力したデータを、順次、一時保存するための容量２ｋバイト［Ｂ］のバッファ（外部ＩＯバッファと呼ぶ）を、外部ＩＯポート毎にＲＡＭ内に構成している。そして、外部装置からデータが入力されると、外部インタフェース部３０がＭＰＵへの割込み信号を発生し、その割込み信号を受けたＭＰＵは、そのデータを該当の外部ＩＯポートから入力し、該当の外部ＩＯバッファ内に既に入力しているデータに続けて書込んで一時保存する。この動作を、本装置は、通電されている間、常に（データ入力がある毎に）、ＭＰＵが他の処理と並行して行うものとしている。【０１４４】
画像メモリ３１は、印刷画像（ビットマップ画像）データが１ページ分書込まれ、一時的なメモリデータとして記憶する。また、そのメモリデータを、エンジンＩ／Ｆ３２からの制御によってエンジンＩ／Ｆ３２に直接出力することもでき、このとき、その出力されたデータ（印刷画像データ）をエンジンＩ／Ｆ３２が画像信号としてプリンタエンジンへ出力する。【０１４５】
プリンタエンジン１４は、前述したように、プリンタ制御部２７からそのエンジンＩ／Ｆ３２を介して装置制御されるエンジンコントローラ２６によってその機構の機能又は動作が制御（機器制御）され、プリンタ制御部２７から入力される画像信号に従って可視画像を形成（画像形成）して印刷紙を出力する。【０１４６】
以上のような構成において、次に、外部装置から入力された文書を表わす情報（データ）であってその文書情報に機密情報を含んだものに基づく本装置での印刷・記録の基本的な動作について、外部装置がコンピュータである場合を例に本装置の基本処理フローに沿って説明する。【０１４７】
図７は、本装置での印刷・記録の基本的な動作を示すフローチャートである。【０１４８】
また、図８は、外部装置から入力されるデータを、機密情報を含んだ文書を例に、マークアップ表現にて模式的に示している。【０１４９】
図８において、文書情報（文情報）３３及び３４は機密でない文書情報であり、また、文書情報３５は機密のレベルが３の、文書情報（図形情報）３６は機密のレベルが２の、及び文書情報３６−１は機密のレベルが１の機密情報であり、そして、文書情報３７及び３８は機密情報を扱うための付加情報であるとしている。【０１５０】
ここで、外部装置から入力される文書を表わす情報（データ）は、符号（文字）‘＜’から符号（文字）‘＞’までの区間にある文字列（タグと呼ぶ。なお、ＩＣタグとは全く異なる）をマークアップ言語による付加情報としている。そして、文書情報３７におけるタグ＜ｄｏｃ＞が、次に現われるタグ＜／ｄｏｃ＞（文書情報３８におけるタグ＜／ｄｏｃ＞）までの間のデータが一の文書に係るデータであることを示しており、タグ＜ｄｏｃ＞における属性ｉｄが文書ＩＤであることを示し（図示した例では文書ＩＤは“１２３４５６”である）、属性ｋｅｙが実施例１における文書鍵コードであることを示す（図示した例では文書鍵コード値は６７（０ｘ４３）である）。また、文書情報３５〜３６−１におけるタグ＜ｋｉｍｉｔｕ＞が、それぞれ、次に現われるタグ＜／ｋｉｍｉｔｓｕ＞までの間のデータが機密情報に係るデータであることを示しており、タグ＜ｋｉｍｉｔｓｕ＞における属性ｌｅｖｅｌがその機密レベルを、属性ａｃｃｅｓｓ＿ｍｕｎがそのアクセス番号を示す。このようなマークアップ及びタグによって、ＭＰＵは、前記の符号を検出し、タグを識別することによって、読出したデータが機密情報であるかどうかを容易に判別することができる。【０１５１】
図７において、本装置は、外部装置からのデータ（図８に示したような文書情報）が外部インタフェース部３１を介して受信（入力）され、外部ＩＯバッファに一時保存されていると、ＭＰＵが、その外部ＩＯバッファからそこに一時保存されたデータのうち最も古いものを読出す（ステップＳ０１。以下、「ステップ」の語は省く）。そして、ＭＰＵは、読出したデータを解析して、そのデータが示す情報の解釈を試みる。このとき、読出したデータのみでは情報の解釈が行えないときには、そのデータを一時退避させた後、それに続くデータを読出し、先に退避させたデータと合わせて再び情報の解釈を試みる。この動作を情報の解釈が行えるまで繰返す。【０１５２】
情報の解釈が行える程度にて読出したデータについて、次に、そのデータが付加情報であって、それが文書を表わす付加情報（タグ＜ｄｏｃ＞）であるかどうかを判断する（Ｓ０２）。そして、それが文書を表わす付加情報（タグ＜ｄｏｃ＞）である場合には、その属性ｉｄが示す情報（データ“１２３４５６”）を文書ＩＤ情報として、また、その属性ｋｅｙが示す情報（値６７（０ｘ４３））を文書鍵コード情報として取得し、そして、文書ＩＤを文書鍵コードに基づいて暗号化した後、その暗号化された文書ＩＤその他のタグ情報を一時保存するバッファ（タグ情報バッファと呼ぶ）に書込んで一時保存する（Ｓ０３）。なお、ここでは説明の便宜上、文書鍵コードの値６７（０ｘ４３）は暗号化しないことを示すものとし、タグ情報として一時保存される文書ＩＤは数字列“１２３４５６”としている。【０１５３】
一方、それが文書を表わす付加情報でない場合には、さらに、機密に係る文書情報（機密情報）であるかどうかを判断する（Ｓ０４）。【０１５４】
そして、読出したデータが機密情報でない場合（例えば、文書情報３３及び３４）には、ＭＰＵは、そのデータを普通の印刷に係る文書情報又は印刷情報として、そのデータに基づいて画像メモリ３２内に印刷画像を描画する（ビットマップ画像にする）（Ｓ０５）。【０１５５】
一方、読出したデータが機密情報である場合（文書情報３５及び３６）には、ＭＰＵは、そのデータを機密情報として、そのデータをＩＣタグに記録すべきタグ情報に加工し、又はそのデータに基づいてタグ情報を生成して、タグ情報バッファに既に書込まれているデータに続けて書込んで一時保存する（Ｓ０６）。ここで、このタグ情報は、タグ情報バッファに表１及び表２に掲げたような構造をとって一時保存していく。【０１５６】
以上のステップＳ０１からステップＳ０３、Ｓ０５又はＳ０６までの処理を、文書の１ページ分について繰返す（Ｓ０７）。【０１５７】
その後、機密情報の単位毎にその機密情報に対応したアクセス情報について各データを模様化して、それらの模様を、画像メモリ３２内に既に描画されている印刷画像（ビットマップ画像）に合成する（Ｓ０８）。アクセス情報を表わす模様が合成された後の印刷画像は、それが印刷されると図１に示すようなものとしている。ここで、印刷（印刷画像）３が文書情報３３に、印刷（印刷画像）４が文書情報３４に、機密情報毎の各アクセス情報が模様印刷６〜８に当たる。【０１５８】
アクセス情報を表わす模様を含む印刷画像が整った本装置は、次に、ＭＰＵがエンジンコントローラ２６に画像形成の開始を指示し、その指示を受けたプリンタエンジン１４が用紙カセット２１から記録用紙２を１枚、給紙する（Ｓ０９）。【０１５９】
そして、印刷コントローラ２７は、画像メモリ３２内の印刷画像（文書情報に基づく画像にアクセス情報の模様が合成されている）を、エンジンインタフェース３０を通して画像信号としてプリンタエンジン１４へ出力する。【０１６０】
同時に、プリンタエンジン１４は、エンジンコントローラ２６の制御のもと、画像信号を受け、画像形成のプロセスによってその印刷画像を印刷用紙２上に形成していく（Ｓ１０）。【０１６１】
ＩＣタグリーダ２９は、記録用紙２が給紙された後、排紙カバー２５上に排紙されるまでの間の適当な時点で、その記録用紙２に設けられたＩＣタグ８の検出を、無線電波の発射方向を図５における方向Ｄ１として試み、ＩＣタグ８が検出されるとタグ情報からそのＩＣタグ８の識別情報を取得する（Ｓ１１）。そして、タグ情報バッファに一時保存してある（Ｓ０３及びＳ０４）文書ＩＤ情報及び機密情報を、先に取得した識別情報によって指定するＩＣタグ８にタグ情報（表１及び表２に示した構造）として書込んで記録する（Ｓ１２）。【０１６２】
プリンタエンジン１４は、印刷（画像形成）を終えた後、記録紙１を排紙カバー２５上に排紙する（Ｓ１３）。ここで、記録紙１が紙詰まりなどで排紙されなかったときには、印刷が失敗して不要になった記録紙１であってもそのＩＣタグ８には機密情報が記録されたままになって、機密情報を不用意に拡散する可能性を高めてしまう。そこで、本装置は、先に取得した識別情報によって指定するＩＣタグ８に対し、既に書込んだ機密情報を消去させるものとして、そのような可能性を実質的になくしている。【０１６３】
このように、本装置は、機密情報を含む図８に示した文書情報について、機密でない文情報３３及び３４のみ（付加情報を除く）を紙面上に印刷し、機密情報である文情報３５及び図形情報３６については、その記録紙に設けられたＩＣタグ８内に記録する。このとき、ＩＣタグ８内に記録した機密情報（記憶情報）のそれぞれに対するアクセス情報を肉眼では認識しがたい微少な黄色の模様印刷３４又は３５として紙面上に印刷している。このようにして図１に示したような記録紙を得ることができる。【０１６４】
以上、本装置での印刷・記録の基本的な動作について述べた。【０１６５】
なお、機密情報のＩＣタグ８への記録（書き込み）は、記録紙１の排紙が行われる時を待ってから行う（つまり、ステップＳ１０の処理をステップＳ１１の処理の後に行う）ようにしてもよい。このようにすることで、紙詰まりなどを起こさなかった記録紙１に対してのみ機密情報のＩＣタグ８への記録（書き込み）を行うことになるので、先に述べたような記録紙１が紙詰まりなどで排紙されなかったときに既に書込んだ機密情報を消去させる処理が不要にできる。【０１６６】
また、アクセス情報を表わした模様印刷は、上述の説明では、便宜上、記録用紙の左上部に行うものとしたが、現実的には、その部分に本来の文書情報による印刷画像があって、それ（そのマーキング部分）とアクセス情報の模様とが重なるようなときには、他の位置に印刷するものとし、さらに、一のアクセス情報についてその文字列全体の模様が一の箇所では本来の印刷画像と重ならずに収まらないようなときには、その文字列全体の模様を本来の印刷画像における非マーキング部分の適当な複数箇所に印刷するものとしている。このように、アクセス情報の模様印刷は、必ずしもその印刷位置が固定されてはおらず、また複数行われうるが、アクセス情報には、前述したとおり、記憶情報番号が含まれているので、その後、アクセス情報を読取って利用する際に、同一の記憶情報に対してアクセス情報の模様印刷が複数あることによる支障はなく、むしろ、模様印刷の一つが紙面の汚れなどによって読取りエラーを起こすような場合には他の箇所での読取りが可能となって、信頼性を上げることができる。【０１６７】
また、上述の説明では印刷を記録用紙の片面に行うものとしたが、両面に印刷を行う場合には、一の記録用紙に対して、ステップＳ０１からステップＳ１０までを各面について行う（ただし、ステップＳ０９は最初の１回のみ）。このとき、ＩＣタグ８がタグ情報を記録用紙の裏表の別に応じたものとするものであるときには、ステップＳ１１で検知されるＩＣタグ８の識別情報も記録用紙の裏表の別に応じたものにできるので、ＭＰＵは、識別情報によってＩＣタグ８の裏表を識別して、機密情報についても記録紙の裏表に応じたものを選択的にその面のタグ情報としてＩＣタグ８に記録することができる。このように、記録紙のおもて面の印刷に関連した機密情報はＩＣタグ８のおもて面のタグ情報に、そして記録紙の裏面の印刷に関連した機密情報はＩＣタグ８の裏面のタグ情報に記録することができ、記録紙における印刷（文書情報、すなわち画像情報、図形情報、文情報等）と機密情報とがより密に関連づけられる。【０１６８】
また、機密情報は、本実施例では機密でない情報（開示情報）を有した同じ文書の中の段落又は挿入図としたが、開示情報を有した文書にないものであってもの、すなわち、他文書の一部分又はその全部であっても構わない。【０１６９】
また、本実施例では、機密情報は文書情報であるとして説明したが、文書情報（画像情報、図形情報、文情報等）のほか、音（音楽）、映像（動画）等も機密情報として扱い、ＩＣタグ８に記録することもできる。さらには、それら各種形式の機密情報が保管されたデータベースなどへのアクセスに必要な情報（例えば、ＵＲＬ（Ｕｎｉｆｏｒｍ  Ｒｅｓｏｕｒｃｅ  Ｌｏｃａｔｏｒ）、パスワードなど）自体も機密情報として扱い、ＩＣタグ８に記録するものとしてもよい。【０１７０】
（実施例３）
本実施例は、ＩＣタグが設けられた紙であって実施例１のような記録紙を原稿紙として、その紙面上に記録されている図形・写真等を画像として読取ると共に、その原稿紙に設けられたＩＣタグからその記憶情報として記録されている機密情報をも読み出すことができ、それらの画像情報及び機密情報をコンピュータへ入力させる画像情報入力装置（イメージスキャナ）である。ここで、原稿紙（印刷がされた記録紙）は実施例１におけるものと同じであるので、図１から４まで、並びに表１及び表２、並びに関連する説明を本実施例においても援用する。【０１７１】
図９は、本実施例の画像情報入力装置（本実施例において、以下、本装置と呼ぶ）の全体構成の概略を示す横断面図である。【０１７２】
図９において、原稿台３９は、透明なガラス板であり、その面上に書類や書籍などの原稿４０が載置される。【０１７３】
イメージセンサ４１は、図中の矢印Ａ２の方向に移動可能とされており、その移動可能な各所において、原稿台３９面上に載置された原稿４０（本実施例の以下の説明ではＩＣタグ８が設けられた記録紙１とする）面におけるライン状（図の面に対して垂直な方向）の領域を被写体として透明なガラス板である原稿台３９を通して撮像できる。【０１７４】
スキャナ制御部（画像読取り制御部とも呼ぶ）４２は、本装置の機能・動作を制御（装置制御）するいわゆるマイクロコンピュータ・システムである（詳細は後述）。【０１７５】
操作部４３は、スキャナ制御部４２に制御されて、操作者に対して装置情報を表示素子に表示し、また、操作者のキー（操作素子）操作によって情報をスキャナ制御部４２へ入力する。【０１７６】
ＩＣタグリーダ４４は、実施例２におけるタグリーダ２９と実質的に同様のものであり、スキャナ制御部４２に制御されて、記録紙１に設けられ情報の記憶ができるＩＣタグ８に対して、無線電波によって非接触で電力を供給しかつデータ通信を行ってＩＣタグ８が記憶する情報である記憶情報、その他のタグ情報のやりとり（送受信）を行う。【０１７７】
図１０は、本装置のデータ処理・装置制御に係るブロック構成を示す。【０１７８】
図１０において、スキャナ制御部４２は、デジタルデータを演算処理する中央処理ユニット（ＭＰＵ又はＣＰＵ）４５、その処理プログラムが格納された読出し専用メモリ（ＲＯＭ）、及び処理の際に必要な一時記憶が行われるランダムアクセスメモリ（ＲＡＭ）、読取り画像（ビットマップ画像）を一時記憶する画像バッファ（メモリ）４６、並びに、イメージセンサの動作を制御するためのイメージセンサインタフェース（イメージセンサＩ／Ｆ）４７、操作部を制御する操作部インタフェース（操作部Ｉ／Ｆ）、ＩＣタグリーダ４４の機能又は動作を制御するためのリーダインタフェース（リーダＩ／Ｆ）、及びＵＳＢ（Ｕｎｉｖｅｒｓａｌ  Ｓｅｒｉａｌ  Ｂｕｓ）などのインタフェースを通して外部のコンピュータなどとの間でデータ通信を行う外部インタフェース（外部Ｉ／Ｆ）４８、その他で構成されている。【０１７９】
そして、スキャナ制御部４２（ＭＰＵ４５）は、イメージセンサ４１の移動及び撮像の動作を制御して、イメージセンサ４１に、原稿台３９面上に載置された原稿４０（記録紙１）の撮像を行わせて、その撮像信号をイメージセンサＩ／Ｆ４７を通して入力（この動作をスキャニングと呼ぶ）することで、原稿４０（記録紙１）面上の図形・写真等をデジタル画像として読取って（このデータをスキャンデータと呼ぶ）画像バッファ（メモリ）４６に一時保存する一方、画像バッファ（メモリ）に一時保存したその画像データを、外部Ｉ／Ｆ４８を通してコンピュータなどとデータ通信を行って所定の形式・手順にて出力する。さらに、スキャナ制御部４２（ＭＰＵ４５）は、記録紙１に設けられたＩＣタグ８の記憶情報についても、所定の条件に合った機密情報についてのみ、その内容をコンピュータなどへ出力する。【０１８０】
図１１は、本装置がコンピュータへ出力するデータの形式を、原稿４０（記録紙１）を例に模式的に示している。【０１８１】
図１１において、タグ＜ｉｍｇ＞は、次に現われるタグ＜／ｉｍｇ＞までの間のデータが画像データであることを示している。そして、ビットマップ画像データである印刷画像データ４９は、原稿４０（記録紙１）における模様印刷（５〜７）を除いた部分（印刷３及び４）についてのスキャンデータであり（便宜上、印刷画像データ４９を指してスキャンデータとも呼ぶ）、そのデータの実体が、適当なファイル名（図示した例では”ｓｃａｎｎｅｄ＿ｉｍａｇｅ．ｂｍｐ”）が付された一のファイルとされて、タグ＜ｉｍｇ＞における属性ｓｒｃにファイル名が表わされて示されている。なお、その実体データは、当該原稿４０についてのデータ出力（データ通信）における適当な時点（実際的には、例えば、タグ＜ｉｍｇ＞と次に現われるタグ＜／ｉｍｇ＞との間）に通信されるものとしている。印刷部スキャンデータ５０は、印刷画像データ４９とそれに係るタグ（＜ｉｍｇ＞及び＜／ｉｍｇ＞）とを合わせたデータを指す。【０１８２】
タグ＜ｃｏｎｆｉｄｅｎｔｉａｌ＞は、次に現われるタグ＜／ｃｏｎｆｉｄｅｎｔｉａｌ＞までの間のデータが機密データであることを示している。そして、機密データ５１は、その情報の実体が図示したような画像のデータであり、ファイル名ｐｒｉｎｔｅｒ．ｇｉｆのファイルとされている。この実体データは、当該機密データ５１（当該機密データ５１のタグ＜ｃｏｎｆｉｄｅｎｔｉａｌ＞から次に現われるタグ＜／ｃｏｎｆｉｄｅｎｔｉａｌ＞までの間）におけるタグ＜ｉｍｇ＞と次に現われるタグ＜／ｉｍｇ＞との間に配されて通信されるものとしている。また、第二の機密データ５２は、テキストデータであって、当該第二の機密データ５２のタグ＜ｃｏｎｆｉｄｅｎｔｉａｌ＞から次に現われるタグ＜／ｃｏｎｆｉｄｅｎｔｉａｌ＞までの間の文字列データがその情報の実体である。【０１８３】
以上のような構成において、次に、原稿台３９に載置された原稿４０（記録紙１）について、その紙面上に記録されている図形・写真等を画像として読取ると共に、その原稿４０（記録紙１）に設けられたＩＣタグ８からその記憶情報として記録されている機密情報をも読み出す基本的な動作について、外部装置がコンピュータである場合を例に本装置の基本処理フローに沿って説明する。【０１８４】
図１２は、本装置での画像・記憶情報についての読取りの基本的な動作を示すフローチャートである。【０１８５】
図１２において、機密情報を含むＩＣタグ８が設けられた原稿４０（記録紙１）をユーザー鍵情報と共に配布され、本装置でその画像読取りを行うユーザーは、画像読取りを行う対象の原稿２０（記録紙１）を原稿台３９面上に載置する（Ｓ２１）。【０１８６】
ここで、ユーザー鍵情報とは、文書ＩＤ（ＩＣタグ８に記憶されている文書ＩＤと区別するため、以下、文書ＩＤ鍵と呼ぶ）と機密アクセスレベルとを一体化した情報であり、そして、機密アクセスレベルとは、ユーザーがアクセスできる機密情報のうちの最高の機密レベル（つまり、本装置は、機密レベルが機密アクセスレベルを超える機密情報へはアクセスできないものとする）である。本装置では、例えば、文書ＩＤ鍵が番号１２３，４５６、機密アクセスレベルが値２のとき、ユーザー鍵情報は数字列“１２３４５６２”としている。そして、このユーザー鍵情報（数字列“１２３４５６２”）は、本装置の原稿４０である記録紙１がその配布元から当該ユーザーに配布された時に記録紙１の配布と併せて知らされているものとしている。【０１８７】
なお、ユーザー鍵情報は、ここでは説明の便宜上、暗号化がされていないもの（ユーザー鍵情報が文書ＩＤ鍵の数字列と機密アクセスレベルの数字との単なる連結）としているが、文書ＩＤ鍵と機密アクセスレベルとを一体化しかつ暗号化されたものであってもよい。このとき、その暗号化のルールの別を示す情報が文書鍵コード（例えば、暗号化されていないことを示す値６７（０ｘ４３）とは異なる値６８（０ｘ４４））として模様印刷５に含められているものとする。【０１８８】
続いて、ユーザーは、その予め知らされているユーザー鍵情報を、画像読取りのスキャニングを開始させる前に、先ず、操作部４３のキー（操作機器）操作によって入力する（Ｓ２２）。このとき、本装置はその入力された情報をＲＡＭ内に一時記憶する。その後、ユーザーは、画像読取り動作の開始を指示するキーを操作する（Ｓ２２）。【０１８９】
画像読取り動作開始のキー操作を受けて、本装置は、原稿４０（記録紙１）をスキャニングして、原稿４０（記録紙１）面上の図形・写真等をデジタル（ビットマップ）画像として読取って画像バッファ（メモリ）４５に一時保存する（Ｓ２３）。【０１９０】
そして、スキャナ制御部４２（ＭＰＵ４５）は、読取った画像バッファ（メモリ）４６内の画像（スキャンデータ）についてその画像認識を行って、模様印刷（５〜７）部分を抽出し、各模様印刷を識別して、それぞれの表わす情報を取得する（Ｓ２４）。ここでは、次の情報が取得されるものとする。【０１９１】
模様印刷５  ：  ・アクセス番号  ＝  ８４７３５９２
模様印刷６  ：  ・アクセス番号  ＝  ６７９２１５７
模様印刷７  ：  ・アクセス番号  ＝  ３９２７５８１
ＭＰＵ４５は、続いて、ＲＡＭ内に一時記憶しているユーザー鍵情報（数字列“１２３４５６２”とする）を、文書鍵コード値６７（０ｘ６３）を基に暗号の復号化を行い、そして、文書ＩＤ鍵と機密アクセスレベルとを取得する（Ｓ２５）。ここでは、文書鍵コードが「暗号化されていない」ことを示す値６７（０ｘ６３）であることから、ＭＰＵ４５は、数字列“１２３４５６２”が表わす値１，２３４，５６２をそのまま用い、その値を文書ＩＤ鍵番号と機密アクセスレベル値とに分離して、文書ＩＤ鍵が番号１２３４５６であり、かつ、機密アクセスレベルが値２であると確定する。これらの確定した情報（番号、値等）は、ＲＡＭに一時記憶される。【０１９２】
ＭＰＵ４５は、さらに続いて、スキャンデータに対して、その内の模様印刷（５〜７）の部分の画像をマスクして、すなわち、模様印刷（５〜７）の部分の画像をそれぞれその近傍（背景）の画像で置換えて消除する（Ｓ２６）。スキャンデータから模様印刷（５〜７）の部分が消除されたものが印刷画像データ（４８）になる。【０１９３】
その後、ＭＰＵ４５は、印刷画像データを、それがビットマップデータであることを示す制御情報（データ）に伴われたデータ形式で、外部インタフェース４８を介して外部のコンピュータへ出力する（Ｓ２７）。図１１における印刷部スキャンデータ５０がその出力データである。【０１９４】
さらに、ＭＰＵ４５は、ユーザー鍵情報から文書鍵コード値を基に確定した文書ＩＤ鍵番号を、ＩＣタグ８に記憶されている文書ＩＤの番号と比較して、その一致の有無を確認する（Ｓ２８）。【０１９５】
そして、文書ＩＤ鍵番号が文書ＩＤの番号と一致しないときには、ＭＰＵ４５は、記録情報読取りを終了する。つまり、ＭＰＵ４５は、当該ユーザーを機密情報にアクセスできる者ではないとして、当該ユーザーに対してはステップＳ２７での印刷画像データの出力までにとどめ、ＩＣタグ８に記憶されている機密情報の出力を行わない。【０１９６】
一方、文書ＩＤ鍵番号が文書ＩＤの番号と一致したときには、当該ユーザーを機密情報にアクセスできる者であるとして、当該ユーザーに対しては（当該画像読取りにおいては）、ＩＣタグ８に記憶されている機密情報のコンピュータへの出力を条件に応じて可能とする（Ｓ２９）。その機密情報の出力は、次のようにして行う。【０１９７】
ＭＰＵ４５は、印刷模様５から７までのそれぞれについて、先ず、実施例１で述べたように表１及び表２に示した構造とされたＩＣタグ８の記憶情報から、その印刷模様が表わすアクセス番号を基に、それと同じアクセス番号が振られた機密情報を選択する。次に、ＭＰＵ４５は、その選択した機密情報に振られた機密レベルの値を、先に取得した機密アクセスレベルの値（例えば前述したユーザー鍵情報の入力では値２）と比較する。そして、機密レベルの値が機密アクセスレベルの値以下のときのみ、ＭＰＵ４５はその機密情報の内容を、機密情報として、すなわち、それが機密情報（データ）であることを示す制御情報（データ）に伴われたデータ形式で、コンピュータへ出力する（Ｓ２９）。【０１９８】
例えば印刷模様５については、表１及び表２に示した構造とされたＩＣタグ８の記憶情報から、その印刷模様が表わすアクセス番号８４７３５９２を基に、それと同じアクセス番号８４７３５９２が振られた記憶情報番号１の機密情報を選択し、その機密レベルの値３が機密アクセスレベルの値２より大きいので、その内容である文字列「そこで、本発明は、入力された．．．」のデータを出力することはしない。【０１９９】
また、例えば印刷模様６については、その印刷模様が表わすアクセス番号６７９２１５７を基に、それと同じアクセス番号６７９２１５７が振られた記憶情報番号２の機密情報を選択するが、その機密レベルの値２が機密アクセスレベルの値２以下（等しい）ので、その内容である図形（プリンタの図）のデータを機密情報として出力する。図１１における機密データ５１がその出力データである。【０２００】
また、例えば印刷模様７については、その印刷模様が表わすアクセス番号３９２７５８１を基に、それと同じアクセス番号３９２７５８１が振られた記憶情報番号３の機密情報を選択し、その機密レベルの値１が機密アクセスレベルの値２以下なので、その内容である文字列「媒体に設けられた前記．．．」のデータを機密情報として出力する。図１１における第二の機密データ５２がその出力データである。【０２０１】
以上、原稿台３９に載置された原稿４０（記録紙１）について、その紙面上に記録されている図形・写真等を画像として読取ると共に、その原稿４０（記録紙１）に設けられたＩＣタグ８からその記憶情報として記録されている機密情報をも読み出す基本的な動作について説明した。【０２０２】
なお、本実施例ではＩＣタグ８に記録された機密情報を印刷（３、４）と関連性が持たせられたものとしなかったが、機密情報を印刷（３、４）との関連性を、タグ情報としてＩＣタグ８に記録して、又は、別途の模様印刷仕様が規定されており、その模様印刷にて表わして、係る機密データの出力を、印刷（３、４）と関連を持たせた方法又は形で行うものとしてもよい。例えば、機密情報には印刷レイアウトに関する情報が含まれているものとしたときに、本装置が、係る機密データを、その印刷レイアウト情報に基づき、印刷（３、４）に係る印刷部スキャンデータと関係付けて（それらを合わせて順番付け、配置するなど）出力するものである。このようにすることで、その出力データに基づく印刷がされたときに、ユーザー鍵情報における機密アクセスレベルに応じた適切な印刷レイアウトが取られて印刷（３、４）及び機密情報の印刷がなされうる。【０２０３】
（実施例４）
本実施例は、ＩＣタグが設けられた紙を原稿紙としてそのＩＣタグに記録された機密情報である記憶情報を読み出すことができ、その記憶情報に基づき描画した画像を、その紙面上に記録されている図形・写真等を画像として読取ったものに合成して印刷出力できるデジタル複合機である。つまり、実施例１で述べたような記録紙を原稿紙として、その紙面上に記録されている図形・写真等を画像として読取ると共に、その原稿紙に設けられたＩＣタグからその記憶情報として記録されている機密情報をも読み出すことができ、さらに、それらの画像情報及び機密情報に基づいて、実施例１で述べたような記録紙１を作成する（記録用紙２に記録を行う）ことができる装置である。ここで、記録用紙及び記録紙が実施例１におけるものと同じであるので、また、後述するとおり、画像読取り部（５７）及び画像形成部（５８）が実施例２又は３におけるものと実質同様であるので、図１から４まで、図７、図８、図１１及び図１２、表１及び表２、並びに関連する説明を本実施例においても援用する。【０２０４】
本発明に係るデジタル複合機（以下、本実施例において本装置とも呼ぶ）は、液晶表示器及び複数の発光ダイオードからなる装置表示ユニット、並びに、複数のキースイッチからなる装置入力ユニットを含み、本装置のオペレータに対する表示及びオペレータからの入力を行なう操作部（図示せず）を、後述する原稿台（３）面手前に備えている。【０２０５】
図１３は、本装置の構成及び構造を説明するための模式的な正面断面図である。【０２０６】
図１３において、原稿台カバー５３には、オートドキュメントフィーダ（ＡＤＦ）５４が設けられている。原稿台カバー５３は、説明の便宜上、原稿台５５面に対して開いた形態にて図示したが、原稿台５５面に対してその面に接する形に閉じられることができ、ユーザーによる開閉が自在である。そして、原稿台カバー５３が閉じられているときには、ＡＤＦ５４は、そこに枚葉紙状の書面５６を複数枚、ユーザーが装填でき、その書面５６を１枚ずつ繰出して、複写原稿（単に原稿とも呼ぶ）として原稿台５５面上に搬送することができる。【０２０７】
一方、原稿台カバー５３が図示されたように開かれているときには、ユーザーは、書類や書籍などの原稿５６を原稿台５５面上に直接載置することもできる。【０２０８】
原稿台５５は、透明なガラス板であり、上述したとおり、その面上に書類や書籍などの原稿が搬送され又は載置される（以下、ＡＤＦ５４によって搬送された書面５６の１枚も、ユーザーによって直接載置されたものも、いずれも原稿５６と呼ぶ）。ここで、原稿５６には、ＩＣタグ８が設けられている。【０２０９】
画像読取り部５７は、実施例３におけるイメージスキャナとその操作部及びＩＣタグリーダを除き同様のものであり、具備したイメージセンサ（図示せず）が、原稿台５５面上に搬送され又は載置された原稿５６の面上の図形・写真等を透明なガラスである原稿台５５を通してデジタル画像として読取る。【０２１０】
画像形成部５８は、実施例２における操作部及びＩＣタグリーダを除いたもの、すなわちプリンタエンジンを核としたものと実質的に同様のものであり、外部Ｉ／Ｆを（図示せず）通して入力された画像情報に基づいて、具備したプリンタエンジン（図示せず）が記録用紙の紙面上に印刷を行う。画像形成部５８の詳細は実施例２の操作部及びＩＣタグリーダを除く内容を援用する。【０２１１】
装置制御部５９は、実施例３におけるスキャナ制御部と実施例２におけるプリンタ制御部とを実質的に合わせたものであり、本装置の機能・動作を制御（装置制御）するいわゆるマイクロコンピュータ・システムである（詳細は後述）。【０２１２】
操作部（図示せず）は、原稿台５５面の手前にあって、装置制御部５９に制御されて、操作者に対して装置情報を表示素子に表示し、また、操作者のキー（操作素子）操作によって情報を装置制御部５９へ入力する。【０２１３】
ＩＣタグリーダ６０は、実施例２におけるタグリーダ２９と実質的に同様のものであり、装置制御部５９に制御されて、紙２に設けられ情報の記憶ができるＩＣタグ８に対して、無線電波によって非接触で電力を供給しかつデータ通信を行ってＩＣタグ８が記憶する情報である記憶情報、その他のタグ情報のやりとり（送受信）を行う。【０２１４】
ここで、ＩＣタグリーダ６０は、発射する無線電波についてその指向性及び強度を切換えて、やりとりできる紙２の位置範囲を限定することができる。本装置では、その切換えを方向Ｄ３としたときには、このときの無線電波が原稿台上又は排紙トレイにある紙２には届かないよう調整されており、画像形成部５８内の給紙部６１から排紙部（６２）までの間にある紙２のみとやりとりが行える。また、その切換えを方向Ｄ４としたときには、このときの無線電波が原稿台上に又は画像形成部５８内の給紙部６１から排紙部（６２）までの間にある紙２には届かないよう調整されており、排紙トレイ６２にある紙２のみとやりとりが行える。また、その切換えを方向Ｄ５としたときには、このときの無線電波が排紙トレイ６２上に又は画像形成部５８内の給紙部６１から排紙部（６２）までの間にある紙２には届かないよう調整されており、原稿台５５上にある紙２のみとやりとりが行える。この指向性及び強度の切換えで、情報のやりとりの対象とする特定の箇所に存する紙２を他の箇所に存する他の紙２から区別して検出し、その検出された紙２に設けられたＩＣタグ８が特定されるタグ識別情報を検知できるので、検知後、その特定のタグ識別情報によって、ＩＣタグリーダ６０はその検出された紙２に設けられたＩＣタグ８とのみタグ情報をやりとりすることができる。【０２１５】
図１４は、本装置のデータ処理・装置制御に係るブロック構成を示す。【０２１６】
図１４において、装置制御部５９は、デジタルデータを演算処理する中央処理ユニット（ＭＰＵ又はＣＰＵ）、その処理プログラムが格納された読出し専用メモリ（ＲＯＭ）、及び処理の際に必要な一時記憶が行われるランダムアクセスメモリ（ＲＡＭ）、ビットマップ画像である読取り画像及び印刷画像を一時記憶する画像メモリ６３、並びに、外部のコンピュータなどとの間でデータ通信を行う外部インタフェース（外部Ｉ／Ｆ）６４、操作部を制御する操作部インタフェース（操作部Ｉ／Ｆ）、イメージセンサの動作を制御するためのイメージセンサインタフェース（イメージセンサＩ／Ｆ）６５、プリンタエンジン１４の機能又は動作を制御するためのエンジンインタフェース（エンジンＩ／Ｆ）６６、及び、ＩＣタグリーダ６０の機能又は動作を制御するためのリーダインタフェース（リーダＩ／Ｆ）６７、その他で構成されている。【０２１７】
そして、装置制御部５９は、イメージセンサ６８の移動及び撮像の動作を制御して、イメージセンサ６８に、原稿台３９面上に載置された原稿５６（記録紙１）の撮像を行わせて、その撮像信号をイメージセンサＩ／Ｆ６５を通して入力（この動作をスキャニングと呼ぶ）することで、原稿５６（記録紙１）面上の図形・写真等をデジタル画像として読取って（このデータがスキャンデータ）画像バッファ（メモリ）６３に一時保存する一方、画像バッファ（メモリ）に一時保存したその画像データを、外部Ｉ／Ｆ６４を通してコンピュータなどとデータ通信を行って所定の形式・手順にて出力する、また、外部インタフェース部（６４）で入力された文書情報、印刷情報等の文書印刷情報を処理して印刷画像（ビットマップ画像）を画像メモリ６３内に生成し、さらにそのビットマップ画像を基にその画像信号をエンジンＩ／Ｆ６６にて発生させてプリンタエンジン１４（エンジンコントローラ２６を介して露光装置１７）へ出力させる、ということを行う。これらの機能の詳細は、実施例２及び３における説明を援用する。【０２１８】
本装置は、以上のような構成において、その動作が、実施例２又は３における基本処理フロー（図７及び図１２、並びにそれぞれに係る説明）に沿ってなされる（動作の詳細は、実施例２及び３における説明を援用する）。さらに、それらの基本処理を、画像読取り部は読み取った印刷画像データを画像形成部５８へ出力し、かつ、画像形成部５８はその印刷画像データを入力データとするものとした上で、ほぼ同時に並行して行うことにより、原稿面上の画像を読み取ってその画像を印刷用紙に印刷するいわゆる複写の動作をなしている。【０２１９】
ここで、本装置は、複写動作について次のようなモードを有している。【０２２０】
１）紙複写モード
２）機密情報出力モード
紙複写モードは、普通の複写機の動作と同様に、原稿台５５面上に搬送され又は載置された原稿５６（ＩＣタグ８が設けられていなくてもよい）について、画像読取り部５７のイメージセンサ６８へ向けられた面上の図形・写真等を画像として読み取って、他の記録用紙（ＩＣタグ８が設けられていなくてもよい）に複写するものである。紙複写モードでは、装置制御部５９は、原稿台５５面上の原稿５６を画像読取り部５７に読み取らせ、読み取られた画像を画像形成部５８に与えて、その画像形成部５８にその画像の印刷出力を行なわせる。図１に示した印刷紙１を原稿としてこのモードで複写すると、本装置は、図１に示した印刷紙１と外見が同様の印刷紙を印刷出力する。このとき、その印刷用紙２にＩＣタグ８が設けられていても原稿とされた印刷紙１のＩＣタグ８に記憶されている情報を印刷用紙２のＩＣタグ８へコピーすることはしない。【０２２１】
一方の機密情報出力モードは、原稿台５５面上に搬送され又は載置された原稿５６（ＩＣタグ８が設けられているもの）について、画像読取り部５７のイメージセンサ６８へ向けられた面上の図形・写真等を画像として読み取って、他の記録用紙２（ＩＣタグ８が設けられていなくてもよい）に複写すると共に、ＩＣタグ８に記憶された機密情報をＩＣタグリーダ６０にて読み出して、その機密情報自体を文字、図形若しくは画像で可視化して、又はその情報に基づき生成した若しくは当該装置の外部から取得した機密情報を可視化して画像形成部５８にて印刷するものである。このとき、その機密情報の読出しに当たって、本装置は、操作者にその機密情報にアクセスするためのユーザー鍵情報を要求する外、さらに、画像読取り部にて読み取った画像に含まれた、本発明に係る模様印刷から文書ＩＤ鍵及び機密アクセスレベルの情報を得て、それらの情報の内容に応じて、機密情報の可視化又は印刷を許可し又は許可しないものとする。【０２２２】
図１５は、図１に示した印刷紙１を原稿としてこのモードで複写した場合、ユーザー鍵情報並びに文書ＩＤ鍵及び機密アクセスレベルの情報が機密情報の印刷が行えるものであるときに本装置が印刷出力する印刷紙を示した模式図である。図１５から分かるように、このモードで複写した場合には、原稿である図１に示した印刷紙１に対し、さらに機密情報（６９、７０）も含められて印刷がされた複写物が得られる。ここで、このときも、その印刷用紙２にＩＣタグ８が設けられていても原稿とされた印刷紙１のＩＣタグ８に記憶されている情報を印刷用紙２のＩＣタグ８へコピーすることはしない。【０２２３】
このような機密情報出力モードによって、同じ原稿であっても、その原稿５６が有した機密情報にアクセスできる者のみが、又はアクセスできるレベルに応じて、機密情報を取得することができる装置とすることができる。そして、機密情報の取得には本発明に係る模様印刷（５〜７）の読取り及び識別が不可欠なので、ＩＣタグ８に記憶された機密情報は、それが何らかの手段で電子的にコピーされたとしても、また、いわゆるパスワードであるユーザー鍵情報が詐取されたとしても、依然、その原稿を有しない者による可視化又は印刷が不可能である。【０２２４】
以上述べたような動作によって、本装置は、入力された画像情報に基づく画像の印刷の際には、ＩＣタグ８に対するその記憶情報へのアクセスに必要な情報であるアクセス情報を機械識別可能な形態で表した模様（５〜７）を、画像情報に基づく画像に重乗してそのＩＣタグ８が設けられた媒体（２）上に印刷し、かつ、そのＩＣタグ８にその記憶情報を記憶させ、一方、媒体上の図形・写真等の読み取りの際には、媒体に設けられたＩＣタグ８を検知し、かつ、その媒体（２）上の図形・写真等を、イメージセンサ６８を備えた画像読取り部５７が撮像したその画像内から識別が可能な所定の形態で表された模様（５〜７）を抽出し、その模様（５〜７）を識別して得られた情報を鍵として、それをもとにＩＣタグ８の記憶情報へアクセスすることで、一の媒体（２）に記録された機密でない情報（印刷された図形・写真等）と機密情報（ＩＣタグに記憶された情報）とを、それらの情報の別にかかわらず、機密情報についてはその機密性及び安全性を保った上で、簡便に複写などを行うことができる。
【産業上の利用可能性】
【０２２５】
本発明に係る印刷媒体は、プリンタ、複写機等で用いられる一般の印刷用紙として利用することができるほか、証券などの用紙としても利用することが可能である。さらには広く大衆に配布される書籍・雑誌・新聞等の用紙としても利用することが可能である。また、本発明に係る画像形成装置は、プリンタ、複写機等として利用することができるほか、書籍・雑誌・新聞等の印刷機としても利用することが可能である。また、本発明に係る画像情報入力装置は、据え置き型のイメージスキャナとして利用することができるほか、ハンディ型のイメージスキャナやデジタルカメラとしても利用することが可能である。
【図１】
2008081886.tif 000005
【図２】
2008081886.tif 000006
【図３】
2008081886.tif 000007
【図４】
2008081886.tif 000008
【図５】
2008081886.tif 000009
【図６】
2008081886.tif 000010
【図７】
2008081886.tif 000011
【図８】
2008081886.tif 000012
【図９】
2008081886.tif 000013
【図１０】
2008081886.tif 000014
【図１１】
2008081886.tif 000015
【図１２】
2008081886.tif 000016
【図１３】
2008081886.tif 000017
【図１４】
2008081886.tif 000018
【図１５】
2008081886.tif 000019
【手続補正書】
【提出日】平成21年7月6日(2009.7.6)
【手続補正１】
【補正対象書類名】明細書
【補正対象項目名】全文
【補正方法】変更
【補正の内容】
【発明の詳細な説明】
【技術分野】
【０００１】
本発明は、書類などを原稿として、その紙面上の図形・写真等を別の紙などに複写するデジタル複写機又はデジタル複合機、及び、入力された画像情報その他の情報に基づいてその可視画像を印刷用紙（記録用紙とも呼ぶ）などに印刷して出力する画像形成装置（印刷装置又はプリンタとも呼ぶ）、並びに、紙面上にある図形・写真等を画像として読み取り、その画像データを生成して情報処理装置などへ入力させる画像情報入力装置（イメージスキャナ、又は単にスキャナとも呼ぶ）に関する。
【背景技術】
【０００２】
紙、フィルムなど（以下、単に紙とも呼ぶ）を記録の媒体とした書類などを原稿としてその紙面上の図形・写真等の画像を別の紙に複写する複写機は、コンピュータの普及と共にプリンタ機能や、さらにファクシミリ機能などを合わせたデジタル複合機へと多機能化されている。また、それら印刷装置は、メモリカードなどの情報交換メディアや外部機器などとのインタフェースも備え、情報交換メディアや外部機器を通して装置の制御情報などを取出し又は入換えできるような操作性の向上も図られてきている。
【０００３】
そして、さらに、特許文献１に示されるデジタル複写機では、読み取った原稿画像の画像データをメモリカードに記憶させることができ、このように、メモリカードを紙に代わるメディアとしてメモリカードの新しい用途も開発されてきている。今日、インターネットの普及、及び携帯電話やデジタルカメラなどの個人が占有でき携帯が可能な情報機器の浸透により、テキストに限らず、音楽・画像・映像なども含めた種々の情報がデジタル化され、いわゆるマルチメディアが広く日常の様々な場面で利用できるようになっている。ユーザーは、目前にある情報のみならず、世界中の様々なところにある種々の情報が情報機器の表示画面や音響出力を通して得られるようになってきており、メモリカードは、そのような種々のデジタル情報に対する媒体、いわゆるマルチメディアとして極めて有用である。
【０００４】
一方、紙は、情報を人に対し視覚的に直接伝える極めて簡便な媒体であり、そのような使途については、メモリカードでは依然代わり難いものである。このようなことから、メモリと紙とは、将来的にも、それぞれの特質に応じた形態において共に利用され続けていくものと思われる。
【０００５】
このような中、近年、集積回路（ＩＣ）カードなど、微小なＩＣメモリチップを含んでデータを非接触でやりとりできるものが一般に広く普及し、さらに、カードの形態に限らず、その微少なＩＣメモリチップ自体が無線ＩＣタグなどの形で日常の様々な物に付けられるようになってきている。
【０００６】
そして、印刷用の紙に関しても、昨今のいわゆる情報セキュリティへの関心の高まりもあって、例えば、特許文献２では、無線ＩＣタグである非接触型超小型ＩＣチップを内蔵し、そこに偽造防止情報を保持させて偽造の防止を図った印刷媒体が開示されている。
【０００７】
また、例えば、特許文献３では、無線ＩＣタグである無線周波（ＲＦ）識別子（ＩＤ）タグが設けられた紙などの記録体が示され、その記録体には文字・写真・絵等の非電子的な情報が印刷されるほか、さらにその二次的情報として映像・音声等をＲＦＩＤに記録できる旨が開示されており、これによって紙をベースとした記録体にて映像・音声をも併せて記録できるので密度の濃い情報伝達を図ることができるとしている。
【０００８】
さらに、無線ＩＣタグが設けられた紙を使用する装置やシステムとして、例えば、特許文献４では、無線ＩＣタグであるＲＦＩＤタグが取付けられた印刷用紙への印刷時にその印刷情報をＲＦＩＤタグに又はそのＲＦＩＤタグとネットワークを介して通信し得るデータベースに書込み、そして、印刷物を配布する際に配布情報をＲＦＩＤ又はデータベースに追記して、それらの印刷情報や配布情報に基づいた印刷物の検索を可能にする技術が開示されている。
【０００９】
また、例えば、特許文献５では、無線ＩＣタグである無線タグが埋め込まれた用紙に文書の印刷を行ったとき、その無線タグと印刷したその文書データとを対応付けて記憶しておき、その後、その印刷がされた文書を複製する際には、読出した無線タグの内容と、先の記憶とを比較判断して、その複製の禁止や配布先の管理を行うことができる文書管理システムが示されている。
【００１０】
また、例えば、特許文献６では、無線ＩＣタグであるＲＦＩＤチップが付いた紙の文書を原稿として読取る際、先ずそのＲＦＩＤに記録された付加情報を読取り、その付加情報が文書の複製を許可する条件を満たす場合にのみ原稿を複製する画像形成装置が示されている。
【先行技術文献】
【特許文献】
【００１１】
【特許文献１】特開２００４−７２７６２号公報
【特許文献２】特開２００３−５８８５６号公報
【特許文献３】特開２００６−１０３１０９号公報
【特許文献４】特開２００４−３１０２３９号公報
【特許文献５】特開２００５−３５０９５号公報
【特許文献６】特開２００５−３０５６６２号公報
【発明の概要】
【発明が解決しようとする課題】
【００１２】
しかしながら、上記従来の構成に係る、特許文献２では、その印刷媒体に設けられた超小型ＩＣチップによってその媒体が偽造物でないことが示せるという技術が開示されているにとどまり、それは超小型ＩＣチップの機能を印刷媒体の使用者に利用させようとするものではない。
【００１３】
また、特許文献３に示されたものでは、非電子的な情報が印刷される記録体に設けられたＲＦＩＤによって、電子的な情報であって印刷された情報の二次的情報である映像・音声等が伝達できるものの、その機能にとどまり、同文献は、その二次的情報を機密情報（開示伝達が特定の者に対してのみされるべき情報）として扱うための技術を開示するものではなく、その構成自体で機密情報を効果的に扱いうるものではない。
【００１４】
また、無線ＩＣタグが設けられた紙を使用する上記従来の構成の、特許文献４又は５に示されたシステム及び特許文献５に示された装置では、いずれも、メモリである無線ＩＣタグを、それが設けられている紙の面上に図形・写真等の形態で記録された情報の複製の禁止若しくは制限又はその記録がされた文書の管理（印刷情報・配布情報）の用途に使うにとどまっている。
【００１５】
すなわち、特許文献４に示された技術は、ＲＦＩＤに記録した印刷情報や配布情報に基づいてその検索を行うものであり、印刷物の検索・管理をその目的としている。
【００１６】
また、特許文献５及び６に示された技術は、人に対する本来の情報が紙面上の図形・写真等に存在しており、その情報が例えば機密情報などであってその配布・複製等が制限されるべきときに、無線ＩＣタグの機能を利用しようとするものである。換言すれば、機密情報といえども紙面上の図形・写真等に表されており、従って、例えば複写機にその無線ＩＣタグが有する配布・複製等の制限に係る情報に従う機能が備わっていない場合には、そのような制限が無視され、機密情報である紙面上の図形・写真等が難なく複写されてしまい、期待されている功を全く奏しない。そして、実際には、このような場合が殆どであり、特許文献５又は６に示されたものは、ともに、機密情報などについて情報の機密を保持する手段としては使えない。
【００１７】
一方、特許文献１に示されたようなメモリカードに情報を記録するものでは、記録データの暗号化などによってその機密性を確保することはできるが、その情報にアクセスできる権限を有した本来の利用者にとっては、情報を人に対し視覚的に直接伝えるものではないので、また、物理的に紙とは異なる物である以上、紙と同じような使用ができるものではない。
【００１８】
本発明は、このような従来の課題を解決するものであり、極めて簡便な紙などの媒体をベースにしたものであって、無線ＩＣタグが設けられたものを使用し、配布・複製等が制限される機密情報と、機密でない情報とを、その情報の機密度に応じて、安全かつ便利に扱いうる画像形成装置、画像情報入力装置、デジタル複合機等を提供するものである。
【課題を解決するための手段】
【００１９】
本発明は、上記目的を達成するために、表面に印刷がされた紙、フィルムその他の印刷媒体を、情報の記憶ができる超小型集積回路（ＩＣ）タグを含み備え、前記印刷には、前記ＩＣタグに対するその記憶情報へのアクセスに必要な鍵としての情報であるアクセス情報を機械識別可能な形態で表した模様が含まれていることを特徴としたものとする。
【００２０】
また、入力された画像情報その他の情報に基づいてその可視画像を印刷用の紙、フィルムその他の媒体上に印刷して出力する画像形成装置を、印刷用前記媒体上に可視画像を形成して印刷を行う印刷部と、印刷用前記媒体に設けられ情報の記憶ができる超小型集積回路（ＩＣ）タグとの間でデータ通信が行え、前記ＩＣタグが記憶する情報である記憶情報、その他のタグ情報をやりとりするＩＣタグリーダとを含み備え、前記ＩＣタグに対する前記記憶情報へのアクセスに必要な鍵としての情報であるアクセス情報を機械識別可能な形態で表した模様を、入力された前記画像情報に基づく画像に重畳してそのＩＣタグが設けられた前記媒体上に印刷し、かつ、そのＩＣタグにその記憶情報を記憶させることを特徴としたものとする。
【００２１】
また、紙、フィルムその他の媒体上にある図形・写真等を画像として読み取ってその画像データを生成して情報処理装置などへ入力させる画像情報入力装置を、前記媒体を撮像してそこに記録されている図形・写真等を画像として直接読み取るイメージスキャナ部と、印刷用前記媒体に設けられ情報の記憶ができるＩＣタグとの間でデータ通信が行え、前記ＩＣタグが記憶する情報である記憶情報、その他のタグ情報をやりとりするＩＣタグリーダとを含み備え、前記媒体に設けられた前記ＩＣタグを検知し、かつ、その媒体上の図形・写真等を前記イメージスキャナが撮像したその画像内から機械識別可能な所定の形態で表された模様を抽出し、その模様を識別して得られた情報を鍵として、それをもとに前記ＩＣタグの前記記憶情報へアクセスすることを特徴としたものとしてもよい。
【００２２】
また、入力された画像情報その他の情報に基づいてその可視画像を印刷用の紙、フィルムその他の媒体上に印刷して出力機能と、媒体上に記録されている図形・写真等を画像として読み取ってその画像データを生成して入力する画像情報入力機能とを有したデジタル複合機であって、印刷用前記媒体上に可視画像を形成して印刷を行う印刷部と、前記媒体を撮像してそこに記録されている図形・写真等を画像として直接読み取るイメージスキャナ部と、印刷用前記媒体に設けられ情報の記憶ができるＩＣタグとの間でデータ通信が行え、前記ＩＣタグが記憶する情報である記憶情報、その他のタグ情報をやりとりするＩＣタグリーダとを含み備え、入力された前記画像情報に基づく画像の印刷の際には、前記ＩＣタグに対する前記記憶情報へのアクセスに必要な鍵としての情報であるアクセス情報を識別が可能な形態で表した模様を、画像情報に基づく前記画像に重畳してそのＩＣタグが設けられた前記媒体上に印刷し、かつ、そのＩＣタグにその記憶情報を記憶させ、一方、前記媒体上の図形・写真等の読み取りの際には、前記媒体に設けられた前記ＩＣタグを検知し、かつ、その媒体上の図形・写真等を前記イメージスキャナが撮像したその画像内から機械識別可能な所定の形態で表された模様を抽出し、その模様を識別して得られた情報を鍵として、それをもとに前記ＩＣタグの前記記憶情報へアクセスすることを特徴としたものとしてもよい。
【発明の効果】
【００２３】
本発明は、ＩＣタグを含み備えた紙などの印刷媒体であって、その表面には機密を要しない情報（便宜的に開示情報と呼ぶ）が印刷によって記録されていると共に、そのＩＣタグ内には機密情報が記録（記憶）されていることで、機密情報の提供のためのフレキシブルディスク、ファイルサーバー等の別途の手段を不要とし、機密情報を、ＩＣタグにて安全に保管させつつ、開示情報と一体に簡便に配布することができる。さらに、その表面への印刷に、そのＩＣタグの記憶情報へのアクセスに必要となる鍵情報を機械識別可能な形態で表した模様を含めることで、機密情報と開示情報との一体性をより確実にさせてそれらの保管・利用を容易にさせることができつつ、その印刷物（印刷媒体）を所持した者でなければその機密情報にアクセスできないものにできるので、ＩＣタグ内の機密情報が印刷媒体から離れて単独で漏えいすることが防げ、機密情報の安全性をより高めることができる。
【００２４】
すなわち、一般に、関連しあった情報は、その実体の所在が分離されていると、実際上、管理及び取扱いが不便である。例えば、関連しあった情報であるにもかかわらず、その情報の一部（例えば画像情報）が紙に、他の一部（例えば機密情報）がメモリカードに、それぞれ別物に記録されていると、それらの物の関連付けについても別途管理が必要とされ、しかも、このような管理は往々にして人為的なミスを伴いやすいものである。また、その機密情報の実体だけをファイルサーバーなどに保管しておきネットワークなどを通してその実体にアクセスする構成も考えられようが、このような構成をとると、そのためのオンラインの環境が構築できない場面では、結局、機密情報たるその実体部分へのアクセスができず、そのような構成は利用者にとって決して利用しやすいものではない。それらに対し、本発明は、情報の機密性の有無にかかわりなくそれらの実体すべてをまとめて、つまり、機密情報とそのアクセス情報とが共に、物理的に一の物に記録されるので、関連しあった情報を散逸させず、かつ、機密情報の印刷などの利用時にファイルサーバーなどを必要とすることなく、利用者にとってその管理及び取扱いを簡便にさせることができ、情報の配布元にとっても機密情報をサーバなどにて配布後も管理し続ける必要がなくせる。
【００２５】
そして、機密情報自体については、その記録先（媒体）をＩＣタグとして、情報の漏えい・改ざんに対して高い安全性を確保した記録・配布を行える。さらに、ＩＣタグに記録した機密情報へのアクセスに必要な鍵となる情報を画像として記録（印刷）するので、ＩＣタグに記録する機密に係る電子情報を、ＩＣタグに対する記憶情報、その他のタグ情報をやりとりするＩＣタグリーダ（タグへの情報の書込み機能も含む）で読取って電子的に複製されたとしてもそれだけではその機密情報の内容にアクセスできないデータにして、その機密情報へのアクセスがより困難なものにできる。つまり、機密情報の提供において、その機密情報へのアクセスに係る情報のデータを普通には視認できないいわゆる透かし画像として印刷紙面上に含ませて、そのデータの秘匿性を取ることができる。そして、万一、ＩＣタグが印刷紙から取り外されて取り扱われたときにはＩＣタグに記憶された機密情報の読出しを不能にして、機密情報のその印刷紙との一体性を確実にさせることもできる。
【００２６】
このとき、アクセス情報を表わすための形態についての仕様を一般に対しては秘密とすることでアクセス情報についても一種の暗号化が図れ、機密の安全性をより高めることができ、また、アクセス情報が記録された画像を光学的に複写されたときに正確に複写されにくいものとしておけば、アクセス情報を複写による拡散が抑えられたものにすることができる。
【００２７】
例えば、印刷紙面上の画像に透かし画像として、ＩＣタグ内に記憶された機密情報の読出しを可能とするためのいわゆるパスワード（データ）を表す微細な模様を黄色などで重畳しておくことで、その透かし画像（パスワード）を読取って解読することができる機械において、その解読したパスワードをＩＣタグに与えることによってＩＣタグが記憶している機密情報の読出しが可能となるようにできる。逆に、ＩＣタグが印刷紙から取り外されて透かし画像によってのみ得られるパスワードを知り得ないときには、ＩＣタグからの機密情報の読出しが不可能にできる。このように、制限情報に係るデータを透かし画像として印刷紙面上に含ませることで、ＩＣタグ内の機密情報の安全性をより高めることができると共に、機密情報とその印刷紙との一体性を確実にさせることができ、保管・利用上の間違いも防止できる。
【００２８】
つまり、本発明に係る印刷物には、機密情報であってもその実体がそこに記録されており、利用者にとって便利なものでありながら、かつ、その機密情報は、記録形態が電子的なものなので従来の複写機では複製できず、また、アクセス情報が画像とされてその印刷物に記録されているので、ＩＣタグリーダを備えただけの装置では結局その必要な情報が複製できず、漏えいすることはない。
【００２９】
このように、一つの印刷物にて開示情報と共にそれに関連した機密情報についても、その印刷物のオリジナルを有した者でなければ機密情報へのアクセスをより困難として、機密情報の実体自体を安全かつ便利に配布できるという効果を奏する。
【００３０】
また、本発明は、機密情報をＩＣタグに記憶させ、かつ、それに対するアクセス情報を識別が可能な形態で表した模様を、入力された画像情報に基づく画像に重畳してそのＩＣタグが設けられた用紙上に印刷する画像形成装置とすることで、前述のような、一つの印刷物にて開示情報と共にそれに関連した機密情報についても、その印刷物のオリジナルを有した者でなければ機密情報へのアクセスをより困難として、機密情報の実体自体を安全かつ便利に配布できる印刷物の作成が容易に行える。
【００３１】
また、本発明は、印刷物に設けられたＩＣタグを検知し、かつ、その紙面上の図形・写真等を撮像したその画像内から所定の形態で表された模様部分を抽出して、その形態を識別して得られた情報をもとにＩＣタグの記憶情報へアクセスする画像情報入力装置としたときにも、また、そのような画像情報入力装置と前述の画像形成装置とを複合したデジタル複合機としたときにも、そのような印刷物を媒介として上述と同様の効果を奏する。
【図面の簡単な説明】
【００３２】
【図１】図１は印刷がされた本発明に係る印刷紙を印刷面側から見た模式図である。
【図２】図２（ａ）はＩＣタグが設けられた本発明に係る印刷用紙を示す模式図、図２（ｂ）はＩＣタグが設けられた部分の断面を示す模式図である。
【図３】図３は模様印刷の形状（ドットの配置）を説明するための模式図であり、図３（ａ）は模様とその模様が表わす情報（値、文字）の例を示す図、図３（ｂ）文字（数字）列を図３（ａ）に示した模様で表わした例を示す図である。
【図４】図４は模様印刷におけるデータの構造を説明するデータ構造図であり、図４（ａ）は模様印刷におけるデータの構造を示す図、図４（ｂ）模様印刷における表現データについての構造を示す図である。
【図５】図５は本発明に係る画像形成装置の全体構成の概略を示す図で、図５は（ａ）は背面側から見た外観の斜視図、図５（ｂ）は横断面図である。
【図６】図６は画像形成装置のデータ処理・装置制御に係るブロック構成を示す図である。
【図７】図７は画像形成装置の印刷・記録の基本的な動作を示すフローチャートである。
【図８】図８は画像形成装置へ入力されるデータを、機密情報を含んだ文書を例に、マークアップ表現にて模式的に示した図である。
【図９】図９は本発明に係る画像情報入力装置の全体構成の概略を示す横断面図である。
【図１０】図１０は画像情報入力装置のデータ処理・装置制御に係るブロック構成を示す図である。
【図１１】図１１は画像情報入力装置から出力するデータの形式を、原稿（記録紙）を例に模式的に示した図である。
【図１２】図１２は画像情報入力装置での画像・記憶情報についての読取りの基本的な動作を示すフローチャートである。
【図１３】図１３は本発明に係るデジタル複合機の構成及び構造を説明するための模式的な正面断面図である。
【図１４】図１４はデジタル複合機のデータ処理・装置制御に係るブロック構成を示す図である。
【図１５】図１５は機密情報を含めた印刷がなされた印刷紙を印刷面側から見た模式図である。
【発明を実施するための形態】
【００３３】
本発明の実施の第１の形態は、表面に印刷がされた紙、フィルムその他の印刷媒体であって、情報の記憶ができる超小型集積回路（ＩＣ）タグを含み備え、前記印刷には、前記ＩＣタグに対するその記憶情報へのアクセスに必要な鍵としての情報であるアクセス情報を識別が可能な形態で表した模様が含まれていることを特徴としたものである。
【００３４】
このような構成によって、ＩＣタグを含み備えた紙などの印刷媒体であって、その表面には開示情報が印刷によって記録されていると共に、そのＩＣタグ内には機密情報（情報には文字、図形、写真、文書、音、映像などのデータも含まれる）が記録（記憶）されていることで、機密情報の提供のためのフレキシブルディスク、ファイルサーバー等の別途の手段を不要とし、機密情報を、ＩＣタグにて安全に保管させつつ、開示情報と一体に簡便に配布することができる。さらに、その表面への印刷に、そのＩＣタグの記憶情報へのアクセスに必要となる鍵情報を機械識別可能な形態で表した模様を含める。これにより、機密情報と開示情報との一体性をより確実にさせてそれらの保管・利用を容易にさせることができつつ、その印刷物（印刷媒体）を所持した者でなければその機密情報にアクセスできないものにできるので、ＩＣタグ内の機密情報が印刷媒体から離れて単独で漏えいすることが防げ、機密情報の安全性をより高めることができる。
【００３５】
すなわち、本発明に係る記録紙は、情報の機密性の有無にかかわりなくそれらの実体すべてをまとめて、つまり、機密情報とそのアクセス情報とが共に、物理的に一の物に記録されるので、関連しあった情報を散逸させず、かつ、機密情報の印刷などの利用時にファイルサーバーなどを必要とすることなく、利用者にとってその管理及び取扱いを簡便にさせることができ、情報の配布元にとっても機密情報をサーバなどにて配布後も管理し続ける必要がなくせる。
【００３６】
そして、機密情報自体については、その記録先を印刷紙内のＩＣタグとして、情報の漏えい・改ざんに対して高い安全性を確保した記録・配布を行える。さらに、ＩＣタグに記録した機密情報へのアクセスに必要な鍵となる情報を画像として記録（印刷）するので、ＩＣタグに記録する機密に係る電子情報を、ＩＣタグに対する記憶情報、その他のタグ情報をやりとりするＩＣタグリーダ（単にリーダーとも呼ぶ。なお、本明細書においては、タグからの情報の読取りに限らずタグに対する情報の書込みの機能を含んだ物についても、単に「リーダ」又は「リーダー」の語を用いる。また、「やりとり」の語はその読取り及び書込みの総称として用いる。）で読取って電子的に複製されたとしてもそれだけではその機密情報の内容にアクセスできないデータにして、その機密情報へのアクセスがより困難なものにできる。つまり、機密情報の提供において、その機密情報へのアクセスに係る情報のデータを普通には視認できないいわゆる透かし画像として印刷紙面上に含ませて、そのデータの秘匿性を取ることができる。そして、万一、ＩＣタグが印刷紙から取り外されて取り扱われたときにはＩＣタグに記憶された機密情報の読出しを不能にして、機密情報のその印刷紙との一体性を確実にさせることもできる。
【００３７】
このとき、アクセス情報を表わすための形態についての仕様を一般に対しては秘密とすることでアクセス情報についても一種の暗号化が図れ、機密の安全性をより高めることができ、また、アクセス情報が記録された画像を光学的に複写されたときに正確に複写されにくいものとしておけば、アクセス情報を複写による拡散が抑えられたものにすることができる。
【００３８】
例えば、印刷紙面上の画像に透かし画像として、ＩＣタグ内に記憶された機密情報の読出しを可能とするためのいわゆるパスワード（データ）を表す微細な模様を黄色などで重畳しておくことで、その透かし画像（パスワード）を読取って解読することができる機械において、その解読したパスワードをＩＣタグに与えることによってＩＣタグが記憶している機密情報の読出しが可能となるようにできる。逆に、ＩＣタグが印刷紙から取り外されて透かし画像によってのみ得られるパスワードを知り得ないときには、ＩＣタグからの機密情報の読出しが不可能にできる。このように、制限情報に係るデータを透かし画像として印刷紙面上に含ませることで、ＩＣタグ内の機密情報の安全性をより高めることができると共に、機密情報とその印刷紙との一体性を確実にさせることができ、保管・利用上の間違いも防止できる。
【００３９】
つまり、本発明に係る印刷物には、機密情報であってもその実体がそこに記録されており、利用者にとって便利なものでありながら、かつ、その機密情報は、記録形態が電子的なものなので従来の複写機では複製できず、また、アクセス情報が画像とされてその印刷物に記録されているので、ＩＣタグリーダを備えただけの装置では結局その必要な情報が複製できず、漏えいすることはない。このように、一つの印刷物にて開示情報と共にそれに関連した機密情報についても、その印刷物のオリジナルを有した者でなければ機密情報へのアクセスをより困難として、機密情報の実体自体を安全かつ便利に配布できる。
【００４０】
本発明の実施の第２の形態は、実施の第１の形態において、前記アクセス情報を表す前記形態は、機械では識別が可能であるが人の視覚では識別が困難なものであることを特徴とするものである。
【００４１】
このような構成によって、アクセス情報を表す形態を、機械では識別が可能であるが人の視覚では識別が困難なものとすることで、印刷画像におけるアクセス情報の所在を分かりにくくできるので、入力された画像情報に基づく本来の画像を実用上の損失なく印刷でき、かつ、アクセス情報の検知及び表示形態への改ざんを困難にして、機密情報の安全性をより高めることができる。
【００４２】
本発明の実施の第３の形態は、実施の第１の形態において、前記ＩＣタグは、電力が外部の機器から無線で供給され、かつ、電磁誘導又は電波で外部の機器とデータ通信を行うことを特徴とするものである。
【００４３】
このような構成によって、ＩＣタグを、その電力が外部の機器から無線で供給され、かつ、電磁誘導又は電波で外部の機器とデータ通信を行うものとすることで、自らが電池などの電源を備えずとも、さらに機械的な接触を伴うことなくデータ通信を行って情報のやりとりをすることができる。
【００４４】
本発明の実施の第４の形態は、実施の第３の形態において、当該媒体の内部又は表面上にアンテナが導電性インクで描画されて形成されていることを特徴とするものである。
【００４５】
このような構成によって、当該媒体の内部又は表面上にアンテナが導電性インクで描画されて形成されることで、アンテナに掛るコストを抑え、かつ機械的部材が排され信頼性を向上することができる。
【００４６】
本発明の実施の第５の形態は、入力された画像情報その他の情報に基づいてその可視画像を印刷用の紙、フィルムその他の媒体（便宜上、この媒体を単に紙とも呼び、また、印刷用媒体を単に用紙又は印刷紙若しくは印刷物とも呼ぶ）上に印刷して出力する画像形成装置であって、印刷用前記媒体上に可視画像を形成して印刷を行う印刷部と、印刷用前記媒体に設けられ情報の記憶ができる超小型集積回路（ＩＣ）タグとの間でデータ通信が行え、前記ＩＣタグが記憶する情報である記憶情報、その他のタグ情報をやりとりするＩＣタグリーダとを含み備え、前記ＩＣタグに対する前記記憶情報へのアクセスに必要な鍵としての情報であるアクセス情報を機械識別可能な形態で表した模様（本明細書において模様とは色彩・濃度を含む。例えば、同じ形であっても色彩が異なれば別の模様と考える。）を、入力された前記画像情報に基づく画像に重畳してそのＩＣタグが設けられた前記媒体上に印刷し、かつ、そのＩＣタグにその記憶情報を記憶させることを特徴としたものである。
【００４７】
このような構成によって、本発明は、機密情報をＩＣタグに記憶させ、かつ、それに対するアクセス情報を機械識別可能な形態で表した模様を、入力された画像情報に基づく画像に重畳してそのＩＣタグが設けられた用紙上に印刷する画像形成装置とすることで、前述のような、一つの印刷物にて開示情報と共にそれに関連した機密情報についても、その印刷物のオリジナルを有した者でなければ機密情報へのアクセスをより困難として、機密情報の実体自体を安全かつ便利に配布できる印刷物の作成が容易に行える。
【００４８】
本発明の実施の第６の形態は、実施の第５の形態において、前記模様は、機械では識別が可能であるが人の視覚では識別が困難なものであることを特徴とするものである。
【００４９】
このような構成によって、アクセス情報を表す形態を、機械では識別が可能であるが人の視覚では識別が困難なものとすることで、印刷画像におけるアクセス情報の所在を分かりにくくできるので、入力された画像情報に基づく本来の画像を実用上の損失なく印刷でき、かつ、アクセス情報の検知及び表示形態への改ざんを困難にして、機密情報の安全性をより高めることができる。
【００５０】
本発明の実施の第７の形態は、実施の第６の形態において、前記形態は、微細な形状又は人の視覚では感知しにくい色彩であることを特徴とするものである。
【００５１】
このような構成によって、アクセス情報を表す模様を、微細な形状又は人の視覚では感知しにくい色彩で構成されたものとすることで、機械では識別が可能であるが人の視覚では識別が困難な形態を容易に実現できる。
【００５２】
本発明の実施の第８の形態は、実施の第５の形態において、前記模様は、係るアクセス情報が、所定のキー情報により復号できる暗号化がされて前記形態で表されたものであることを特徴とするものである。
【００５３】
このような構成によって、アクセス情報を、所定のキー情報により復号できる暗号化がされた符号にすることで、アクセス情報自体の機密の安全性を高めることができると共に、さらに、複数のキー情報によって、かつ、キー毎に異なる復号が行える暗号化とすれば、印刷物の配布相手先毎に機密情報へのアクセス権限レベルを異なるものとする使い分けを可能にできる。例えば、配布相手先Ａにはキー情報ａを与えて機密情報αへのアクセスを可能とさせるが、配布相手先Ｂにはキー情報ｂを与えて機密情報α及びβへのアクセスを可能とさせる、というような使い分けを可能にできる。
【００５４】
本発明の実施の第９の形態は、実施の第５の形態において、前記記憶情報は、当該画像形成装置外の記憶装置に記憶された情報を指し示すものであることを特徴とするものである。
【００５５】
このような構成によって、記憶情報を、当該画像形成装置の外部に置かれたファイルサーバーなどの記憶装置に記憶された情報を指し示すものとすることで、その記憶装置へのアクセス手段が必要ではあるが、そのような場面にあっては、ＩＣタグの容量を超えるような大容量の情報であっても利用者への提供を可能にできる。このとき、本発明に係る形態では、ＩＣタグが有する一般的な安全機能に加え、前述したように、さらにそのＩＣタグへのアクセスするために必要なアクセス情報についても画像（模様）を媒介することで一種の暗号化が図られており、ファイルサーバーなどへのアクセスは、それらのより強化された安全手段を経た上でなされるものである。
【００５６】
本発明の実施の第１０の形態は、実施の第５の形態において、当該装置は、当該装置に入力された情報のうち、自らの部分へのアクセスが制限された機密情報について、その機密情報自体又はそれに基づく情報の少なくとも一部を前記ＩＣタグに記憶させることを特徴とするものである。
【００５７】
このような構成によって、当該装置に入力された情報のうち、自らの情報部分へのアクセスが制限された機密情報について、その機密情報自体又はそれに基づく情報の少なくとも一部をＩＣタグに記憶させることで、当該装置に入力された情報について、機密でない情報が視認できる画像として媒体（紙）面上に印刷された一方、機密に係る情報も同一の媒体（紙）内に視認できずかつアクセスが困難に記録された、そのような情報記録物としての印刷物を作成することができる。
【００５８】
本発明の実施の第１１の形態は、実施の第５の形態において、前記ＩＣタグリーダは、無線で、前記ＩＣタグへその電力を供給でき、かつ、そのＩＣタグとデータ通信が行えるものであることを特徴とするものである。
【００５９】
このような構成によって、ＩＣタグリーダを、無線（例えば、電磁誘導、電波等）で、ＩＣタグへその電力を供給でき、そのＩＣタグとデータ通信が行えるものとすることで、無線ＩＣタグなどの非接触型のＩＣタグが利用できる。
【００６０】
本発明の実施の第１２の形態は、実施の第５の形態において、当該装置は、前記印刷部での印刷の際にその印刷が行われる前記媒体に対してＩＣタグの検出を行い、その後、前記ＩＣタグリーダが、その検出されたＩＣタグを特定してそのＩＣタグに対し、前記記憶情報の記憶を行わせ又は前記記憶情報を有効とさせることを特徴とするものである。
【００６１】
このような構成によって、印刷部での印刷の際にその印刷が行われる用紙に対してＩＣタグの検出を行い、その後、非接触型のＩＣタグリーダが、その検出されたＩＣタグを特定してそのＩＣタグに対し、記憶情報の記憶を行わせ又は記憶情報を有効とさせることで、非接触型のＩＣタグリーダが通信可能な範囲内に印刷紙が複数存在しても、特定の一の印刷紙を選んで、そこに記録されるべき記憶情報についてそのＩＣタグにその記憶を行わせ又はその記憶情報を有効とさせることができる。
【００６２】
本発明の実施の第１３の形態は、実施の第５の形態において、当該装置は、さらに、印刷用前記媒体に印刷がされた印刷紙を排出しそしてその排出を検知する排紙部を含み備えており、前記アクセス情報を示す画像の印刷を行い、その印刷紙を前記排紙部が排紙したことを検知した後に、前記ＩＣタグに前記記憶情報の記憶を行わせ又は前記記憶情報を有効とさせることを特徴とするものである。
【００６３】
このような構成によって、アクセス情報を示す画像の印刷を行い、その印刷紙を排紙部が排紙したことを検知した後に、ＩＣタグに記憶情報の記憶を行わせ又は記憶情報を有効とさせることで、紙詰まりなどの印刷エラーが発生したときには、記憶情報をＩＣタグに有効には存在させず、ＩＣタグに記録される機密情報の不要な書出しを控えることができるので、ひいては機密情報の漏えいとなる可能性を抑えることができる。また、画像形成装置におけるいわゆる紙詰まりや紙ジャムなどの印刷エラーに対しての再印刷に関し、印刷及び印刷紙の排出が正しく完了していなかったことを検知しており、かつ、タグ情報における少なくとも機密情報に係るデータを未だ有効としていなかった場合に限ってその再印刷を可能として、正規の印刷物が存するにもかかわらずさらにその再印刷が行われるようなことを避けることができる。これによって、例えば、切符などの印刷において、一の課金のみでの同一複数の発行がなされるようなことを避けることができ、画像形成装置において、その印刷物が唯一であることを確実にできる。このことは、例えば、ホストコンピュータに対し通信回線などを通して接続された遠隔地のエンドユーザーなどの側において発券などを行うような場合、とりわけ有用である。
【００６４】
本発明の実施の第１４の形態は、実施の第１３の形態において、印刷の際、前記印刷紙の前記ＩＣタグに対し、前記記憶情報の記憶をその印刷紙が前記排紙部に排紙されるまでの間に行わせ、かつ、その記憶された記憶情報を、その印刷紙が前記排紙部に排紙されるまでは無効のままとし、その印刷紙を前記排紙部が排紙したことを検知後に有効とさせることを特徴とするものである。
【００６５】
このような構成によって、印刷の際、印刷紙のＩＣタグに対し、記憶情報の記憶をその印刷紙が排紙部に排紙されるまでの間に行わせ、かつ、その記憶された記憶情報を、その印刷紙が排紙部に排紙されるまでは無効のままとし、排紙されたことを検知後に有効とさせることで、記憶情報が大量であっても、印刷紙が排紙部に排紙されるまでの比較的長い時間において記憶させることができるので、また、記憶情報の有効無効についてはごくわずかの情報量によってその状態を示すことができ、排紙後の極めて短時間にその制御が行えるので、排紙後直ちにユーザーがその印刷紙を取るようなことがあっても問題ないものにできる。
【００６６】
本発明の実施の第１５の形態は、実施の第１３の形態において、前記ＩＣタグリーダは、そのやりとり可能な範囲を少なくとも前記排紙部を除いた範囲に限ることができる指向性その他の範囲限定手段を有したことを特徴とするものである。
【００６７】
このような構成によって、ＩＣタグリーダを、そのやりとり可能な範囲を少なくとも排紙部を除いた範囲に限ることができる指向性その他の範囲限定手段を有したものとすることで、一の無線ＩＣタグリーダであっても、印刷がされて排紙部に排紙された印刷紙を検知することなく印刷部に存する（印刷中の）記録用紙のみを検出することができる。
【００６８】
本発明の実施の第１６の形態は、紙、フィルムその他の媒体上にある図形・写真等を画像として読み取ってその画像データを生成して情報処理装置などへ入力させる画像情報入力装置であって、前記媒体を撮像してそこに記録されている図形・写真等を画像として直接読み取るイメージセンサ部と、印刷用前記媒体に設けられ情報の記憶ができる超小型集積回路（ＩＣ）タグとの間でデータ通信が行え、前記ＩＣタグが記憶する情報である記憶情報、その他のタグ情報をやりとりするＩＣタグリーダとを含み備え、前記媒体に設けられた前記ＩＣタグを検知し、かつ、その媒体上の図形・写真等を前記イメージセンサ部が撮像したその画像内から機械識別可能な所定の形態で表された模様を抽出し、その模様を識別して得られた情報を鍵として、それをもとに前記ＩＣタグの前記記憶情報へアクセスすることを特徴とするものである。
【００６９】
このような構成によって、媒体（紙）に設けられたＩＣタグを検知し、かつ、その紙面上の図形・写真等をイメージセンサ部が撮像したその画像内から機械識別可能な所定の形態で表された模様を抽出し、その模様を識別して得られた情報を鍵として、それをもとにＩＣタグの記憶情報（情報には文字、図形、写真、文書、音、映像などのデータも含まれる）へアクセスできる、すなわち、イメージスキャナが撮像した画像内から所定の模様を抽出し、その模様に表されたデータが示す情報（後述するように、この情報に基づいて機密情報へのアクセスが可能ともなるのでこの情報をアクセス情報と呼ぶ）に基づいてＩＣタグの記憶情報へのアクセスが可能であると判断できたときにのみ、その記憶情報にアクセスできる（このようにアクセスが制限されているので、その記憶情報を機密情報とも呼ぶ）ので、紙面上を直接読取って得た図形・写真等と共に、ＩＣタグの機能によってそのデータの安全性が保たれた記憶情報へもアクセスして読み出した機密情報を、当該装置に接続された情報装置へ入力させることができる。このように、機密情報のみをフレキシブルディスク、ファイルサーバー等から別途取得することなどが不要にでき、機密情報と画像情報との一体性を確実に取った利用を容易なものとすることができる。
【００７０】
本発明の実施の第１７の形態は、実施の第１６の形態において、前記模様は、機械では識別が可能であるが人の視覚では識別が困難なものであることを特徴とするものである。
【００７１】
このような構成によって、ＩＣタグの記憶情報へのアクセスに必要な鍵となる情報を得るために識別される模様を、機械では識別が可能であるが人の視覚では識別が困難なものとすることで、機密情報の読出しにおいて、ＩＣタグの記憶情報へのアクセスに係る情報のデータが普通には視認できないいわゆる透かし画像として印刷紙面上に含まれてそのデータの秘匿性が取られたものについても、印刷紙面上の模様からその機密情報へのアクセスに係る情報のデータが抽出されて、そのデータによって機密情報へのアクセスが可能とされるので、ユーザーは、機密情報のその印刷紙との一体性がとれている（つまり、印刷物が改ざんなどされていない）ものについては、機密情報のアクセス及び読出しが手間なく行える。逆に、機密情報のその印刷紙との一体性が取れていない（つまり、印刷物が改ざんされている）ものについては、このとき、その機密情報の読出しを不可として、さらにはユーザーに対し機密情報の存在をも知り得ないものにすることができる。
【００７２】
例えば、印刷紙面上の画像に透かし画像として、ＩＣタグ内に記憶された機密情報の読出しを可能とするためのいわゆるパスワード（データ）を表す微細な模様を黄色などで重畳しておくことで、その透かし画像（パスワード）を読取って解読することができる機械において、その解読したパスワードをＩＣタグに与えることによってＩＣタグが記憶している機密情報の読出しが可能となるようにできる。逆に、ＩＣタグが印刷紙から取り外されて透かし画像によってのみ得られるパスワードを知り得ないときには、ＩＣタグからの機密情報の読出しが不可能にできる。このように、制限情報に係るデータを透かし画像として印刷紙面上に含ませることで、ＩＣタグ内の機密情報の安全性をより高めることができると共に、機密情報とその印刷紙との一体性を確実にさせることができ、保管・利用上の間違いも防止できる。
【００７３】
本発明の実施の第１８の形態は、実施の第１６の形態において、前記形態を、微細な形状又は人の視覚では感知しにくい色彩であることを特徴としたものである。
【００７４】
このような構成によって、アクセス情報を表す模様を、微細な形状又は人の視覚では感知しにくい色彩で構成されたものとすることで、人の視覚では識別が困難な形態であるが、機械では識別が可能であり容易に行える。
【００７５】
本発明の実施の第１９の形態は、実施の第１６の形態において、前記模様は、係るアクセス情報が、所定のキー情報により復号できる暗号化がされて前記形態で表されたものであることを特徴とするものである。
【００７６】
このような構成によって、アクセス情報を、所定のキー情報により復号できる暗号化がされた符号とすることで、複数のキー情報によってかつキー毎に異なる暗号化がされたアクセス情報について、キー毎に異なる符号に復号化して、機密情報の読出しを、印刷物の配布を受けた者のアクセス権限レベルに応じたものにできる。例えば、キー情報ａを与えられた者Ａは機密情報αへのアクセスが可能だが、キー情報ｂを与えられた者Ｂは機密情報α及びβへのアクセスが可能、というような使い分けを可能にできる。
【００７７】
本発明の実施の第２０の形態は、実施の第１６の形態において、当該装置外の記憶装置に記憶された情報を指し示すものであることを特徴とするものである。
【００７８】
このような構成によって、当該装置の外部に置かれたファイルサーバーなどの記憶装置に記憶された情報を指し示す記憶情報に対応することで、その記憶装置へのアクセス手段が必要ではあるが、そのような場面にあっては、ＩＣタグの容量を超えるような大容量の情報であっても利用者への提供を可能にできる。このとき、本発明に係る形態では、ＩＣタグが有する一般的な安全機能に加え、前述したように、さらにそのＩＣタグへのアクセスするために必要なアクセス情報についても画像（模様）を媒介することで一種の暗号化が図られており、ファイルサーバーなどへのアクセスは、それらのより強化された安全手段を経た上でなされるものである。
【００７９】
本発明の実施の第２１の形態は、実施の第１６の形態において、前記ＩＣタグリーダは、無線で、前記ＩＣタグへその電力を無線で供給でき、かつ、そのＩＣタグとデータ通信が行えるものであることを特徴とするものである。
【００８０】
このような構成によって、ＩＣタグリーダを、無線（例えば、電磁誘導、電波等）で、ＩＣタグへその電力を供給でき、そのＩＣタグとデータ通信が行えるものとすることで、無線ＩＣタグなどの非接触型のＩＣタグが利用できる。
【００８１】
本発明の実施の第２２の形態は、実施の第１６の形態において、前記ＩＣタグリーダは、そのやりとり可能な範囲を少なくとも前記排紙部を除いた範囲に限ることができる指向性その他の範囲限定手段を有したことを特徴とするものである。
【００８２】
このような構成によって、ＩＣタグリーダを、そのやりとり可能な範囲を少なくとも排紙部を除いた範囲に限ることができる指向性などを有したものとすることで、印刷中であって未だ排紙部に至る途中の搬送経路内にある用紙を検出することができる。例えば、画像情報入力装置は、このような構成によって印刷情報に基づく印刷を行っている時にその対象の用紙を検出して、そのタグ情報を取得する。そして印刷を終えて排紙を完了した後、既にタグ情報を取得しているその印刷紙に向けて記憶情報を書込み又は有効にする。このような動作により、記憶情報の書込み又は有効化がその印刷紙とは異なる他の印刷紙に対して行われることなく、印刷情報と記憶情報との一体性を確かなものとすることができる。
【００８３】
本発明の実施の第２３の形態は、入力された画像情報その他の情報に基づいてその可視画像を印刷用の紙、フィルムその他の媒体上に印刷して出力機能と、媒体上に記録されている図形・写真等を画像として読み取ってその画像データを生成して入力する画像情報入力機能とを有したデジタル複合機であって、印刷用前記媒体上に可視画像を形成して印刷を行う印刷部と、前記媒体を撮像してそこに記録されている図形・写真等を画像として直接読み取るイメージスキャナ部と、印刷用前記媒体に設けられ情報の記憶ができる超小型集積回路（ＩＣ）タグとの間でデータ通信が行え、前記ＩＣタグが記憶する情報である記憶情報、その他のタグ情報をやりとりするＩＣタグリーダとを含み備え、入力された前記画像情報に基づく画像の印刷の際には、前記ＩＣタグに対する前記記憶情報へのアクセスに必要な鍵としての情報であるアクセス情報を機械識別可能な形態で表した模様を、画像情報に基づく前記画像に重畳してそのＩＣタグが設けられた前記媒体上に印刷し、かつ、そのＩＣタグにその記憶情報を記憶させ、一方、前記媒体上の図形・写真等の読み取りの際には、前記媒体に設けられた前記ＩＣタグを検知し、かつ、その媒体上の図形・写真等を前記イメージスキャナが撮像したその画像内から機械識別可能な所定の形態で表された模様を抽出して、その模様を識別して得られた情報を鍵として、それをもとに前記ＩＣタグの前記記憶情報へアクセスすることを特徴とするものである。
【００８４】
このような構成によって、入力された画像情報に基づく画像の印刷の際には、ＩＣタグに対するその記憶情報へのアクセスに必要な情報であるアクセス情報を機械識別可能な形態で表した模様を、画像情報に基づく画像に重畳してそのＩＣタグが設けられた媒体上に印刷し、かつ、そのＩＣタグにその記憶情報を記憶させ、一方、媒体上の図形・写真等の読み取りの際には、媒体に設けられたＩＣタグを検知し、かつ、その媒体上の図形・写真等をイメージスキャナが撮像したその画像内から機械識別可能な所定の形態で表された模様を抽出し、その模様を識別して得られた情報を鍵として、それをもとにＩＣタグの記憶情報へアクセスすることで、一の媒体に記録された機密でない情報（印刷された図形・写真等）と機密情報（ＩＣタグに記憶された情報）とを、それらの情報の別にかかわらず、機密情報についてはその機密性及び安全性を保った上で、簡便に複写などを行うことができる。
【実施例】
【００８５】
以下、本発明の実施例について図面を用いて説明する。
【００８６】
（実施例１）
本実施例は、印刷媒体である印刷用紙に印刷がされた印刷紙であって、情報が記憶された超小型集積回路（ＩＣ）タグを含み備えており、そのＩＣタグの記憶情報へのアクセスに必要な情報であるアクセス情報が表わされた模様を、当該紙面上の印刷に含むものである。
【００８７】
図１は、本実施例の一例としての印刷紙を印刷面側から見て模式的に示したものである。
【００８８】
図１において、印刷紙（記録紙とも呼ぶ）１は、印刷用紙２の紙面上に印刷３及び４並びに模様印刷５から７がされたものである。ここで、印刷３及び４は、機密を要しない情報（開示情報）として人が読める普通の形態に印刷されたもの（図示した例では文章）である。
【００８９】
模様印刷５〜７は、後述するように、色が黄色の微小な（人の普通の視覚では認識しにくい）ドットによる模様が印刷されたものである。これらの印刷模様５〜７は、後述する実施例３の画像情報入力装置（イメージスキャナ）、実施例４のデジタル複合機などにてその画像の読取りを、さらにはその処理を行うことができる。
【００９０】
図２は、その印刷（印刷３及び４並びに模様印刷５〜７）がされる前の印刷用紙（記録用紙とも呼ぶ。また単に紙又は用紙とも呼ぶ）２であって、ＩＣタグ８が設けられたものであり、（ａ）はその紙面（１面）の全体を示し、（ｂ）はそのＩＣタグ８が設けられた部分についてそのＡ１における断面を示す。
【００９１】
図２において、ＩＣタグ８は、紙２の厚み内に設けられたＩＣメモリチップであって、情報の記憶ができると共に、後述するＩＣタグリーダ（２９）と無線電波によって非接触で電力が供給されかつ記憶情報、識別情報（個々のＩＣタグ８毎に付されたそれぞれに固有な符号）その他のタグ情報についてデータのやりとり（送受信）ができるものである。ただし、その記憶する情報である記憶情報が機密情報としてＩＣタグに記憶されているときには、その機密情報のアクセス（読出し。すなわち、ＩＣタグからの送信）にはそのための特別な情報であって機密情報毎に固有な（ユニークな）内容を有したアクセス情報（後述する広義のアクセス情報を区別するために狭義のアクセス情報とも呼ぶ。また、本実施例ではこのアクセス情報として番号を用いているのでアクセス番号とも呼ぶ）を必要とする。すなわち、ＩＣタグ８は、機密情報と共にそのアクセス情報も記憶され、そのような記憶情報の記録（記憶）後、ＩＣタグリーダ（２９）から記憶情報の読出し要求を受けた際、その記憶情報が機密情報であるときには、その機密情報に対応したアクセス番号がその読出し要求に含まれているかどうかをチェックして、含まれているときにのみ、その機密情報の送信（読出し）を行う。従って、読出し要求にアクセス番号が含まれていないときや、読出し要求におけるアクセス番号が記憶したものにないときには、機密情報の送信（読出し）は行わない。
【００９２】
ここで、アクセス番号とは、前述のとおり狭義のアクセス情報であり、ＩＣタグ８に対しその記憶情報へのアクセスに必要な情報であって、記憶情報のＩＣタグ８における管理情報（各記憶情報をＩＣタグ８が特定できるための情報。例えば、データテーブルに対するポインタ、ロケーション符号、縦列番号等）、若しくは機密情報としての管理情報（各記憶情報をＩＣタグ８及びタグリーダ（２９）が特定できるための情報。例えば、機密情報毎に固有な識別符号など）、又はこれらの組合わせである。
【００９３】
次に、紙２の厚み内のＩＣタグ８の周りにあってその無線電波を受発信するアンテナ９は、そのパターンが紙２内に導電性インクで印刷されて含まれている。本明細書では、単にＩＣタグと呼ぶとき、特に断りない限り、アンテナ９も含まれたものを指す。
【００９４】
なお、ＩＣタグ８は、必ずしも、紙２の厚み内に設けられる必要はなく、紙面上に貼付されたものであっても構わないが、紙２の厚み内に設けることでその存在を目立たなくできるので、機密情報が記録される物の形態としては紙２の厚み内に設けるのが好ましい。
【００９５】
また、ＩＣタグ８を、紙２（ＩＣタグ８）の面の裏表（８ａ、８ｂ）の別に応じたタグ情報をやりとりするものとすれば、タグ情報を、紙の裏表の各面上に印刷された図形・写真等に応じたものとすることができるので、ユーザーにおいて情報の選択の手間が省け便利であると共に、タグ情報のやりとりが必要な情報に限られて機密情報の扱いとしても好ましい。
【００９６】
表１及び表２は、ＩＣタグ８に記録（記憶）された記憶情報（一例）とその構造を示す表であり、表１は文書ＩＤ（番号）について、表２は機密情報について示す。ＩＣタグ８は、一の文書ＩＤ（番号）及び一又は複数の機密情報を、記憶情報として記憶している。
【００９７】
【表１】
2008081886.tif 000020
【００９８】
【表２】
2008081886.tif 000021
表１において、文書ＩＤ（番号）は、文書固有の識別子（ＩＤ。本実施例では番号を用いている）であり、これによって当該文書を特定できうる。なお、この文書ＩＤ（番号）の情報は、記録紙１が配布されるとき、配布先へ、その記録紙１とは別の媒体又は手段（例えば、口頭、電気通信手段などの情報伝達手段）によっても伝達される。
【００９９】
表２において、機密情報について、狭義のアクセス情報であるアクセス番号は、当該文書における当該機密情報へのアクセスに必要な情報（いわゆる鍵又はパスワード）である。
【０１００】
本実施例では機密情報毎に生成された乱数による数値を基にしたものであり、文書ＩＤ（番号）と組合わせたとき、その内容がユニークになるものとしている。従って、特定の文書情報の記録がされた記録紙１に対してそのＩＣタグ８の記憶する機密情報（特定の文書の特定の機密情報）へアクセスするためには、そのアクセス番号（情報）と共に、文書を特定できうる文書ＩＤ（情報）も必要であり、このアクセスに必要な情報を特に広義のアクセス情報と呼ぶ。ユーザ（機器・装置・システム等）は、この広義のアクセス情報によって、特定の文書におけるその機密情報の存在を知りかつアクセス情報を知り得たときのみＩＣタグリーダ（２９）を介してその機密情報にアクセスでき、逆に、機密情報に対応した正しいそのアクセス情報を知り得ないときには、その機密情報の読出しがまず不可能である。このように、広義のアクセス情報は、特定の文書における特定の機密情報の読出しのためのいわゆるパスワード（鍵）であり、そして、文書ＩＤが第一の鍵、狭義のアクセス情報（アクセス番号）が第二の鍵に当たる。
【０１０１】
機密レベルは、機密情報の機密の度合いを示す値（本実施例ではその度合いが高いほどより大きな値としている）である。
【０１０２】
内容の欄は、記憶情報（機密情報）自体の内容を示す。
【０１０３】
再び図１において、模様印刷５〜７は、先に触れたように、色が黄色の微小なドットによる模様が印刷されたものであり、模様の形状（ドットの配置）によって所定の情報（データ）を表わす。
【０１０４】
図３は、模様印刷（５〜７）の形状（ドットの配置）について説明するための模式図であり、（ａ）は模様とその模様が表わす情報（値、文字）とを例示しており、（ｂ）は値の並びである情報（データ）の一例として文字（数字）列を（ａ）に示した模様で表わした例を示している。
【０１０５】
ここで、（ａ）は、縦８ます、横８ますの計６４のますで成る方形領域１０における模様（図中の黒いますの配置。図中の波線はますを示すための便宜上のもので、波線自体は模様ではない）が、その上に掲げた値又はその値を符号（いわゆるＡＳＣＩＩコード）値とする文字（０ｘ００（１６進数表記での００）、０ｘ３０‘０’（値０ｘ３０、文字‘０’）、０ｘ４１（値０ｘ４１、文字‘Ａ’）等）を表わす（本明細書において、「文字」には制御文字（０ｘ００〜０ｘ１Ｆ）、空白（０ｘ２０）なども含まれる）。本実施例では、値０ｘ００から値０ｘ７Ｆ（１０進数の１２７）までの各値についてこのような模様を規定している。
【０１０６】
また、（ｂ）は、文字（数字）列“８４７３”についての例である。本実施例において、番号などの数値は、その数値の１０進数表記での数字（文字）の並び（列）（例えば、数値８，４７３であれば文字（数字）列”８４７３”）として扱うものとしている。数字（文字）列における各数字（文字）（位に当たる）「桁」と呼び、先頭を第１桁とする。
【０１０７】
図３において、（ａ）に示した各模様は、印刷された記録紙１の紙面上では、その１つのますが３００ドット／インチ［ｄｐｉ］に相当する大きさ（微小である）であり、図中の黒いますの部分（ドット）のみが黄色にてマーキング（印刷）されている。そして、例えば、数字‘８’（値０ｘ３８）、数字‘４’（値０ｘ３４）、数字‘７’（値０ｘ３７）又は数字‘３’（値０ｘ３３）を表わす各模様が、（ｂ）に示したように、記録紙１の印刷面に向かって左から右へ順に詰めて並べられて文字（数字）列 “８４７３”を表わす。従って、第１桁１１（第１桁を表わす方形領域１０）が、その模様の並びにおいて、紙面に向かって左端となる。
【０１０８】
ここで、値又は文字を表わす（ａ）に示したような模様は、（ｂ）のような文字列として印刷されたときも含め、マーキングされるが２以上が連なることがないように各模様（ドットの配置）を規定しており、そして、ドットが黄色の微小なものであることと相まって、イメージスキャナなどの機械では識別可能であるが人の肉眼では普通には認識しがたいものとなっている。
【０１０９】
本実施例では、（ａ）に示した模様が一の方向・向きに２以上並んだ（ｂ）のような模様を模様印刷（図１における模様印刷５〜７））として、記録紙１に印刷がされる本来の文書情報（機密情報でない文書情報）に基づく印刷画像（図１における印刷３及び４）のマーキング部分を避けて、原則として、記録紙１の左上部に印刷されるものとしている。このとき、各模様印刷における桁の並びの方向に隣接し合った模様印刷間には１桁分以上の空白が設けられている。
【０１１０】
図４は、模様印刷（５〜７）におけるデータの構造を説明するデータ構造図であり、（ａ）は模様印刷（５〜７）におけるデータ（後述する表現データ１２とチェックデジット１３とで成る）の構造を示し、そして、その表現データ１２について、（ｂ）は模様印刷５〜７における構造を示す。
【０１１１】
図４（ａ）において、第１〜８桁は当該模様印刷による伝達対象のデータ（表現データ１２と呼ぶ）を表わし、続く第９桁はチェックデジット１３を表わす。模様印刷（５〜７）は、値又は文字を表わす図３（ａ）に示したような模様が図３（ｂ）に示したように並べられて、文字（数字）列などの値の並びである情報（データ）を表すが、一の印刷模様における表現データ１２は８桁（すなわち、８文字の文字列）とされており、それに続く１桁（第９桁）はチェックデジット１３とされている。ここで、チェックデジット１３は、それを含む９桁の一連の値（文字）について、各値（文字の符号値）を７桁の２進数として排他的論理和をとった結果の値が０（ゼロ）となるようにする値と規定している。
【０１１２】
そして、表現データ１２については、図１における模様印刷５〜７は、機密情報であってＩＣタグ８に記録（記憶）された記憶情報（データ）の一つへのアクセス番号を表わすためのものであり、図４（ｂ）において、文字‘Ａ’（値０ｘ４１）を表わした第１桁は、当該模様印刷が暗号化されていないアクセス番号を表わすものであることを示し、第２〜８桁は、アクセス番号を数字列で示す。例えば、アクセス番号が８，４７３，５９２のときには、チェックデジット１３（０ｘ０９の制御文字となる）を含む模様印刷は文字列 “Ａ８４７３５９２”の末尾に続いてチェックデジット１３して値０ｘ０９の制御文字が連結されたものとなる。
【０１１３】
なお、アクセス番号は、ここでは説明の便宜上、暗号化がされていない（図４（ｂ）における第１桁が文字’Ａ’）ものとしているが、暗号化がされた数字列であってもよい。そのときには図４（ｂ）における第１桁は、’Ａ’以外の文字（値）が用いられて暗号の種別を表わすものとすればよい。
【０１１４】
また、アクセス情報（アクセス番号）は、一の文書におけるいずれの機密情報に対しても同じ情報（番号）としてもよいが、本実施例では、機密情報毎に異なるものとして、機密情報毎にそれぞれのアクセス情報（アクセス番号）を表わす模様印刷が記録紙１上に印刷れている。
【０１１５】
再び図１において、既に述べたように、ＩＣタグ８には、機密情報とされた記憶情報毎に、表１及び表２に掲げたような記憶情報番号、アクセス番号、機密レベル及びその内容（機密情報自体）が記録されている。そして、模様印刷５には記憶情報番号１の記憶情報に対するアクセス番号８４７３５９２を、模様印刷６には記憶情報番号２の記憶情報に対するアクセス番号６７９２１５７を、模様印刷７には記憶情報番号３の記憶情報に対するアクセス番号３９２７５８１を、それぞれ図４（ａ）及び（ｂ）に示したデータ構造にて表わす模様が記録されている。
【０１１６】
なお、以上に述べたような模様は、各模様におけるドット配置の規則、その模様が表わす文字との対応の規則、データ構造についての規則等を特定の者以外には非公開とし、さらにそれらの規則を複数用意してそれらの一を選択して使用するなどすることによって、仮にそれが可視化されたとしても、その情報の秘匿性を依然維持することができる。
【０１１７】
以上のように構成された本発明に係る印刷紙１は、ＩＣタグ８を含み備えた紙２の表面への印刷に、そのＩＣタグ８の記憶情報へのアクセス情報を機械識別可能な形態で表した模様（模様印刷５〜７）を含めることで、機密を要しない開示情報が印刷によって記録されていると共に、機密情報も印刷紙１内に（ＩＣタグ８内に）記録（記憶）されているので、機密情報の提供のためのフレキシブルディスク、ファイルサーバー等の別途の手段を不要とし、機密情報を、ＩＣタグにて安全に保管させつつ、開示情報と共に簡便に配布することができ、かつ、機密情報と開示情報との関係性を確実にさせてそれらの保管・利用を容易にさせることができる。さらに、その機密情報へのアクセスに必要な情報（の一部）をその用紙上に印刷するので、その印刷物を所持した者でなければその機密情報にアクセスできないものにできる。
【０１１８】
すなわち、本発明に係る記録紙１は、情報の機密性の有無にかかわりなくそれらの実体すべてをまとめて、つまり、機密情報とそのアクセス情報とを共にして、物理的に一の物に記録されるので、関連しあった情報を散逸させず、かつ、機密情報の印刷などの利用時にファイルサーバーなどを必要とすることなく、利用者にとってその管理及び取扱いを簡便にさせることができ、情報の配布元にとっても機密情報をサーバなどにて配布後も管理し続ける必要がなくせる。
【０１１９】
そして、機密情報自体については、その記録先（媒体）をＩＣタグ８として、情報の漏えい・改ざんに対して高い安全性を確保した記録・配布を行える。さらに、ＩＣタグ８に記録した機密情報へのアクセスに係る情報を画像として記録（印刷）するので、ＩＣタグ８に記録する機密に係る電子情報を、ＩＣタグリーダ（２９）で読取って電子的に複製されたとしてもそれだけではその機密情報の内容にアクセスできないデータにして、その機密情報へのアクセスがより困難なものにできる。つまり、機密情報の提供において、その機密情報へのアクセスに係る情報のデータを普通には視認できないいわゆる透かし画像として印刷紙１面上に含ませているので、そのデータの秘匿性を取ることができる。そして、万一、ＩＣタグ８が印刷紙１から取り外されて取り扱われたときにはＩＣタグ８に記憶された機密情報の読出しが不能になり、機密情報のその印刷紙１との一体性を確実にさせている。
【０１２０】
このとき、さらに、アクセス情報を表わすための形態についての仕様を一般に対しては秘密とすることでアクセス情報についても一種の暗号化が図れ、機密の安全性をより高めることができ、また、アクセス情報が記録された画像を光学的に複写されたときに正確に複写されにくいので、アクセス情報を複写による拡散が抑えられたものにすることができる。
【０１２１】
このように、制限情報に係るデータを透かし画像として印刷紙１面上に含ませることで、ＩＣタグ８内の機密情報の安全性をより高めることができると共に、機密情報とその印刷紙１との一体性を確実にさせることができ、保管・利用上の間違いも防止できる。
【０１２２】
つまり、本発明に係る印刷紙１には、機密情報であってもその実体がそこに記録されており、利用者にとって便利なものでありながら、かつ、その機密情報は、記録形態が電子的なものなので従来の複写機では複製できない。また、アクセス情報が画像とされてその印刷物に記録されているので、ＩＣタグリーダ（２９）を備えただけの装置では結局その必要な情報が複製できず、漏えいすることはない。このように、一つの印刷紙１にて開示情報と共にそれに関連した機密情報についても、その印刷紙１のオリジナルを有した者でなければ機密情報へのアクセスをより困難として、機密情報の実体自体を安全かつ便利に配布できる。
【０１２３】
なお、アクセス情報（アクセス番号）を表わした模様印刷は、上述の説明では、便宜上、記録用紙の左上部にあるものとしたが、現実的には、その部分に本来の文書情報による印刷画像があって、それ（そのマーキング部分）とアクセス情報の模様とが重なるようなときには、他の位置に印刷されており、さらに、一のアクセス情報についてその文字列全体の模様が一の箇所では本来の印刷画像と重ならずに収まらないようなときには、その文字列全体の模様を本来の印刷画像における非マーキング部分の適当な複数箇所に印刷されている。このように、アクセス情報の模様印刷は、必ずしもその印刷位置が固定されてはおらず、また複数ありうるが、アクセス情報には、前述したとおり、記憶情報番号が含まれているので、その後、アクセス情報を読取って利用する際に、同一の記憶情報に対してアクセス情報の模様印刷が複数あることによる支障はなく、むしろ、模様印刷の一つが紙面の汚れなどによって読取りエラーを起こすような場合には他の箇所での読取りが可能となって、信頼性を上げることができる。
【０１２４】
また、模様印刷は、その模様を成す微小なドットの配置を、特に隣接するドットの関係を、それが光学的に複写されたときに、すなわち、光学的な画像として読取られ、さらにトナーやインクなどの色材で印刷されたときに、隣接するドットが連結しやすい、又は離れやすいものとしておくことで、正確に複写されないようにでき、このような模様とすることで、模様印刷を有した印刷紙が仮に光学的に複写されても、その模様印刷が表わすデータを異常とさせて、その模様印刷が有した情報の複写（すなわち、その後の機密情報漏えい）の防止を可能にし得る。
【０１２５】
また、本実施例ではアクセス情報を、図３に示したような模様で成る模様印刷（５〜７）にて示すものとしたが、本来の情報の印刷である印刷３又は４の印刷中にいわゆる透かし画像として埋め込む手法を取ってもよい。すなわち、印刷３又は４の印刷を、人が視認できる本来の文字・図形・写真等であることを大きく損なうことなく、それらを変形させ、又はその印刷中に微小な点（の印刷）を所定の規則に従って入れる（空白領域内に点の印刷を行う）若しくは抜く（トナーなどの色材が付けられるべき領域内に印刷をしない空白の点の設ける）こと、その他によって情報を表わす手法である。このような手法をとれば、アクセス情報の印刷紙における存在自体をより秘匿することができる。さらに模様印刷はカラー印刷である必要はなく、モノクロ印刷であってもよい。
【０１２６】
（実施例２）
本実施例は、ＩＣタグが設けられた紙を記録用紙として、外部のコンピュータなどから入力された情報について、機密でない画像情報についてはその画像情報に基づいて記録用紙の紙面上に印刷を行うと共に、機密を要する情報（開示伝達が特定の者に対してのみされるべき情報。機密情報と呼ぶ）についてはそれをその記録用紙に設けられたＩＣタグに記録して記憶をさせる画像形成装置（印刷装置／プリンタ）である。つまり、実施例１で述べたような記録紙１を作成する（記録用紙２に記録を行う）装置である。ここで、記録用紙及び印刷がされた結果の記録紙は実施例１におけるものと同じであるので、図１から４まで、並びに表１及び表２、並びに関連する説明を本実施例においても援用する。
【０１２７】
図５は、本実施例の画像形成装置（本実施例において、以下、本装置と呼ぶ）の全体構成の概略を示す図で、（ａ）は背面側から見た外観の斜視図、（ｂ）は横断面図である。
【０１２８】
図５において、プリンタエンジン（本装置のうちから後述するプリンタ制御部（２７）及びＩＣタグリーダ（２９）を除いた部分。単にエンジンとも呼ぶ）１４は、電子写真方式のいわゆるレーザープリンタで、その画像形成を行うプロセス部は、円筒状で外周表面が積層型有機感光体の感光体ドラム１５、感光体ドラム１５の表面を帯電させる帯電器１６、後述するプリンタ制御部（２７）からの画像信号に従って感光体ドラム１５の表面に静電潜像を形成するためのレーザー（図示せず）を具備した露光装置１７、トナーを含む現像剤が内填され、静電潜像をトナー像に現像する現像ローラ１８を具備した現像器１９、及び、金属シャフトを軸とし導電性ウレタンスポンジで形成されたもので、現像されたトナー像を記録紙上に転写するための転写ローラ２０を主な構成要素としている。そして、プリンタエンジン１４は、そのプロセス部と、記録用紙１が装填される用紙カセット２１、用紙カセット２１から記録用紙２を１枚ずつ給紙する給紙部２２、記録紙１上に転写されたトナー像を定着させるための定着器２３、定着後の記録紙１を排出するための排紙部２４、及び印刷（画像形成）された記録紙１が排出されるところの排紙カバー２５を含む筐体・カバーとで機構が構成されており、後述するエンジンコントローラ（２６）がその機構の動作制御（機器制御）を行う。
【０１２９】
ここで、感光体ドラム１５は、周速度１００ｍｍ／ｓで回転する。露光装置１７におけるレーザーのパワーは２８０μＷで、帯電器１６には１．２ｋＶのＤＣ電圧を印加して、感光体ドラム１５の帯電電位と露光後電位は、それぞれ−６５０Ｖと−１００Ｖとしている。現像器１９における現像ローラ１８には、−５００ＶのＤＣ電圧に、周波数が３ｋＨｚの矩形波でピーク・トゥ・ピーク電圧が１．５ｋＶのＡＣ電圧を重畳したバイアス電圧を印加している。転写ローラ２０には＋６００Ｖの電圧を印加している。
【０１３０】
また、現像剤に含まれるトナーは、ポリエステル樹脂８６重量％に顔料を５重量％、離型剤カルナウバワックス６重量％、及び、サルチル酸系亜鉛からなる電荷制御剤３重量％を予備混合して溶融混練し、そして、それを粗粉砕後に微粉砕し、分級して体積平均粒径が７．１μｍの非磁性のトナー母体粒子を得、さらに、このトナー母体粒子９８．５重量％に、外添剤として疎水性シリカ１．０重量％と疎水性のチタニア０．５重量％とを外添（混合）処理したものである。
【０１３１】
エンジンコントローラ２６は、プリンタエンジン（機構）の動作を制御（機器制御）するいわゆるマイクロコンピュータ・システムであり、デジタルデータを演算処理する中央処理ユニット（ＭＰＵ又はＣＰＵ）、その処理プログラムが格納された読出し専用メモリ（ＲＯＭ）、及び処理の際に必要な一時記憶が行われるランダムアクセスメモリ（ＲＡＭ）、並びに、機構におけるソレノイド、モータなどの電気駆動又はスイッチ、センサなどの電気信号入力を行う入出力（ＩＯ）レジスタ（ポートとも呼ぶ）、後述するプリンタ制御部（２７）との間でデータ通信を行うインタフェース（Ｉ／Ｆ）及び画像信号をプリンタ制御部（２７）から受けて露光装置１７へ伝えるインタフェース（ビデオＩ／Ｆと呼ぶ）で構成されている。
【０１３２】
このような画像形成装置において、画像形成は、次のように行われる。
【０１３３】
露光装置１７のレーザーには、後述するプリンタ制御部（２７）からの画像信号が入力される。感光体ドラム１５は、その外周表面が帯電器１６により前述の帯電電位に一様に帯電され、その後、露光装置１７が、感光体ドラム１５の表面に、入力された画像信号に従ってレーザー光を照射して前述の露光後電位を有する静電潜像を形成する。そして、現像器１９における現像ローラ１８は、現像域（現像ローラ１８と感光体ドラム１５との間）に供給された現像剤で磁気ブラシを形成しており、感光体ドラム１５の表面上に、その磁気ブラシを摺擦することで、静電潜像にトナーのみを移行させてトナー像を形成する。そして、感光体ドラム１５上に形成されたトナー像は、転写ローラ２０によって記録紙表面上へ転写され、さらに、定着器２３において、熱と圧力等により記録紙表面に定着される。定着後の記録紙は、排紙部２４によって排紙カバー２５の上に排出される。一方、トナー像の転写が終了した後の感光体ドラム１５は、その表面上に残存するトナーが、ウレタンゴムでシート状に成形されたクリーニングブレードにより除去されて、これで、プリンタエンジン１４は、画像形成の１サイクルを完了する。
【０１３４】
以上、プリンタエンジン１４について述べた。
【０１３５】
次に、用紙カセット２１に装填される記録用紙は、実施例１の図２に掲げた、情報の記憶ができるＩＣタグ８が設けられた紙２である。
【０１３６】
プリンタ制御部２７は、本装置の機能・動作を制御（装置制御）するいわゆるマイクロコンピュータ・システムである（詳細は後述）。
【０１３７】
操作部２８は、プリンタ制御部２７に制御されて、操作者に対して装置情報を表示素子に表示し、また、操作者のキー（操作素子）操作によって情報をプリンタ制御部２７へ入力する。
【０１３８】
ＩＣタグリーダ（単にタグリーダとも呼ぶ）２９は、プリンタ制御部２７に制御されて、紙２に設けられ情報の記憶ができるＩＣタグ８に対して、無線電波によって非接触で電力を供給しかつデータ通信を行ってＩＣタグ８が記憶する情報である記憶情報、その他のタグ情報のやりとり（送受信）を行う。ここで、ＩＣタグリーダ２９は、発射する無線電波についてその指向性及び強度を切換えて、やりとりできる紙２の位置範囲を限定することができる。本装置では、その切換えを方向Ｄ１としたときには、このときの無線電波が排紙カバー２５にある他の紙２には届かないよう調整されており、給紙部２２から排紙部２４までの間にある紙２のみとやりとりが行える。このことで、印刷がなされる用紙２を用紙カセット２１又は排紙部２４に存する他の紙２から区別して検出し、その用紙２のＩＣタグ８が特定されるタグ識別情報を検知できるので、その後、ＩＣタグリーダ２９はその検出された用紙２のＩＣタグ８とのみタグ情報をやりとりすることができる。
【０１３９】
図６は、本装置のデータ処理・装置制御に係るブロック構成を示す。
【０１４０】
図６において、プリンタ制御部２７は、デジタルデータを演算処理する中央処理ユニット（ＭＰＵ又はＣＰＵ）、その処理プログラムが格納された読出し専用メモリ（ＲＯＭ）、及び処理の際に必要な一時記憶が行われるランダムアクセスメモリ（ＲＡＭ）、印刷画像（ビットマップ画像）を一時記憶する画像メモリ（３１）（後述）、並びに、外部のコンピュータなどとの間でデータ通信を行う外部インタフェース（外部Ｉ／Ｆ）（３０）（後述）、操作部を制御する操作部インタフェース（操作部Ｉ／Ｆ）、プリンタエンジン１４の機能又は動作を制御するためのエンジンインタフェース（エンジンＩ／Ｆ）３２、及び、ＩＣタグリーダ２９の機能又は動作を制御するためのリーダインタフェース（リーダＩ／Ｆ）、その他で構成されている。そして、プリンタ制御部２７は、外部インタフェース部（３０）で入力された文書情報、印刷情報等の文書印刷情報を処理して印刷画像（ビットマップ画像）を画像メモリ（３１）内に生成し、さらにそのビットマップ画像を基にその画像信号をエンジンＩ／Ｆ３２にて発生させてプリンタエンジン１４（エンジンコン
トローラ２６を介して露光装置１７）へ出力させる（このようなことから、プリンタ制御部２７を文書印刷コントローラ又は単に印刷コントローラとも呼ぶ）。
【０１４１】
なお、エンジンコントローラ２６もマイクロコンピュータでの構成をとっているが、本装置の全体構成においては、エンジンコントローラ２６は一つの制御回路モジュールとして扱い、本実施例についての以降の説明では、「マイクロコンピュータ」、「ＭＰＵ」、「ＲＡＭ」等の語は、プリンタ制御部２７に係るものを指す。
【０１４２】
外部インタフェース部（外部Ｉ／Ｆ部と略す）３０は、ファクシミリ装置などのデータ通信装置がつながる通信回線、コンピュータなどのデータ処理装置がつながるＵＳＢ（Ｕｎｉｖｅｒｓａｌ  Ｓｅｒｉａｌ  Ｂｕｓ）などのローカルインタフェース、及び、メモリカードなどがつながる外部入出力ポート（外部ＩＯポートと略す）を通して、それらの外部装置に対してデータ通信を行って文書情報（画像情報、図形情報、文情報等）、印刷情報（印刷コマンド、印刷データ等）その他制御情報の情報を入出力する。
【０１４３】
ここで、本装置は、外部インタフェース部３０を介して外部装置から入力したデータを、順次、一時保存するための容量２ｋバイト［Ｂ］のバッファ（外部ＩＯバッファと呼ぶ）を、外部ＩＯポート毎にＲＡＭ内に構成している。そして、外部装置からデータが入力されると、外部インタフェース部３０がＭＰＵへの割込み信号を発生し、その割込み信号を受けたＭＰＵは、そのデータを該当の外部ＩＯポートから入力し、該当の外部ＩＯバッファ内に既に入力しているデータに続けて書込んで一時保存する。この動作を、本装置は、通電されている間、常に（データ入力がある毎に）、ＭＰＵが他の処理と並行して行うものとしている。
【０１４４】
画像メモリ３１は、印刷画像（ビットマップ画像）データが１ページ分書込まれ、一時的なメモリデータとして記憶する。また、そのメモリデータを、エンジンＩ／Ｆ３２からの制御によってエンジンＩ／Ｆ３２に直接出力することもでき、このとき、その出力されたデータ（印刷画像データ）をエンジンＩ／Ｆ３２が画像信号としてプリンタエンジンへ出力する。
【０１４５】
プリンタエンジン１４は、前述したように、プリンタ制御部２７からそのエンジンＩ／Ｆ３２を介して装置制御されるエンジンコントローラ２６によってその機構の機能又は動作が制御（機器制御）され、プリンタ制御部２７から入力される画像信号に従って可視画像を形成（画像形成）して印刷紙を出力する。
【０１４６】
以上のような構成において、次に、外部装置から入力された文書を表わす情報（データ）であってその文書情報に機密情報を含んだものに基づく本装置での印刷・記録の基本的な動作について、外部装置がコンピュータである場合を例に本装置の基本処理フローに沿って説明する。
【０１４７】
図７は、本装置での印刷・記録の基本的な動作を示すフローチャートである。
【０１４８】
また、図８は、外部装置から入力されるデータを、機密情報を含んだ文書を例に、マークアップ表現にて模式的に示している。
【０１４９】
図８において、文書情報（文情報）３３及び３４は機密でない文書情報であり、また、文書情報３５は機密のレベルが３の、文書情報（図形情報）３６は機密のレベルが２の、及び文書情報３６−１は機密のレベルが１の機密情報であり、そして、文書情報３７及び３８は機密情報を扱うための付加情報であるとしている。
【０１５０】
ここで、外部装置から入力される文書を表わす情報（データ）は、符号（文字）‘＜’から符号（文字）‘＞’までの区間にある文字列（タグと呼ぶ。なお、ＩＣタグとは全く異なる）をマークアップ言語による付加情報としている。そして、文書情報３７におけるタグ＜ｄｏｃ＞が、次に現われるタグ＜／ｄｏｃ＞（文書情報３８におけるタグ＜／ｄｏｃ＞）までの間のデータが一の文書に係るデータであることを示しており、タグ＜ｄｏｃ＞における属性ｉｄが文書ＩＤであることを示し（図示した例では文書ＩＤは“１２３４５６”である）、属性ｋｅｙが実施例１における文書鍵コードであることを示す（図示した例では文書鍵コード値は６７（０ｘ４３）である）。また、文書情報３５〜３６−１におけるタグ＜ｋｉｍｉｔｕ＞が、それぞれ、次に現われるタグ＜／ｋｉｍｉｔｓｕ＞までの間のデータが機密情報に係るデータであることを示しており、タグ＜ｋｉｍｉｔｓｕ＞における属性ｌｅｖｅｌがその機密レベルを、属性ａｃｃｅｓｓ＿ｍｕｎがそのアクセス番号を示す。このようなマークアップ及びタグによって、ＭＰＵは、前記の符号を検出し、タグを識別することによって、読出したデータが機密情報であるかどうかを容易に判別することができる。
【０１５１】
図７において、本装置は、外部装置からのデータ（図８に示したような文書情報）が外部インタフェース部３１を介して受信（入力）され、外部ＩＯバッファに一時保存されていると、ＭＰＵが、その外部ＩＯバッファからそこに一時保存されたデータのうち最も古いものを読出す（ステップＳ０１。以下、「ステップ」の語は省く）。そして、ＭＰＵは、読出したデータを解析して、そのデータが示す情報の解釈を試みる。このとき、読出したデータのみでは情報の解釈が行えないときには、そのデータを一時退避させた後、それに続くデータを読出し、先に退避させたデータと合わせて再び情報の解釈を試みる。この動作を情報の解釈が行えるまで繰返す。
【０１５２】
情報の解釈が行える程度にて読出したデータについて、次に、そのデータが付加情報であって、それが文書を表わす付加情報（タグ＜ｄｏｃ＞）であるかどうかを判断する（Ｓ０２）。そして、それが文書を表わす付加情報（タグ＜ｄｏｃ＞）である場合には、その属性ｉｄが示す情報（データ“１２３４５６”）を文書ＩＤ情報として、また、その属性ｋｅｙが示す情報（値６７（０ｘ４３））を文書鍵コード情報として取得し、そして、文書ＩＤを文書鍵コードに基づいて暗号化した後、その暗号化された文書ＩＤその他のタグ情報を一時保存するバッファ（タグ情報バッファと呼ぶ）に書込んで一時保存する（Ｓ０３）。なお、ここでは説明の便宜上、文書鍵コードの値６７（０ｘ４３）は暗号化しないことを示すものとし、タグ情報として一時保存される文書ＩＤは数字列“１２３４５６”としている。
【０１５３】
一方、それが文書を表わす付加情報でない場合には、さらに、機密に係る文書情報（機密情報）であるかどうかを判断する（Ｓ０４）。
【０１５４】
そして、読出したデータが機密情報でない場合（例えば、文書情報３３及び３４）には、ＭＰＵは、そのデータを普通の印刷に係る文書情報又は印刷情報として、そのデータに基づいて画像メモリ３２内に印刷画像を描画する（ビットマップ画像にする）（Ｓ０５）。
【０１５５】
一方、読出したデータが機密情報である場合（文書情報３５及び３６）には、ＭＰＵは、そのデータを機密情報として、そのデータをＩＣタグに記録すべきタグ情報に加工し、又はそのデータに基づいてタグ情報を生成して、タグ情報バッファに既に書込まれているデータに続けて書込んで一時保存する（Ｓ０６）。ここで、このタグ情報は、タグ情報バッファに表１及び表２に掲げたような構造をとって一時保存していく。
【０１５６】
以上のステップＳ０１からステップＳ０３、Ｓ０５又はＳ０６までの処理を、文書の１ページ分について繰返す（Ｓ０７）。
【０１５７】
その後、機密情報の単位毎にその機密情報に対応したアクセス情報について各データを模様化して、それらの模様を、画像メモリ３２内に既に描画されている印刷画像（ビットマップ画像）に合成する（Ｓ０８）。アクセス情報を表わす模様が合成された後の印刷画像は、それが印刷されると図１に示すようなものとしている。ここで、印刷（印刷画像）３が文書情報３３に、印刷（印刷画像）４が文書情報３４に、機密情報毎の各アクセス情報が模様印刷６〜８に当たる。
【０１５８】
アクセス情報を表わす模様を含む印刷画像が整った本装置は、次に、ＭＰＵがエンジンコントローラ２６に画像形成の開始を指示し、その指示を受けたプリンタエンジン１４が用紙カセット２１から記録用紙２を１枚、給紙する（Ｓ０９）。
【０１５９】
そして、印刷コントローラ２７は、画像メモリ３２内の印刷画像（文書情報に基づく画像にアクセス情報の模様が合成されている）を、エンジンインタフェース３０を通して画像信号としてプリンタエンジン１４へ出力する。
【０１６０】
同時に、プリンタエンジン１４は、エンジンコントローラ２６の制御のもと、画像信号を受け、画像形成のプロセスによってその印刷画像を印刷用紙２上に形成していく（Ｓ１０）。
【０１６１】
ＩＣタグリーダ２９は、記録用紙２が給紙された後、排紙カバー２５上に排紙されるまでの間の適当な時点で、その記録用紙２に設けられたＩＣタグ８の検出を、無線電波の発射方向を図５における方向Ｄ１として試み、ＩＣタグ８が検出されるとタグ情報からそのＩＣタグ８の識別情報を取得する（Ｓ１１）。そして、タグ情報バッファに一時保存してある（Ｓ０３及びＳ０４）文書ＩＤ情報及び機密情報を、先に取得した識別情報によって指定するＩＣタグ８にタグ情報（表１及び表２に示した構造）として書込んで記録する（Ｓ１２）。
【０１６２】
プリンタエンジン１４は、印刷（画像形成）を終えた後、記録紙１を排紙カバー２５上に排紙する（Ｓ１３）。ここで、記録紙１が紙詰まりなどで排紙されなかったときには、印刷が失敗して不要になった記録紙１であってもそのＩＣタグ８には機密情報が記録されたままになって、機密情報を不用意に拡散する可能性を高めてしまう。そこで、本装置は、先に取得した識別情報によって指定するＩＣタグ８に対し、既に書込んだ機密情報を消去させるものとして、そのような可能性を実質的になくしている。
【０１６３】
このように、本装置は、機密情報を含む図８に示した文書情報について、機密でない文情報３３及び３４のみ（付加情報を除く）を紙面上に印刷し、機密情報である文情報３５及び図形情報３６については、その記録紙に設けられたＩＣタグ８内に記録する。このとき、ＩＣタグ８内に記録した機密情報（記憶情報）のそれぞれに対するアクセス情報を肉眼では認識しがたい微少な黄色の模様印刷３４又は３５として紙面上に印刷している。このようにして図１に示したような記録紙を得ることができる。
【０１６４】
以上、本装置での印刷・記録の基本的な動作について述べた。
【０１６５】
なお、機密情報のＩＣタグ８への記録（書き込み）は、記録紙１の排紙が行われる時を待ってから行う（つまり、ステップＳ１０の処理をステップＳ１１の処理の後に行う）ようにしてもよい。このようにすることで、紙詰まりなどを起こさなかった記録紙１に対してのみ機密情報のＩＣタグ８への記録（書き込み）を行うことになるので、先に述べたような記録紙１が紙詰まりなどで排紙されなかったときに既に書込んだ機密情報を消去させる処理が不要にできる。
【０１６６】
また、アクセス情報を表わした模様印刷は、上述の説明では、便宜上、記録用紙の左上部に行うものとしたが、現実的には、その部分に本来の文書情報による印刷画像があって、それ（そのマーキング部分）とアクセス情報の模様とが重なるようなときには、他の位置に印刷するものとし、さらに、一のアクセス情報についてその文字列全体の模様が一の箇所では本来の印刷画像と重ならずに収まらないようなときには、その文字列全体の模様を本来の印刷画像における非マーキング部分の適当な複数箇所に印刷するものとしている。このように、アクセス情報の模様印刷は、必ずしもその印刷位置が固定されてはおらず、また複数行われうるが、アクセス情報には、前述したとおり、記憶情報番号が含まれているので、その後、アクセス情報を読取って利用する際に、同一の記憶情報に対してアクセス情報の模様印刷が複数あることによる支障はなく、むしろ、模様印刷の一つが紙面の汚れなどによって読取りエラーを起こすような場合には他の箇所での読取りが可能となって、信頼性を上げることができる。
【０１６７】
また、上述の説明では印刷を記録用紙の片面に行うものとしたが、両面に印刷を行う場合には、一の記録用紙に対して、ステップＳ０１からステップＳ１０までを各面について行う（ただし、ステップＳ０９は最初の１回のみ）。このとき、ＩＣタグ８がタグ情報を記録用紙の裏表の別に応じたものとするものであるときには、ステップＳ１１で検知されるＩＣタグ８の識別情報も記録用紙の裏表の別に応じたものにできるので、ＭＰＵは、識別情報によってＩＣタグ８の裏表を識別して、機密情報についても記録紙の裏表に応じたものを選択的にその面のタグ情報としてＩＣタグ８に記録することができる。このように、記録紙のおもて面の印刷に関連した機密情報はＩＣタグ８のおもて面のタグ情報に、そして記録紙の裏面の印刷に関連した機密情報はＩＣタグ８の裏面のタグ情報に記録することができ、記録紙における印刷（文書情報、すなわち画像情報、図形情報、文情報等）と機密情報とがより密に関連づけられる。
【０１６８】
また、機密情報は、本実施例では機密でない情報（開示情報）を有した同じ文書の中の段落又は挿入図としたが、開示情報を有した文書にないものであってもの、すなわち、他文書の一部分又はその全部であっても構わない。
【０１６９】
また、本実施例では、機密情報は文書情報であるとして説明したが、文書情報（画像情報、図形情報、文情報等）のほか、音（音楽）、映像（動画）等も機密情報として扱い、ＩＣタグ８に記録することもできる。さらには、それら各種形式の機密情報が保管されたデータベースなどへのアクセスに必要な情報（例えば、ＵＲＬ（Ｕｎｉｆｏｒｍ  Ｒｅｓｏｕｒｃｅ  Ｌｏｃａｔｏｒ）、パスワードなど）自体も機密情報として扱い、ＩＣタグ８に記録するものとしてもよい。
【０１７０】
（実施例３）
本実施例は、ＩＣタグが設けられた紙であって実施例１のような記録紙を原稿紙として、その紙面上に記録されている図形・写真等を画像として読取ると共に、その原稿紙に設けられたＩＣタグからその記憶情報として記録されている機密情報をも読み出すことができ、それらの画像情報及び機密情報をコンピュータへ入力させる画像情報入力装置（イメージスキャナ）である。ここで、原稿紙（印刷がされた記録紙）は実施例１におけるものと同じであるので、図１から４まで、並びに表１及び表２、並びに関連する説明を本実施例においても援用する。
【０１７１】
図９は、本実施例の画像情報入力装置（本実施例において、以下、本装置と呼ぶ）の全体構成の概略を示す横断面図である。
【０１７２】
図９において、原稿台３９は、透明なガラス板であり、その面上に書類や書籍などの原稿４０が載置される。
【０１７３】
イメージセンサ４１は、図中の矢印Ａ２の方向に移動可能とされており、その移動可能な各所において、原稿台３９面上に載置された原稿４０（本実施例の以下の説明ではＩＣタグ８が設けられた記録紙１とする）面におけるライン状（図の面に対して垂直な方向）の領域を被写体として透明なガラス板である原稿台３９を通して撮像できる。
【０１７４】
スキャナ制御部（画像読取り制御部とも呼ぶ）４２は、本装置の機能・動作を制御（装置制御）するいわゆるマイクロコンピュータ・システムである（詳細は後述）。
【０１７５】
操作部４３は、スキャナ制御部４２に制御されて、操作者に対して装置情報を表示素子に表示し、また、操作者のキー（操作素子）操作によって情報をスキャナ制御部４２へ入力する。
【０１７６】
ＩＣタグリーダ４４は、実施例２におけるタグリーダ２９と実質的に同様のものであり、スキャナ制御部４２に制御されて、記録紙１に設けられ情報の記憶ができるＩＣタグ８に対して、無線電波によって非接触で電力を供給しかつデータ通信を行ってＩＣタグ８が記憶する情報である記憶情報、その他のタグ情報のやりとり（送受信）を行う。
【０１７７】
図１０は、本装置のデータ処理・装置制御に係るブロック構成を示す。
【０１７８】
図１０において、スキャナ制御部４２は、デジタルデータを演算処理する中央処理ユニット（ＭＰＵ又はＣＰＵ）４５、その処理プログラムが格納された読出し専用メモリ（ＲＯＭ）、及び処理の際に必要な一時記憶が行われるランダムアクセスメモリ（ＲＡＭ）、読取り画像（ビットマップ画像）を一時記憶する画像バッファ（メモリ）４６、並びに、イメージセンサの動作を制御するためのイメージセンサインタフェース（イメージセンサＩ／Ｆ）４７、操作部を制御する操作部インタフェース（操作部Ｉ／Ｆ）、ＩＣタグリーダ４４の機能又は動作を制御するためのリーダインタフェース（リーダＩ／Ｆ）、及びＵＳＢ（Ｕｎｉｖｅｒｓａｌ  Ｓｅｒｉａｌ  Ｂｕｓ）などのインタフェースを通して外部のコンピュータなどとの間でデータ通信を行う外部インタフェース（外部Ｉ／Ｆ）４８、その他で構成されている。
【０１７９】
そして、スキャナ制御部４２（ＭＰＵ４５）は、イメージセンサ４１の移動及び撮像の動作を制御して、イメージセンサ４１に、原稿台３９面上に載置された原稿４０（記録紙１）の撮像を行わせて、その撮像信号をイメージセンサＩ／Ｆ４７を通して入力（この動作をスキャニングと呼ぶ）することで、原稿４０（記録紙１）面上の図形・写真等をデジタル画像として読取って（このデータをスキャンデータと呼ぶ）画像バッファ（メモリ）４６に一時保存する一方、画像バッファ（メモリ）に一時保存したその画像データを、外部Ｉ／Ｆ４８を通してコンピュータなどとデータ通信を行って所定の形式・手順にて出力する。さらに、スキャナ制御部４２（ＭＰＵ４５）は、記録紙１に設けられたＩＣタグ８の記憶情報についても、所定の条件に合った機密情報についてのみ、その内容をコンピュータなどへ出力する。
【０１８０】
図１１は、本装置がコンピュータへ出力するデータの形式を、原稿４０（記録紙１）を例に模式的に示している。
【０１８１】
図１１において、タグ＜ｉｍｇ＞は、次に現われるタグ＜／ｉｍｇ＞までの間のデータが画像データであることを示している。そして、ビットマップ画像データである印刷画像データ４９は、原稿４０（記録紙１）における模様印刷（５〜７）を除いた部分（印刷３及び４）についてのスキャンデータであり（便宜上、印刷画像データ４９を指してスキャンデータとも呼ぶ）、そのデータの実体が、適当なファイル名（図示した例では”ｓｃａｎｎｅｄ＿ｉｍａｇｅ．ｂｍｐ”）が付された一のファイルとされて、タグ＜ｉｍｇ＞における属性ｓｒｃにファイル名が表わされて示されている。なお、その実体データは、当該原稿４０についてのデータ出力（データ通信）における適当な時点（実際的には、例えば、タグ＜ｉｍｇ＞と次に現われるタグ＜／ｉｍｇ＞との間）に通信されるものとしている。印刷部分スキャンデータ５０は、印刷画像データ４９とそれに係るタグ（＜ｉｍｇ＞及び＜／ｉｍｇ＞）とを合わせたデータを指す。
【０１８２】
タグ＜ｃｏｎｆｉｄｅｎｔｉａｌ＞は、次に現われるタグ＜／ｃｏｎｆｉｄｅｎｔｉａｌ＞までの間のデータが機密データであることを示している。そして、機密データ５１は、その情報の実体が図示したような画像のデータであり、ファイル名ｐｒｉｎｔｅｒ．ｇｉｆのファイルとされている。この実体データは、当該機密データ５１（当該機密データ５１のタグ＜ｃｏｎｆｉｄｅｎｔｉａｌ＞から次に現われるタグ＜／ｃｏｎｆｉｄｅｎｔｉａｌ＞までの間）におけるタグ＜ｉｍｇ＞と次に現われるタグ＜／ｉｍｇ＞との間に配されて通信されるものとしている。また、第二の機密データ５２は、テキストデータであって、当該第二の機密データ５２のタグ＜ｃｏｎｆｉｄｅｎｔｉａｌ＞から次に現われるタグ＜／ｃｏｎｆｉｄｅｎｔｉａｌ＞までの間の文字列データがその情報の実体である。
【０１８３】
以上のような構成において、次に、原稿台３９に載置された原稿４０（記録紙１）について、その紙面上に記録されている図形・写真等を画像として読取ると共に、その原稿４０（記録紙１）に設けられたＩＣタグ８からその記憶情報として記録されている機密情報をも読み出す基本的な動作について、外部装置がコンピュータである場合を例に本装置の基本処理フローに沿って説明する。
【０１８４】
図１２は、本装置での画像・記憶情報についての読取りの基本的な動作を示すフローチャートである。
【０１８５】
図１２において、機密情報を含むＩＣタグ８が設けられた原稿４０（記録紙１）をユーザー鍵情報と共に配布され、本装置でその画像読取りを行うユーザーは、画像読取りを行う対象の原稿２０（記録紙１）を原稿台３９面上に載置する（Ｓ２１）。
【０１８６】
ここで、ユーザー鍵情報とは、文書ＩＤ（ＩＣタグ８に記憶されている文書ＩＤと区別するため、以下、文書ＩＤ鍵と呼ぶ）と機密アクセスレベルとを一体化した情報であり、そして、機密アクセスレベルとは、ユーザーがアクセスできる機密情報のうちの最高の機密レベル（つまり、本装置は、機密レベルが機密アクセスレベルを超える機密情報へはアクセスできないものとする）である。本装置では、例えば、文書ＩＤ鍵が番号１２３，４５６、機密アクセスレベルが値２のとき、ユーザー鍵情報は数字列“１２３４５６２”としている。そして、このユーザー鍵情報（数字列“１２３４５６２”）は、本装置の原稿４０である記録紙１がその配布元から当該ユーザーに配布された時に記録紙１の配布と併せて知らされているものとしている。
【０１８７】
なお、ユーザー鍵情報は、ここでは説明の便宜上、暗号化がされていないもの（ユーザー鍵情報が文書ＩＤ鍵の数字列と機密アクセスレベルの数字との単なる連結）としているが、文書ＩＤ鍵と機密アクセスレベルとを一体化しかつ暗号化されたものであってもよい。このとき、その暗号化のルールの別を示す情報が文書鍵コード（例えば、暗号化されていないことを示す値６７（０ｘ４３）とは異なる値６８（０ｘ４４））として模様印刷５に含められているものとする。
【０１８８】
続いて、ユーザーは、その予め知らされているユーザー鍵情報を、画像読取りのスキャニングを開始させる前に、先ず、操作部４３のキー（操作機器）操作によって入力する（Ｓ２２）。このとき、本装置はその入力された情報をＲＡＭ内に一時記憶する。その後、ユーザーは、画像読取り動作の開始を指示するキーを操作する（Ｓ２２）。
【０１８９】
画像読取り動作開始のキー操作を受けて、本装置は、原稿４０（記録紙１）をスキャニングして、原稿４０（記録紙１）面上の図形・写真等をデジタル（ビットマップ）画像として読取って画像バッファ（メモリ）４５に一時保存する（Ｓ２３）。
【０１９０】
そして、スキャナ制御部４２（ＭＰＵ４５）は、読取った画像バッファ（メモリ）４６内の画像（スキャンデータ）についてその画像認識を行って、模様印刷（５〜７）部分を抽出し、各模様印刷を識別して、それぞれの表わす情報を取得する（Ｓ２４）。ここでは、次の情報が取得されるものとする。
【０１９１】
模様印刷５  ：  ・アクセス番号  ＝  ８４７３５９２
模様印刷６  ：  ・アクセス番号  ＝  ６７９２１５７
模様印刷７  ：  ・アクセス番号  ＝  ３９２７５８１
ＭＰＵ４５は、続いて、ＲＡＭ内に一時記憶しているユーザー鍵情報（数字列“１２３４５６２”とする）を、文書鍵コード値６７（０ｘ６３）を基に暗号の復号化を行い、そして、文書ＩＤ鍵と機密アクセスレベルとを取得する（Ｓ２５）。ここでは、文書鍵コードが「暗号化されていない」ことを示す値６７（０ｘ６３）であることから、ＭＰＵ４５は、数字列“１２３４５６２”が表わす値１，２３４，５６２をそのまま用い、その値を文書ＩＤ鍵番号と機密アクセスレベル値とに分離して、文書ＩＤ鍵が番号１２３４５６であり、かつ、機密アクセスレベルが値２であると確定する。これらの確定した情報（番号、値等）は、ＲＡＭに一時記憶される。
【０１９２】
ＭＰＵ４５は、さらに続いて、スキャンデータに対して、その内の模様印刷（５〜７）の部分の画像をマスクして、すなわち、模様印刷（５〜７）の部分の画像をそれぞれその近傍（背景）の画像で置換えて消除する（Ｓ２６）。スキャンデータから模様印刷（５〜７）の部分が消除されたものが印刷画像データ（４８）になる。
【０１９３】
その後、ＭＰＵ４５は、印刷画像データを、それがビットマップデータであることを示す制御情報（データ）に伴われたデータ形式で、外部インタフェース４８を介して外部のコンピュータへ出力する（Ｓ２７）。図１１における印刷部分スキャンデータ５０がその出力データである。
【０１９４】
さらに、ＭＰＵ４５は、ユーザー鍵情報から文書鍵コード値を基に確定した文書ＩＤ鍵番号を、ＩＣタグ８に記憶されている文書ＩＤの番号と比較して、その一致の有無を確認する（Ｓ２８）。
【０１９５】
そして、文書ＩＤ鍵番号が文書ＩＤの番号と一致しないときには、ＭＰＵ４５は、記録情報読取りを終了する。つまり、ＭＰＵ４５は、当該ユーザーを機密情報にアクセスできる者ではないとして、当該ユーザーに対してはステップＳ２７での印刷画像データの出力までにとどめ、ＩＣタグ８に記憶されている機密情報の出力を行わない。
【０１９６】
一方、文書ＩＤ鍵番号が文書ＩＤの番号と一致したときには、当該ユーザーを機密情報にアクセスできる者であるとして、当該ユーザーに対しては（当該画像読取りにおいては）、ＩＣタグ８に記憶されている機密情報のコンピュータへの出力を条件に応じて可能とする（Ｓ２９）。その機密情報の出力は、次のようにして行う。
【０１９７】
ＭＰＵ４５は、印刷模様５から７までのそれぞれについて、先ず、実施例１で述べたように表１及び表２に示した構造とされたＩＣタグ８の記憶情報から、その印刷模様が表わすアクセス番号を基に、それと同じアクセス番号が振られた機密情報を選択する。次に、ＭＰＵ４５は、その選択した機密情報に振られた機密レベルの値を、先に取得した機密アクセスレベルの値（例えば前述したユーザー鍵情報の入力では値２）と比較する。そして、機密レベルの値が機密アクセスレベルの値以下のときのみ、ＭＰＵ４５はその機密情報の内容を、機密情報として、すなわち、それが機密情報（データ）であることを示す制御情報（データ）に伴われたデータ形式で、コンピュータへ出力する（Ｓ２９）。
【０１９８】
例えば印刷模様５については、表１及び表２に示した構造とされたＩＣタグ８の記憶情報から、その印刷模様が表わすアクセス番号８４７３５９２を基に、それと同じアクセス番号８４７３５９２が振られた記憶情報番号１の機密情報を選択し、その機密レベルの値３が機密アクセスレベルの値２より大きいので、その内容である文字列「そこで、本発明は、入力された．．．」のデータを出力することはしない。
【０１９９】
また、例えば印刷模様６については、その印刷模様が表わすアクセス番号６７９２１５７を基に、それと同じアクセス番号６７９２１５７が振られた記憶情報番号２の機密情報を選択するが、その機密レベルの値２が機密アクセスレベルの値２以下（等しい）ので、その内容である図形（プリンタの図）のデータを機密情報として出力する。図１１における機密データ５１がその出力データである。
【０２００】
また、例えば印刷模様７については、その印刷模様が表わすアクセス番号３９２７５８１を基に、それと同じアクセス番号３９２７５８１が振られた記憶情報番号３の機密情報を選択し、その機密レベルの値１が機密アクセスレベルの値２以下なので、その内容である文字列「媒体に設けられた前記．．．」のデータを機密情報として出力する。図１１における第二の機密データ５２がその出力データである。
【０２０１】
以上、原稿台３９に載置された原稿４０（記録紙１）について、その紙面上に記録されている図形・写真等を画像として読取ると共に、その原稿４０（記録紙１）に設けられたＩＣタグ８からその記憶情報として記録されている機密情報をも読み出す基本的な動作について説明した。
【０２０２】
なお、本実施例ではＩＣタグ８に記録された機密情報を印刷（３、４）と関連性が持たせられたものとしなかったが、機密情報を印刷（３、４）との関連性を、タグ情報としてＩＣタグ８に記録して、又は、別途の模様印刷仕様が規定されており、その模様印刷にて表わして、係る機密データの出力を、印刷（３、４）と関連を持たせた方法又は形で行うものとしてもよい。例えば、機密情報には印刷レイアウトに関する情報が含まれているものとしたときに、本装置が、係る機密データを、その印刷レイアウト情報に基づき、印刷（３、４）に係る印刷部分スキャンデータと関係付けて（それらを合わせて順番付け、配置するなど）出力するものである。このようにすることで、その出力データに基づく印刷がされたときに、ユーザー鍵情報における機密アクセスレベルに応じた適切な印刷レイアウトが取られて印刷（３、４）及び機密情報の印刷がなされうる。
【０２０３】
（実施例４）
本実施例は、ＩＣタグが設けられた紙を原稿紙としてそのＩＣタグに記録された機密情報である記憶情報を読み出すことができ、その記憶情報に基づき描画した画像を、その紙面上に記録されている図形・写真等を画像として読取ったものに合成して印刷出力できるデジタル複合機である。つまり、実施例１で述べたような記録紙を原稿紙として、その紙面上に記録されている図形・写真等を画像として読取ると共に、その原稿紙に設けられたＩＣタグからその記憶情報として記録されている機密情報をも読み出すことができ、さらに、それらの画像情報及び機密情報に基づいて、実施例１で述べたような記録紙１を作成する（記録用紙２に記録を行う）ことができる装置である。ここで、記録用紙及び記録紙が実施例１におけるものと同じであるので、また、後述するとおり、画像読取り部（５７）及び画像形成部（５８）が実施例２又は３におけるものと実質同様であるので、図１から４まで、図７、図８、図１１及び図１２、表１及び表２、並びに関連する説明を本実施例においても援用する。
【０２０４】
本発明に係るデジタル複合機（以下、本実施例において本装置とも呼ぶ）は、液晶表示器及び複数の発光ダイオードからなる装置表示ユニット、並びに、複数のキースイッチからなる装置入力ユニットを含み、本装置のオペレータに対する表示及びオペレータからの入力を行なう操作部（図示せず）を、後述する原稿台（３）面手前に備えている。
【０２０５】
図１３は、本装置の構成及び構造を説明するための模式的な正面断面図である。
【０２０６】
図１３において、原稿台カバー５３には、オートドキュメントフィーダ（ＡＤＦ）５４が設けられている。原稿台カバー５３は、説明の便宜上、原稿台５５面に対して開いた形態にて図示したが、原稿台５５面に対してその面に接する形に閉じられることができ、ユーザーによる開閉が自在である。そして、原稿台カバー５３が閉じられているときには、ＡＤＦ５４は、そこに枚葉紙状の書面５６を複数枚、ユーザーが装填でき、その書面５６を１枚ずつ繰出して、複写原稿（単に原稿とも呼ぶ）として原稿台５５面上に搬送することができる。
【０２０７】
一方、原稿台カバー５３が図示されたように開かれているときには、ユーザーは、書類や書籍などの原稿５６を原稿台５５面上に直接載置することもできる。
【０２０８】
原稿台５５は、透明なガラス板であり、上述したとおり、その面上に書類や書籍などの原稿が搬送され又は載置される（以下、ＡＤＦ５４によって搬送された書面５６の１枚も、ユーザーによって直接載置されたものも、いずれも原稿５６と呼ぶ）。ここで、原稿５６には、ＩＣタグ８が設けられている。
【０２０９】
画像読取り部５７は、実施例３におけるイメージスキャナとその操作部及びＩＣタグリーダを除き同様のものであり、具備したイメージセンサ（図示せず）が、原稿台５５面上に搬送され又は載置された原稿５６の面上の図形・写真等を透明なガラスである原稿台５５を通してデジタル画像として読取る。
【０２１０】
画像形成部５８は、実施例２における操作部及びＩＣタグリーダを除いたもの、すなわちプリンタエンジンを核としたものと実質的に同様のものであり、外部Ｉ／Ｆを（図示せず）通して入力された画像情報に基づいて、具備したプリンタエンジン（図示せず）が記録用紙の紙面上に印刷を行う。画像形成部５８の詳細は実施例２の操作部及びＩＣタグリーダを除く内容を援用する。
【０２１１】
装置制御部５９は、実施例３におけるスキャナ制御部と実施例２におけるプリンタ制御部とを実質的に合わせたものであり、本装置の機能・動作を制御（装置制御）するいわゆるマイクロコンピュータ・システムである（詳細は後述）。
【０２１２】
操作部（図示せず）は、原稿台５５面の手前にあって、装置制御部５９に制御されて、操作者に対して装置情報を表示素子に表示し、また、操作者のキー（操作素子）操作によって情報を装置制御部５９へ入力する。
【０２１３】
ＩＣタグリーダ６０は、実施例２におけるタグリーダ２９と実質的に同様のものであり、装置制御部５９に制御されて、紙２に設けられ情報の記憶ができるＩＣタグ８に対して、無線電波によって非接触で電力を供給しかつデータ通信を行ってＩＣタグ８が記憶する情報である記憶情報、その他のタグ情報のやりとり（送受信）を行う。
【０２１４】
ここで、ＩＣタグリーダ６０は、発射する無線電波についてその指向性及び強度を切換えて、やりとりできる紙２の位置範囲を限定することができる。本装置では、その切換えを方向Ｄ３としたときには、このときの無線電波が原稿台上又は排紙トレイにある紙２には届かないよう調整されており、画像形成部５８内の給紙部６１から排紙部（６２）までの間にある紙２のみとやりとりが行える。また、その切換えを方向Ｄ４としたときには、このときの無線電波が原稿台上に又は画像形成部５８内の給紙部６１から排紙部（６２）までの間にある紙２には届かないよう調整されており、排紙トレイ６２にある紙２のみとやりとりが行える。また、その切換えを方向Ｄ５としたときには、このときの無線電波が排紙トレイ６２上に又は画像形成部５８内の給紙部６１から排紙部（６２）までの間にある紙２には届かないよう調整されており、原稿台５５上にある紙２のみとやりとりが行える。この指向性及び強度の切換えで、情報のやりとりの対象とする特定の箇所に存する紙２を他の箇所に存する他の紙２から区別して検出し、その検出された紙２に設けられたＩＣタグ８が特定されるタグ識別情報を検知できるので、検知後、その特定のタグ識別情報によって、ＩＣタグリーダ６０はその検出された紙２に設けられたＩＣタグ８とのみタグ情報をやりとりすることができる。
【０２１５】
図１４は、本装置のデータ処理・装置制御に係るブロック構成を示す。
【０２１６】
図１４において、装置制御部５９は、デジタルデータを演算処理する中央処理ユニット（ＭＰＵ又はＣＰＵ）、その処理プログラムが格納された読出し専用メモリ（ＲＯＭ）、及び処理の際に必要な一時記憶が行われるランダムアクセスメモリ（ＲＡＭ）、ビットマップ画像である読取り画像及び印刷画像を一時記憶する画像メモリ６３、並びに、外部のコンピュータなどとの間でデータ通信を行う外部インタフェース（外部Ｉ／Ｆ）６４、操作部を制御する操作部インタフェース（操作部Ｉ／Ｆ）、イメージセンサの動作を制御するためのイメージセンサインタフェース（イメージセンサＩ／Ｆ）６５、プリンタエンジン１４の機能又は動作を制御するためのエンジンインタフェース（エンジンＩ／Ｆ）６６、及び、ＩＣタグリーダ６０の機能又は動作を制御するためのリーダインタフェース（リーダＩ／Ｆ）６７、その他で構成されている。
【０２１７】
そして、装置制御部５９は、イメージセンサ６８の移動及び撮像の動作を制御して、イメージセンサ６８に、原稿台３９面上に載置された原稿５６（記録紙１）の撮像を行わせて、その撮像信号をイメージセンサＩ／Ｆ６５を通して入力（この動作をスキャニングと呼ぶ）することで、原稿５６（記録紙１）面上の図形・写真等をデジタル画像として読取って（このデータがスキャンデータ）画像バッファ（メモリ）６３に一時保存する一方、画像バッファ（メモリ）に一時保存したその画像データを、外部Ｉ／Ｆ６４を通してコンピュータなどとデータ通信を行って所定の形式・手順にて出力する、また、外部インタフェース部（６４）で入力された文書情報、印刷情報等の文書印刷情報を処理して印刷画像（ビットマップ画像）を画像メモリ６３内に生成し、さらにそのビットマップ画像を基にその画像信号をエンジンＩ／Ｆ６６にて発生させてプリンタエンジン１４（エンジンコントローラ２６を介して露光装置１７）へ出力させる、ということを行う。これらの機能の詳細は、実施例２及び３における説明を援用する。
【０２１８】
本装置は、以上のような構成において、その動作が、実施例２又は３における基本処理フロー（図７及び図１２、並びにそれぞれに係る説明）に沿ってなされる（動作の詳細は、実施例２及び３における説明を援用する）。さらに、それらの基本処理を、画像読取り部は読み取った印刷画像データを画像形成部５８へ出力し、かつ、画像形成部５８はその印刷画像データを入力データとするものとした上で、ほぼ同時に並行して行うことにより、原稿面上の画像を読み取ってその画像を印刷用紙に印刷するいわゆる複写の動作をなしている。
【０２１９】
ここで、本装置は、複写動作について次のようなモードを有している。
【０２２０】
１）紙複写モード
２）機密情報出力モード
紙複写モードは、普通の複写機の動作と同様に、原稿台５５面上に搬送され又は載置された原稿５６（ＩＣタグ８が設けられていなくてもよい）について、画像読取り部５７のイメージセンサ６８へ向けられた面上の図形・写真等を画像として読み取って、他の記録用紙（ＩＣタグ８が設けられていなくてもよい）に複写するものである。紙複写モードでは、装置制御部５９は、原稿台５５面上の原稿５６を画像読取り部５７に読み取らせ、読み取られた画像を画像形成部５８に与えて、その画像形成部５８にその画像の印刷出力を行なわせる。図１に示した印刷紙１を原稿としてこのモードで複写すると、本装置は、図１に示した印刷紙１と外見が同様の印刷紙を印刷出力する。このとき、その印刷用紙２にＩＣタグ８が設けられていても原稿とされた印刷紙１のＩＣタグ８に記憶されている情報を印刷用紙２のＩＣタグ８へコピーすることはしない。
【０２２１】
一方の機密情報出力モードは、原稿台５５面上に搬送され又は載置された原稿５６（ＩＣタグ８が設けられているもの）について、画像読取り部５７のイメージセンサ６８へ向けられた面上の図形・写真等を画像として読み取って、他の記録用紙２（ＩＣタグ８が設けられていなくてもよい）に複写すると共に、ＩＣタグ８に記憶された機密情報をＩＣタグリーダ６０にて読み出して、その機密情報自体を文字、図形若しくは画像で可視化して、又はその情報に基づき生成した若しくは当該装置の外部から取得した機密情報を可視化して画像形成部５８にて印刷するものである。このとき、その機密情報の読出しに当たって、本装置は、操作者にその機密情報にアクセスするためのユーザー鍵情報を要求する外、さらに、画像読取り部にて読み取った画像に含まれた、本発明に係る模様印刷から文書ＩＤ鍵及び機密アクセスレベルの情報を得て、それらの情報の内容に応じて、機密情報の可視化又は印刷を許可し又は許可しないものとする。
【０２２２】
図１５は、図１に示した印刷紙１を原稿としてこのモードで複写した場合、ユーザー鍵情報並びに文書ＩＤ鍵及び機密アクセスレベルの情報が機密情報の印刷が行えるものであるときに本装置が印刷出力する印刷紙を示した模式図である。図１５から分かるように、このモードで複写した場合には、原稿である図１に示した印刷紙１に対し、さらに機密情報（６９、７０）も含められて印刷がされた複写物が得られる。ここで、このときも、その印刷用紙２にＩＣタグ８が設けられていても原稿とされた印刷紙１のＩＣタグ８に記憶されている情報を印刷用紙２のＩＣタグ８へコピーすることはしない。
【０２２３】
このような機密情報出力モードによって、同じ原稿であっても、その原稿５６が有した機密情報にアクセスできる者のみが、又はアクセスできるレベルに応じて、機密情報を取得することができる装置とすることができる。そして、機密情報の取得には本発明に係る模様印刷（５〜７）の読取り及び識別が不可欠なので、ＩＣタグ８に記憶された機密情報は、それが何らかの手段で電子的にコピーされたとしても、また、いわゆるパスワードであるユーザー鍵情報が詐取されたとしても、依然、その原稿を有しない者による可視化又は印刷が不可能である。
【０２２４】
以上述べたような動作によって、本装置は、入力された画像情報に基づく画像の印刷の際には、ＩＣタグ８に対するその記憶情報へのアクセスに必要な情報であるアクセス情報を機械識別可能な形態で表した模様（５〜７）を、画像情報に基づく画像に重畳してそのＩＣタグ８が設けられた媒体（２）上に印刷し、かつ、そのＩＣタグ８にその記憶情報を記憶させ、一方、媒体上の図形・写真等の読み取りの際には、媒体に設けられたＩＣタグ８を検知し、かつ、その媒体（２）上の図形・写真等を、イメージセンサ６８を備えた画像読取り部５７が撮像したその画像内から識別が可能な所定の形態で表された模様（５〜７）を抽出し、その模様（５〜７）を識別して得られた情報を鍵として、それをもとにＩＣタグ８の記憶情報へアクセスすることで、一の媒体（２）に記録された機密でない情報（印刷された図形・写真等）と機密情報（ＩＣタグに記憶された情報）とを、それらの情報の別にかかわらず、機密情報についてはその機密性及び安全性を保った上で、簡便に複写などを行うことができる。
【産業上の利用可能性】
【０２２５】
本発明に係る印刷媒体は、プリンタ、複写機等で用いられる一般の印刷用紙として利用することができるほか、証券などの用紙としても利用することが可能である。さらには広く大衆に配布される書籍・雑誌・新聞等の用紙としても利用することが可能である。また、本発明に係る画像形成装置は、プリンタ、複写機等として利用することができるほか、書籍・雑誌・新聞等の印刷機としても利用することが可能である。また、本発明に係る画像情報入力装置は、据え置き型のイメージスキャナとして利用することができるほか、ハンディ型のイメージスキャナやデジタルカメラとしても利用することが可能である。
【手続補正２】
【補正対象書類名】特許請求の範囲
【補正対象項目名】全文
【補正方法】変更
【補正の内容】
【特許請求の範囲】
【請求項１】
表面に印刷がされた紙、フィルムその他の印刷媒体であって、
情報の記憶ができる超小型集積回路（ＩＣ）タグを含み備え、
前記印刷には、前記ＩＣタグに対するその記憶情報へのアクセスに必要な鍵としての情報であるアクセス情報を機械識別可能な形態で表した模様が含まれていることを特徴とする印刷媒体。
【請求項２】
前記アクセス情報を表す前記形態は、機械では識別が可能であるが人の視覚では識別が困難なものであることを特徴とする請求項１記載の印刷媒体。
【請求項３】
前記ＩＣタグは、電力が外部の機器から無線で供給され、かつ、電磁誘導又は電波で外部の機器とデータ通信を行うことを特徴とする請求項１記載の印刷媒体。
【請求項４】
当該媒体の内部又は表面上にアンテナが導電性インクで描画されて形成されていることを特徴とする請求項３記載の印刷媒体。
【請求項５】
入力された画像情報その他の情報に基づいてその可視画像を印刷用の紙、フィルムその他の媒体上に印刷して出力する画像形成装置であって、
印刷用前記媒体上に可視画像を形成して印刷を行う印刷部と、
印刷用前記媒体に設けられ情報の記憶ができる超小型集積回路（ＩＣ）タグとの間でデータ通信が行え、前記ＩＣタグが記憶する情報である記憶情報、その他のタグ情報をやりとりするＩＣタグリーダと、
を含み備え、
前記ＩＣタグに対する前記記憶情報へのアクセスに必要な鍵としての情報であるアクセス情報を機械識別可能な形態で表した模様を、入力された前記画像情報に基づく画像に重畳してそのＩＣタグが設けられた前記媒体上に印刷し、かつ、そのＩＣタグにその記憶情報を記憶させることを特徴とする画像形成装置。
【請求項６】
前記模様は、機械では識別が可能であるが人の視覚では識別が困難なものであることを特徴とする請求項５記載の画像形成装置。
【請求項７】
前記形態は、微細な形状又は人の視覚では感知しにくい色彩であることを特徴とする請求項６記載の画像形成装置。
【請求項８】
前記模様は、係るアクセス情報が、所定のキー情報により復号できる暗号化がされて前記形態で表されたものであることを特徴とする請求項５記載の画像形成装置。
【請求項９】
前記記憶情報は、当該装置外の記憶装置に記憶された情報を指し示すものであることを特徴とする請求項５記載の画像形成装置。
【請求項１０】
当該装置は、当該装置に入力された情報のうち、自らの部分へのアクセスが制限された機密情報について、その機密情報自体又はそれに基づく情報の少なくとも一部を前記ＩＣタグに記憶させることを特徴とする請求項５記載の画像形成装置。
【請求項１１】
前記ＩＣタグリーダは、無線で、前記ＩＣタグへその電力を供給でき、かつ、そのＩＣタグとデータ通信が行えるものであることを特徴とする請求項５記載の画像形成装置。
【請求項１２】
当該装置は、前記印刷部での印刷の際にその印刷が行われる前記媒体に対してＩＣタグの検出を行い、その後、前記ＩＣタグリーダが、その検出されたＩＣタグを特定してそのＩＣタグに対し、前記記憶情報の記憶を行わせ又は前記記憶情報を有効とさせることを特徴とする請求項５記載の画像形成装置。
【請求項１３】
当該装置は、さらに、印刷用前記媒体に印刷がされた印刷紙を排出しそしてその排出を検知する排紙部を含み備えており、
前記アクセス情報を示す画像の印刷を行い、その印刷紙を前記排紙部が排紙したことを検知した後に、前記ＩＣタグに前記記憶情報の記憶を行わせ又は前記記憶情報を有効とさせることを特徴とする請求項５記載の画像形成装置。
【請求項１４】
当該装置は、印刷の際、前記印刷紙の前記ＩＣタグに対し、前記記憶情報の記憶をその印刷紙が前記排紙部に排紙されるまでの間に行わせ、かつ、その記憶された記憶情報を、その印刷紙が前記排紙部に排紙されるまでは無効のままとし、その印刷紙が前記排紙部に排紙されたことを検知後に有効とさせることを特徴とする請求項１３記載の画像形成装置。
【請求項１５】
前記ＩＣタグリーダは、そのやりとり可能な範囲を少なくとも前記排紙部を除いた範囲に限ることができる指向性その他の範囲限定手段を有したことを特徴とする請求項１３記載の画像形成装置。
【請求項１６】
紙、フィルムその他の媒体上にある図形・写真等を画像として読み取ってその画像データを生成して情報処理装置などへ入力させる画像情報入力装置であって、
前記媒体を撮像してそこに記録されている図形・写真等を画像として直接読み取るイメージセンサ部と、
印刷用前記媒体に設けられ情報の記憶ができる超小型集積回路（ＩＣ）タグとの間でデータ通信が行え、前記ＩＣタグが記憶する情報である記憶情報、その他のタグ情報をやりとりするＩＣタグリーダと、
を含み備え、
前記媒体に設けられた前記ＩＣタグを検知し、かつ、その媒体上の図形・写真等を前記イメージセンサ部が撮像したその画像内から機械識別可能な所定の形態で表された模様を抽出し、その模様を識別して得られた情報を鍵として、その鍵をもとに前記ＩＣタグの前記記憶情報へアクセスすることを特徴とする画像情報入力装置。
【請求項１７】
前記模様は、機械では識別が可能であるが人の視覚では識別が困難なものであることを特徴とする請求項１６記載の画像情報入力装置。
【請求項１８】
前記形態は、微細な形状又は人の視覚では感知しにくい色彩であることを特徴とした請求項１６記載の画像情報入力装置。
【請求項１９】
前記模様は、係るアクセス情報が、所定のキー情報により復号できる暗号化がされて前記形態で表されたものであることを特徴とする請求項１６記載の画像情報入力装置。
【請求項２０】
前記記憶情報は、当該装置外の記憶装置に記憶された情報を指し示すものであることを特徴とする請求項１６記載の画像情報入力装置。
【請求項２１】
前記ＩＣタグリーダは、無線で、前記ＩＣタグへその電力を供給でき、かつ、そのＩＣタグとデータ通信が行えるものであることを特徴とする請求項１６記載の画像情報入力装置。
【請求項２２】
前記ＩＣタグリーダは、そのやりとり可能な範囲を少なくとも前記排紙部を除いた範囲に限ることができる指向性その他の範囲限定手段を有したことを特徴とする請求項１６記載の画像情報入力装置。
【請求項２３】
入力された画像情報その他の情報に基づいてその可視画像を印刷用の紙、フィルムその他の媒体上に印刷して出力機能と、媒体上に記録されている図形・写真等を画像として読み取ってその画像データを生成して入力する画像情報入力機能とを有したデジタル複合機であって、
印刷用前記媒体上に可視画像を形成して印刷を行う印刷部と、
前記媒体を撮像してそこに記録されている図形・写真等を画像として直接読み取るイメージスキャナ部と、
印刷用前記媒体に設けられ情報の記憶ができる超小型集積回路（ＩＣ）タグとの間でデータ通信が行え、前記ＩＣタグが記憶する情報である記憶情報、その他のタグ情報をやりとりするＩＣタグリーダと、
を含み備え、
入力された前記画像情報に基づく画像の印刷の際には、前記ＩＣタグに対する前記記憶情報へのアクセスに必要な鍵としての情報であるアクセス情報を機械識別可能な形態で表した模様を、画像情報に基づく前記画像に重畳してそのＩＣタグが設けられた前記媒体上に印刷し、かつ、そのＩＣタグにその記憶情報を記憶させ、一方、前記媒体上の図形・写真等の読み取りの際には、前記媒体に設けられた前記ＩＣタグを検知し、かつ、その媒体上の図形・写真等を前記イメージスキャナが撮像したその画像内から識別が可能な所定の形態で表された模様を抽出し、その模様を識別して得られた情報を鍵として、その鍵をもとに前記ＩＣタグの前記記憶情報へアクセスすることを特徴とするデジタル複合機。
【手続補正３】
【補正対象書類名】図面
【補正対象項目名】全図
【補正方法】変更
【補正の内容】
【図１】
2008081886.tif 000022
【図２】
2008081886.tif 000023
【図３】
2008081886.tif 000024
【図４】
2008081886.tif 000025
【図５】
2008081886.tif 000026
【図６】
2008081886.tif 000027
【図７】
2008081886.tif 000028
【図８】
2008081886.tif 000029
【図９】
2008081886.tif 000030
【図１０】
2008081886.tif 000031
【図１１】
2008081886.tif 000032
【図１２】
2008081886.tif 000033
【図１３】
2008081886.tif 000034
【図１４】
2008081886.tif 000035
【図１５】
2008081886.tif 000036
【国際調査報告】
2008081886.tif 000037
2008081886.tif 000038